(57)【要約】本発明は、移動通信ネットワークの中でマルチキャストサービスまたはブロードキャストサービスのセッション制御の制御シグナリングを配信する方法に関する。さらには、本発明は、提案する方法を実行する基地局、移動端末、および移動通信システムも提供する。サービスのためのシグナリング接続の数を低減する目的で、本発明は、移動通信ネットワーク全体またはサービスエリア全体におけるセッション制御シグナリングの最初の配信を回避することを提案する。サービスに関連する制御シグナリング接続をセッションの開始時に提供するのではなく、サービスを要求する移動端末のサービス要求に応えて、制御シグナリング接続を確立する。さらなる一態様によると、移動端末は、移動端末において利用可能なサービスアナウンスメントに基づいてサービス要求を送信し、すなわち、従来の実施形態とは異なり、移動端末は、セルの中でサービスが利用可能であることに関するアクセスネットワークの通知を待機しない。
2010541434.tif 000002
【特許請求の範囲】
【請求項１】
移動通信ネットワークの中でマルチキャストサービスまたはブロードキャストサービスのセッション制御の制御シグナリングを配信する方法であって、
移動端末からの前記マルチキャストサービスまたはブロードキャストサービスのサービス要求を、前記移動通信ネットワークのトラッキングエリアに関連付けられる基地局において受信するステップと、
移動端末のサービス要求に応えて、前記サービス要求を受信した前記基地局を含む前記トラッキングエリアの少なくとも１つの基地局への、セッション制御の制御シグナリングの配信、をトリガーするステップと、
を含む方法。
【請求項２】
前記サービス要求が、前記移動端末において利用可能である、前記マルチキャストサービスまたはブロードキャストサービスのセッションアナウンスメント、に基づいて前記移動端末によって送信される、請求項１に記載の方法。
【請求項３】
前記サービス要求を受信した前記基地局から前記移動通信システムのコアネットワークの中の移動管理エンティティにサービス要求を送信するステップと、
前記サービス要求に応えて、前記移動管理エンティティが、前記マルチキャストサービスまたはブロードキャストサービスの提供源が位置しているサービスネットワークに前記移動通信システムの前記コアネットワークを接続しているゲートウェイに、前記マルチキャストサービスまたはブロードキャストサービスを登録するステップと、
をさらに含む、請求項１または２に記載の方法。
【請求項４】
セッション制御の前記制御シグナリングが、前記ゲートウェイによって、登録されている前記移動管理エンティティを介してトラッキングエリアの少なくとも１つの基地局に送信される、請求項３に記載の方法。
【請求項５】
前記移動通信ネットワークが、ユーザの要求またはユーザの存在には関係なく前記マルチキャストサービスまたはブロードキャストサービスが提供される１つまたは複数のトラッキングエリアを備え、
ユーザの要求またはユーザの存在には関係なく前記マルチキャストサービスまたはブロードキャストサービスが提供される前記１つまたは複数のトラッキングエリアの中のすべての基地局に、セッション制御の前記制御シグナリングを配信するステップ、
をさらに含む、請求項１〜４のいずれか１項に記載の方法。
【請求項６】
ユーザの要求またはユーザの存在には関係なく前記マルチキャストサービスまたはブロードキャストサービスが提供される前記１つまたは複数のトラッキングエリアが、単一周波数ネットワークを形成している、請求項５に記載の方法。
【請求項７】
前記マルチキャストサービスまたはブロードキャストサービスの前記提供源が位置しているサービスネットワークに前記移動通信システムの前記コアネットワークを接続しているゲートウェイが、ユーザの要求またはユーザの存在には関係なく前記マルチキャストサービスまたはブロードキャストサービスが提供される前記１つまたは複数のトラッキングエリアの中の前記各基地局に、セッション制御の前記制御シグナリングをアドレッシングする、請求項５または６に記載の方法。
【請求項８】
前記マルチキャストサービスまたはブロードキャストサービスのセッション制御の前記制御シグナリングが、セッション開始メッセージを備え、
前記マルチキャストサービスまたはブロードキャストサービスのマルチキャスト配信ツリーに参加するため、前記セッション開始メッセージを受信した前記基地局によって、前記コアネットワークのアップストリームルータに参加メッセージを送信するステップ、
をさらに含む、請求項１〜７のいずれか１項に記載の方法。
【請求項９】
前記セッション開始メッセージを受信した前記基地局によって、自身の無線セルの中で、マルチキャストサービスまたはブロードキャストサービスに関連する制御チャネル上で通知を送信するステップ、
をさらに含み、
前記通知が、前記マルチキャストサービスまたはブロードキャストサービスを提供するために使用されるダウンリンク上の無線リソースを示している、請求項８に記載の方法。
【請求項１０】
前記移動管理エンティティが、前記ゲートウェイから受信された、前記マルチキャストサービスまたはブロードキャストサービスのセッション制御の前記制御シグナリングを、前記サービス要求を受信した前記基地局に、または、前記トラッキングエリアの基地局のすべてに、転送する、請求項１〜９のいずれか１項に記載の方法。
【請求項１１】
前記サービス要求が、前記移動端末が登録されている前記少なくとも１つのトラッキングエリアを示し、前記基地局によって送信される前記サービス要求が、前記少なくとも１つのトラッキングエリアを前記移動管理エンティティに示す、請求項１〜１０のいずれか１項に記載の方法。
【請求項１２】
前記移動管理エンティティが、前記ゲートウェイから受信された、前記マルチキャストサービスまたはブロードキャストサービスのセッション制御の制御シグナリングを、前記移動端末が登録されているトラッキングエリアの基地局のすべてに転送する、請求項１〜１１のいずれか１項に記載の方法。
【請求項１３】
前記マルチキャストサービスまたはブロードキャストサービスについて前記ゲートウェイに登録されている移動管理エンティティのリストを、前記ゲートウェイにおいて維持するステップ、
をさらに含む、請求項１〜１２のいずれか１項に記載の方法。
【請求項１４】
前記移動管理エンティティによって前記登録が送信された対象の前記マルチキャストサービスまたはブロードキャストサービスがまだ開始されていないことを示すメッセージを、前記ゲートウェイにおける前記移動管理エンティティの登録に応えて、前記移動管理エンティティにおいて受信するステップと、
受信した前記サービス要求の送信元である前記基地局に、または、前記トラッキングエリアの基地局のすべてに、前記マルチキャストサービスまたはブロードキャストサービスがまだ開始されていないことを、前記移動管理エンティティによって知らせるステップと、
をさらに含む、請求項１〜１３のいずれか１項に記載の方法。
【請求項１５】
前記マルチキャストサービスまたはブロードキャストサービスがまだ開始されていないことが、少なくとも、受信した前記サービス要求の送信元である前記基地局に、または、前記トラッキングエリアの前記基地局に、前記サービス要求に対する応答メッセージによって知らされる、請求項１４に記載の方法。
【請求項１６】
前記マルチキャストサービスまたはブロードキャストサービスがまだ開始されていないことを知らされた各基地局が、前記マルチキャストサービスまたはブロードキャストサービスがまだ開始されていないことを示す通知を自身の無線セルの中で送信するステップ、
をさらに含む、請求項１４または１５に記載の方法。
【請求項１７】
前記基地局の前記通知が、所定の時間期間の間、送信される、請求項１６に記載の方法。
【請求項１８】
前記通知が、マルチキャストサービスまたはブロードキャストサービスに関連するブロードキャスト制御チャネル上で送信される、請求項１６または１７に記載の方法。
【請求項１９】
前記サービス要求が送信される対象の前記マルチキャストサービスまたはブロードキャストサービスを、前記サービス要求が識別子によって識別している、請求項１〜１８のいずれか１項に記載の方法。
【請求項２０】
前記サービス要求が、前記移動端末が登録されている前記少なくとも１つのトラッキングエリアの指示情報を備えている、請求項１９に記載の方法。
【請求項２１】
前記サービス要求が、前記移動端末の識別子もしくは前記基地局の識別子、またはその両方を備えている、請求項１９または２０に記載の方法。
【請求項２２】
前記基地局がホーム基地局であり、前記マルチキャストサービスまたはブロードキャストサービスのセッションアナウンスメントが、前記移動通信システムのマクロセルを介しての受信によって前記移動端末において利用可能である、請求項１に記載の方法。
【請求項２３】
前記基地局がホーム基地局であり、
前記サービス要求を受信した前記ホーム基地局から、前記移動通信システムの前記コアネットワークの中のプロキシゲートウェイにサービス登録要求を送信するステップと、
前記移動通信システムの前記コアネットワークにおいて前記マルチキャストサービスまたはブロードキャストサービスの配信メカニズムを決定する役割を担うネットワーク要素に、前記プロキシゲートウェイによって許可要求メッセージを送信するステップと、
前記ホーム基地局への前記マルチキャストサービスまたはブロードキャストサービスの前記配信メカニズム、を示している許可応答メッセージを、プロキシゲートウェイにおいて受信するステップと、
示された前記配信メカニズムを使用して、前記マルチキャストサービスデータまたはブロードキャストサービスデータを前記ホーム基地局に提供するステップと、
をさらに含む、請求項１〜２２のいずれか１項に記載の方法。
【請求項２４】
前記許可応答メッセージが、前記マルチキャストサービスデータまたはブロードキャストサービスデータを前記プロキシゲートウェイから前記ホーム基地局に提供するために使用される共有ベアラサービスを示し、
前記プロキシゲートウェイによって、前記マルチキャストサービスまたはブロードキャストサービスのマルチキャストグループに参加するステップと、
前記プロキシゲートウェイから前記ホーム基地局にセッション制御シグナリングを提供するステップと、
をさらに含む、請求項２３に記載の方法。
【請求項２５】
移動通信ネットワークにおいて使用するための基地局であって、前記移動通信ネットワークのトラッキングエリアに関連付けられ、前記通信ネットワークの中でマルチキャストサービスまたはブロードキャストサービスが提供され、
前記マルチキャストサービスまたはブロードキャストサービスのサービス要求を移動端末から受信する受信器ユニットと、
前記基地局と、オプションとして前記トラッキングエリアのさらなる基地局とへの、セッション制御の制御シグナリングの配信、をトリガーするサービス要求を、移動端末の前記サービス要求に応えて送信する送信器ユニットと、
を備えている、基地局。
【請求項２６】
前記送信器ユニットが、前記サービス要求を前記移動通信システムの前記コアネットワークの中の移動管理エンティティに送信する、請求項２５に記載の基地局。
【請求項２７】
前記受信器ユニットが、前記移動管理エンティティからのセッション制御の前記制御シグナリングを受信する、請求項２６に記載の基地局。
【請求項２８】
前記マルチキャストサービスまたはブロードキャストサービスのセッション制御の前記制御シグナリングが、セッション開始メッセージを備え、前記基地局の前記送信器ユニットが、セッション開始メッセージの受信に応えて、前記マルチキャストサービスまたはブロードキャストサービスのマルチキャスト配信ツリーに参加するため、前記コアネットワークのアップストリームルータに参加メッセージを送信する、請求項２５〜２７のいずれか１項に記載の基地局。
【請求項２９】
前記送信器ユニットが、自身の無線セルの中でマルチキャストサービスまたはブロードキャストサービスに関連する制御チャネル上で通知を送信し、前記通知が、マルチキャストサービスまたはブロードキャストサービスを提供するために使用されるダウンリンク上の無線リソースを示している、請求項２８に記載の基地局。
【請求項３０】
前記受信器ユニットが、前記サービス要求に応えて、前記マルチキャストサービスまたはブロードキャストサービスがまだ開始されていないことの指示情報を受信し、
前記送信器ユニットが、前記指示情報に応えて、前記マルチキャストサービスまたはブロードキャストサービスがまだ開始されていないことを示す通知を、自身の無線セルの中で送信する、
請求項２５〜２９のいずれか１項に記載の基地局。
【請求項３１】
前記送信器ユニットが、前記通知を所定の時間期間の間、送信する、請求項３０に記載の基地局。
【請求項３２】
ユーザの要求またはユーザの存在には関係なく前記マルチキャストサービスまたはブロードキャストサービスが提供されるトラッキングエリアの中に、位置していない、請求項２５〜３１のいずれか１項に記載の基地局。
【請求項３３】
移動通信ネットワークの中で使用するための移動端末であって、
マルチキャストサービスまたはブロードキャストサービスのサービス要求を基地局に送信する送信器ユニット、
を備え、
前記移動端末において利用可能である、前記マルチキャストサービスまたはブロードキャストサービスのセッションアナウンスメントに基づいて、前記サービス要求を送信し、
前記セッションアナウンスメントは、前記マルチキャストサービスまたはブロードキャストサービスが利用可能であることをアナウンスしている、
移動端末。
【請求項３４】
前記移動端末の受信器ユニットによって受信される通知が、前記マルチキャストサービスまたはブロードキャストサービスがまだ開始されていないことを示している場合、サービス要求を送信しない、請求項３３に記載の移動端末。
【請求項３５】
請求項２５〜３２のいずれか１項に記載の基地局、もしくは、請求項３３または３４に記載の移動端末、またはその両方を備えている、移動通信システム。
【請求項３６】
前記基地局を処理担当する移動管理エンティティと、
前記移動通信システムの前記コアネットワークを、前記マルチキャストサービスまたはブロードキャストサービスの提供源が位置しているサービスネットワークに接続するゲートウェイと、
をさらに備えている、請求項３５に記載の移動通信システム。
【請求項３７】
請求項１〜２４のいずれか１項に記載の方法のステップ群を実行する、請求項３７に記載の移動通信システム。
【請求項３８】
命令を格納しているコンピュータ可読媒体であって、
前記命令が基地局のプロセッサによって実行されたとき、移動通信ネットワークのトラッキングエリアに関連付けられている前記基地局が、
前記移動通信ネットワークにおいて提供されるマルチキャストサービスまたはブロードキャストサービスのサービス要求を移動端末から受信し、
前記基地局と、オプションとして前記トラッキングエリアのさらなる基地局とへの、セッション制御の制御シグナリングの配信、をトリガーするサービス要求を、移動端末の前記サービス要求に応えて送信する、
コンピュータ可読媒体。
【請求項３９】
命令を格納しているコンピュータ可読媒体であって、
前記命令が移動端末のプロセッサによって実行されたとき、前記移動端末が、
マルチキャストサービスまたはブロードキャストサービスのサービス要求を基地局に送信し、
前記移動端末において利用可能である、前記マルチキャストサービスまたはブロードキャストサービスのセッションアナウンスメントに基づいて、前記サービス要求を送信し、
前記セッションアナウンスメントは、前記マルチキャストサービスまたはブロードキャストサービスが利用可能であることをアナウンスしている、
コンピュータ可読媒体。
【請求項４０】
命令をさらに格納し、前記命令が前記移動端末の前記プロセッサによって実行されたとき、
前記移動端末によって受信される通知が、前記マルチキャストサービスまたはブロードキャストサービスがまだ開始されていないことを示している場合、前記移動端末がサービス要求を送信することを禁止される、
請求項３９に記載のコンピュータ可読媒体。
【請求項４１】
移動通信システムの中のフェムトセルを制御するホーム基地局への、マルチキャストサービスまたはブロードキャストサービスの配信メカニズム、を決定する方法であって、
前記マルチキャストサービスまたはブロードキャストサービスのサービス識別子と、位置情報とを、前記移動通信システムのコアネットワークの中で前記マルチキャストサービスまたはブロードキャストサービスの前記配信メカニズムを決定する役割を担うネットワーク要素において受信するステップと、
前記ホーム基地局が前記移動通信システムの中の前記マルチキャストサービスまたはブロードキャストサービスのサービスエリアの中に位置しているかを、受信された前記位置情報および前記サービス識別子に基づいて判定する判定ステップと、
前記マルチキャストサービスまたはブロードキャストサービスのサービスデータを前記ホーム基地局に提供するための前記配信メカニズムとして、共有ベアラサービスまたは専用ベアラサービスを、判定結果に基づいて選択するステップと、
を含む方法。
【請求項４２】
前記ホーム基地局が前記サービスエリアの中に位置している場合、前記マルチキャストサービスデータまたはブロードキャストサービスデータを前記移動通信システムの前記コアネットワークの中のプロキシゲートウェイから前記ホーム基地局に提供するために共有ベアラサービスが使用され、
前記ホーム基地局が前記サービスエリアの外側に位置している場合、前記マルチキャストサービスまたはブロードキャストサービスの前記サービスデータを前記ホーム基地局に提供するために専用ベアラサービスが使用される、
請求項４１に記載の方法。
【請求項４３】
前記位置情報が、前記ホーム基地局の位置に関する情報、もしくは、マクロセルレベルにおける移動端末の位置に関する情報、またはその両方である、請求項４１または４２に記載の方法。
【請求項４４】
移動端末による前記マルチキャストサービスのサービス要求に応えて、前記マルチキャストサービスまたはブロードキャストサービスの前記サービス識別子と、前記位置情報とが、前記コアネットワークの中の前記ネットワーク要素において受信される、請求項４１〜４３のいずれか１項に記載の方法。
【請求項４５】
前記マルチキャストサービスまたはブロードキャストサービスの前記サービス識別子と、前記位置情報とが、プロキシゲートウェイから、または前記移動端末から、前記コアネットワークの中の前記ネットワーク要素において受信される、請求項４４に記載の方法。
【請求項４６】
前記マルチキャストサービスまたはブロードキャストサービスの前記サービス識別子と、前記位置情報とが前記移動端末によって送信される場合、前記ホーム基地局において受信される前記サービス要求に応えて、前記ホーム基地局から前記移動端末に前記位置情報を送信するステップ、
をさらに含む、請求項４５に記載の方法。
【請求項４７】
サービスを共有ベアラによって前記ホーム基地局に配信することが、前記マルチキャストサービスまたはブロードキャストサービスのサービス設定において許可されるかを、前記コアネットワークの中の前記ネットワーク要素においてチェックするステップと、
許可されない場合、たとえ前記ホーム基地局が前記マルチキャストサービスまたはブロードキャストサービスの前記サービスエリアの中に位置していても、専用ベアラサービスを使用して前記マルチキャストサービスまたはブロードキャストサービスを前記ホーム基地局に配信するステップと、
をさらに含む、請求項４１〜４６のいずれか１項に記載の方法。
【請求項４８】
前記ホーム基地局が、前記コアネットワークのセキュリティゲートウェイへのセキュアなトンネルを介して、前記移動通信システムの前記コアネットワークに接続される、請求項４１〜４７のいずれか１項に記載の方法。
【請求項４９】
前記マルチキャストサービスデータまたはブロードキャストサービスデータが、共有ベアラサービスを使用して前記ホーム基地局に提供され、
前記移動通信システムの前記コアネットワークまたはアクセスネットワークの中に位置しているプロキシゲートウェイが、前記マルチキャストサービスデータまたはブロードキャストサービスデータのマルチキャストに参加するステップ、
をさらに含む、請求項４１〜４８のいずれか１項に記載の方法。
【請求項５０】
前記マルチキャストサービスデータまたはブロードキャストサービスデータを前記プロキシゲートウェイから前記ホーム基地局に転送するステップ、
をさらに含む、請求項４９に記載の方法。
【請求項５１】
前記位置情報が、前記マクロセルレベルにおける移動端末の位置に関する情報であり、前記ホーム基地局が前記マルチキャストサービスまたはブロードキャストサービスの前記サービスエリアの中に位置しているかを判定する前記判定ステップが、
前記移動端末が位置している前記サービスエリアの１つまたは複数のサービスエリア識別子を、前記移動端末の位置に基づいて識別するステップと、
前記１つまたは複数のサービスエリア識別子のうちの１つが、前記マルチキャストサービスまたはブロードキャストサービスの前記サービスエリアのサービスエリア識別子であるかを判定するステップと、
を含む、請求項４１〜５５のいずれか１項に記載の方法。
【請求項５２】
前記移動通信システムが、前記ホーム基地局によって制御される前記フェムトセルと、少なくとも１つの基地局によって制御されるマクロセルとを備え、前記ホーム基地局と、前記マクロセルを制御する前記少なくとも１つの基地局とが、同じアクセス技術を使用している、請求項４１〜５１のいずれか１項に記載の方法。
【請求項５３】
ホーム基地局と、移動端末と、前記ホーム基地局へのマルチキャストサービスまたはブロードキャストサービスの配信メカニズムを決定する役割を担う、コアネットワークの中のネットワークエンティティと、を備えている移動通信システムであって、前記ホーム基地局と、前記移動端末と、前記ネットワークエンティティとが、請求項４１〜５２のいずれか１項に記載の方法を実行するように構成されている、移動通信システム。
【請求項５４】
移動通信システムにおいて使用するためのプロキシゲートウェイであって、マルチキャストプロキシ機能をホーム基地局に提供し、
前記プロキシゲートウェイが、
マルチキャストサービスまたはブロードキャストサービスのサービス識別子と、位置情報とを備えている許可要求メッセージを、前記移動通信システムのコアネットワークの中で前記マルチキャストサービスまたはブロードキャストサービスの配信メカニズムを決定する役割を担うネットワーク要素に送信する送信器ユニットと、
前記許可要求メッセージに対する許可応答メッセージであって、前記マルチキャストサービスまたはブロードキャストサービスのサービスデータを前記ホーム基地局に提供するために共有ベアラサービスが使用されるのか専用ベアラサービスが使用されるのかを示している許可応答メッセージを、受信する受信器ユニットと、
を備え、
共有ベアラサービスが使用される場合、前記プロキシゲートウェイが、前記サービスデータのマルチキャストを受信するために前記マルチキャストサービスまたはブロードキャストサービスのマルチキャストグループに参加し、前記ホーム基地局に関連するセッション制御シグナリングを転送する、
プロキシゲートウェイ。
【請求項５５】
前記マルチキャストサービスまたはブロードキャストサービスの前記サービスデータを受信して前記ホーム基地局に転送する、請求項５４に記載のプロキシゲートウェイ。
【請求項５６】
前記位置情報が、前記ホーム基地局の位置に関する情報、もしくは、マクロセルレベルにおける移動端末の位置に関する情報、またはその両方である、請求項５４または５５に記載のプロキシゲートウェイ。
【請求項５７】
移動端末による前記マルチキャストサービスのサービス要求に応えて、前記マルチキャストサービスまたはブロードキャストサービスの前記サービス識別子と、前記位置情報とが、前記コアネットワークの中の前記ネットワーク要素に送信される、請求項５４〜５６のいずれか１項に記載のプロキシゲートウェイ。
【請求項５８】
前記受信器ユニットが、前記ホーム基地局において受信される移動端末からのサービス要求、または前記ホーム基地局の電源投入に応えて、前記ホーム基地局からの前記位置情報、を受信する、請求項５４〜５７のいずれか１項に記載のプロキシゲートウェイ。
【請求項５９】
移動通信システムにおいて使用するためのホーム基地局であって、前記移動通信システムのコアネットワークの中のプロキシゲートウェイに位置情報を送信する送信器ユニット、を備え、
前記送信器ユニットが、マルチキャストサービスまたはブロードキャストサービスのサービス登録要求メッセージを、前記ホーム基地局のフェムトセルにアタッチしている移動端末からの対応する要求に応えて、前記プロキシゲートウェイに送信し、
前記ホーム基地局が、前記サービス登録要求メッセージに対する応答を受信する受信器ユニット、をさらに備え、前記応答メッセージが、前記マルチキャストサービスまたはブロードキャストサービスが移動端末と前記マルチキャストサービスまたはブロードキャストサービスの提供源との間の専用サービスを介して前記移動端末に提供されるのか、あるいは、前記マルチキャストサービスまたはブロードキャストサービスのサービスデータを、前記フェムトセルの中でさらに配信されるように前記ホーム基地局に配信するため、共有ベアラサービスが使用されるのか、を示している、
ホーム基地局。
【請求項６０】
前記プロキシゲートウェイから要求されたとき、または前記ホーム基地局が前記移動通信システムに接続されるとき、または前記サービス登録要求メッセージの一部として、前記位置情報を前記プロキシゲートウェイに送信する、請求項５９に記載のホーム基地局。
【請求項６１】
前記サービス登録要求メッセージに対する前記応答が、前記マルチキャストサービスまたはブロードキャストサービスのサービスデータを、前記フェムトセルの中でさらに配信されるように前記ホーム基地局に配信するため、前記共有ベアラサービスが使用されることを示している場合、前記ホーム基地局によって制御される前記フェムトセルの中で、前記マルチキャストサービスまたはブロードキャストサービスのサービス通知をブロードキャストする、請求項５９または６０に記載のホーム基地局。
【請求項６２】
前記サービス登録要求メッセージに対する前記応答が、前記マルチキャストサービスまたはブロードキャストサービスが前記移動端末と前記マルチキャストサービスまたはブロードキャストサービスの前記提供源との間の専用サービスを介して提供されること、を示している場合、前記マルチキャストサービスまたはブロードキャストサービスの、移動端末の前記サービス要求を、拒否する、請求項５９〜６１のいずれか１項に記載のホーム基地局。
【請求項６３】
移動通信システムにおいて使用するための移動端末であって、自身のホーム基地局にアタッチし、
マルチキャストサービスまたはブロードキャストサービスのサービス要求メッセージを送信し、さらに、マクロセルレベルにおける前記移動端末の位置に関する位置情報を、前記フェムトセルを制御している前記ホーム基地局に送信する送信器ユニットと、
前記マルチキャストサービスまたはブロードキャストサービスのサービスデータを受信する受信器ユニットと、
を備え、
前記受信器ユニットが、前記サービス要求メッセージに応えて前記ホーム基地局によって前記フェムトセルの中でブロードキャストされるサービス通知に示されているサービスの設定に従って、前記サービスデータを受信する、または、前記サービス要求メッセージに応えて前記ホーム基地局から前記サービス要求の拒否が受信される場合、前記移動端末と前記マルチキャストサービスまたはブロードキャストサービスの提供源との間の専用ベアラサービスを使用する、
移動端末。
【請求項６４】
移動通信システムにおいて使用するための移動端末であって、自身のホーム基地局にアタッチし、
マルチキャストサービスまたはブロードキャストサービスのサービス要求メッセージを、前記フェムトセルを制御している前記ホーム基地局に送信する送信器ユニットと、
前記サービス要求メッセージに応えて、前記移動端末が前記ホーム基地局を許可するためのトリガーである許可要求メッセージを前記ホーム基地局から受信する受信器ユニットと、
を備え、
前記移動端末が、許可要求メッセージを、前記移動通信システムのコアネットワークのネットワーク要素に送信し、
前記許可要求メッセージが、前記要求されるマルチキャストサービスまたはブロードキャストサービスの前記サービスエリアの中に前記ホーム基地局が位置しているかを、前記コアネットワークの前記ネットワーク要素が判定することを可能にする位置情報と、前記マルチキャストサービスまたはブロードキャストサービスのサービス識別子と、を備え、
前記移動端末が、前記許可要求メッセージに対する応答メッセージを受信し、前記応答メッセージが、要求された前記マルチキャストサービスまたはブロードキャストサービスを配信することを前記ホーム基地局が許可されるのか、または、前記マルチキャストサービスまたはブロードキャストサービスの提供源における専用ベアラサービスを介しての配信を前記移動端末が要求するべきであるのか、を示している、
移動端末。
【請求項６５】
前記受信器ユニットが、前記許可要求メッセージに対する前記応答メッセージに応じて、前記サービス要求メッセージに応えて前記ホーム基地局によって前記フェムトセルの中でブロードキャストされるサービス通知に示されているサービスの設定に従って、サービスデータを受信する、または、前記サービス要求メッセージに応えて前記サービス要求の拒否が前記ホーム基地局から受信される場合、前記移動端末と前記マルチキャストサービスまたはブロードキャストサービスの前記提供源との間の専用ベアラサービスを使用して、前記サービスデータを受信する、
請求項６４に記載の移動端末。
【請求項６６】
命令を格納しているコンピュータ可読媒体であって、
前記命令がプロキシゲートウェイのプロセッサによって実行されたとき、前記プロキシゲートウェイが、
マルチキャストサービスまたはブロードキャストサービスのサービス識別子と、位置情報とを備えている許可要求メッセージを、前記移動通信システムのコアネットワークの中で前記マルチキャストサービスまたはブロードキャストサービスの配信メカニズムを決定する役割を担っているネットワーク要素に送信するステップと、
前記許可要求メッセージに対する許可応答メッセージであって、前記マルチキャストサービスまたはブロードキャストサービスのサービスデータを前記ホーム基地局に提供するために共有ベアラサービスが使用されるのか専用ベアラサービスが使用されるのかを示している許可応答メッセージを、受信するステップと、
によって、マルチキャストプロキシ機能をホーム基地局に提供し、
共有ベアラサービスが使用される場合、前記命令にさらに起因して前記プロキシゲートウェイが、前記サービスデータのマルチキャストを受信するために前記マルチキャストサービスまたはブロードキャストサービスのマルチキャストグループに参加し、前記ホーム基地局に関連するセッション制御シグナリングを転送する、
コンピュータ可読媒体。
【請求項６７】
命令を格納しているコンピュータ可読媒体であって、
前記命令がホーム基地局のプロセッサによって実行されたとき、前記ホーム基地局が、
前記移動通信システムのコアネットワークの中のプロキシゲートウェイに位置情報を送信し、
マルチキャストサービスまたはブロードキャストサービスのサービス登録要求メッセージを、前記ホーム基地局のフェムトセルにアタッチしている移動端末からの対応する要求に応えて、前記プロキシゲートウェイに送信し、
前記サービス登録要求メッセージに対する応答を受信し、前記応答メッセージが、前記マルチキャストサービスまたはブロードキャストサービスが移動端末と前記マルチキャストサービスまたはブロードキャストサービスの提供源との間の専用サービスを介して前記移動端末に提供されるのか、または、前記マルチキャストサービスまたはブロードキャストサービスのサービスデータを、前記フェムトセルの中でさらに配信されるように前記ホーム基地局に配信するため、共有ベアラサービスが使用されるのか、を示している、
コンピュータ可読媒体。
【請求項６８】
命令を格納しているコンピュータ可読媒体であって、
前記命令が移動端末のプロセッサによって実行されたとき、前記移動端末が、
マルチキャストサービスまたはブロードキャストサービスのサービス要求メッセージを送信し、マクロセルレベルにおける前記移動端末の位置に関する位置情報を、フェムトセルを制御しているホーム基地局に送信し、
前記マルチキャストサービスまたはブロードキャストサービスのサービス通知を受信し、
前記サービス要求メッセージに応えて前記ホーム基地局によって前記フェムトセルの中でブロードキャストされるサービス通知に示されているサービスの設定に従って、前記サービスデータを受信する、または、前記サービス要求メッセージに応えて前記ホーム基地局から前記サービス要求の拒否が受信される場合、前記移動端末と前記マルチキャストサービスまたはブロードキャストサービスの提供源との間の専用ベアラサービスを使用する、
コンピュータ可読媒体。
【請求項６９】
命令を格納しているコンピュータ可読媒体であって、
前記命令が移動端末のプロセッサによって実行されたとき、前記移動端末が、
マルチキャストサービスまたはブロードキャストサービスのサービス要求メッセージを、フェムトセルを制御している前記ホーム基地局に送信し、
前記サービス要求メッセージに応えて、前記移動端末が前記ホーム基地局を許可するためのトリガーである許可要求メッセージを、前記ホーム基地局から受信し、
許可要求メッセージを前記移動通信システムのコアネットワークのネットワーク要素に送信し、前記許可要求メッセージが、前記要求されるマルチキャストサービスまたはブロードキャストサービスの前記サービスエリアの中に前記ホーム基地局が位置しているかを、前記コアネットワークの前記ネットワーク要素が判定することを可能にする位置情報と、前記マルチキャストサービスまたはブロードキャストサービスのサービス識別子と、を備え、
前記命令にさらに起因して前記移動端末が、前記許可要求メッセージに対する応答メッセージを受信し、前記応答メッセージが、前記要求されたマルチキャストサービスまたはブロードキャストサービスを配信することを前記ホーム基地局が許可されるのか、または、前記マルチキャストサービスまたはブロードキャストサービスの提供源における専用ベアラサービスを介しての配信を前記移動端末が要求するべきであるのか、を示している、
コンピュータ可読媒体。
【発明の詳細な説明】
【技術分野】
【０００１】
本発明は、移動通信ネットワークにおけるマルチキャストサービスまたはブロードキャストサービスのセッション制御の制御シグナリングを配信する方法に関する。さらに、本発明は、提案する方法を実行する基地局、移動端末、および通信システムを提供する。
【背景技術】
【０００２】
３ＧＰＰ  ＬＴＥ（ロングタームエボリューション）とＬＴＥにおけるＭＢＭＳ
マルチキャスト／ブロードキャストサービス（ＭＢＭＳ）のためのアーキテクチャは、３ＧＰＰにおけるＬＴＥ／ＳＡＥ標準化の一部として議論されている（ＳＡＥ＝システムアクセスエボリューション（System Access Evolution））。この進化したサービスアーキテクチャは、以前のリリースのアーキテクチャと区別する目的で、場合によってはＥ−ＭＢＭＳとも称される。同様に、ＬＴＥネットワークは、従来のＵＭＴＳ  ＵＴＲＡＮ（地上無線アクセスネットワーク：Terrestrial Radio Access Network）と区別する目的で、Ｅ−ＵＴＲＡＮとも称される。
【０００３】
一般的に、Ｅ−ＭＢＭＳサービスは特定のエリアの中で利用可能であり、このエリアを通常ではＭＢＭＳサービスエリアと称する。このサービスエリアは、事業者の構成設定（configuration）に応じて、事業者のＰＬＭＮ（公衆陸上移動網：Public Land Mobile Network）全体にわたることもあれば、ＰＬＭＮのサブセットのみをカバーすることもある。ＰＬＭＮ規模のサービスの例は、ニュースブロードキャストである。対照的に、交通情報などのサービスは、特定の地域を対象とするサービスの代表的な例であり、したがって、適切なＭＢＭＳサービスエリアはＰＬＭＮのサブセットをカバーするのみである。
【０００４】
Ｅ−ＵＴＲＡＮにおけるＥ−ＭＢＭＳの送信は、現時点において非特許文献１（http://www.3gpp.orgにおいて入手可能であり、この参照をもって本願に繰り入れるものとする）に指定されているように、シングルセル送信またはマルチセル送信のいずれかである。
【０００５】
マルチセル送信（マルチセルＰＴＭ）では、複数のセルからのＭＢＭＳ送信を結合することがサポートされる。このタイプの送信は、単一周波数ネットワーク（ＳＦＮ）送信とも称される。マルチセル送信は、単一周波数ネットワークの特定の要求条件（例えば、同じデータを正確に同一時刻および同一周波数にて送信するための厳密な時間同期）をサポートしているセルにおいて利用可能である。これらの要求条件を満たすすべてのセルは、いわゆるＭＢＳＦＮエリアに属しており、ＭＢＳＦＮエリアは、一般にはＭＢＭＳサービスエリアのうちユーザ密度の高い部分（例：都市の中心）をカバーする。
【０００６】
その一方で、シングルセル送信（シングルセルＰＴＭ）は、特定のセルのカバレッジにおいてのみ送信される。一般には、ユーザ密度の低い、ＭＢＳＦＮエリアの外側において使用される。このエリアは、通常ではＭＢＭＳサービスエリアのうちの大きい方の部分である。
【０００７】
非特許文献２（http://www.3gpp.org/ftp/tsg_ran/WG3_Iu/TSGR3_55/docs/において入手可能である）に記載されているように、Ｅ−ＭＢＭＳサービスは、以下の２つのモードの一方において提供することができる。
【０００８】
−  ＭＢＭＳブロードキャストモード（MBMS Broadcast mode）：ＭＢＭＳサービスは、ＵＥの位置あるいは数に関係なく、ＭＢＭＳサービスエリアの中の全域において送信される。ＵＥは、ＭＢＭＳを受信するためにＲＲＣアイドル状態から脱する必要はない。
【０００９】
−  ＭＢＭＳエンハンストブロードキャストモード（MBMS Enhanced Broadcast mode）：ＭＢＭＳサービスはＭＢＭＳサービスエリアの全域においては送信されず、ネットワークによってＵＥの位置および数を考慮することができる。ＵＥは、ＭＢＭＳを受信するためにはＲＲＣアイドル状態を脱する必要があり得る。
【００１０】
現在検討されているＥ−ＭＢＭＳサービスのためのアーキテクチャは、非特許文献３（http://www.3gpp.orgにおいて入手可能であり、この参照をもって本願に繰り入れるものとする）に記載されており、このアーキテクチャでは、ＭＢＭＳサービスの提供に関連する特定の機能をそれぞれが満たすいくつかの論理エンティティが指定されている。これらの論理エンティティを、ＬＴＥ／ＳＡＥシステム用に指定されているエンティティに統合する方式として、いくつかのオプションが存在しうる。場合によっては、Ｅ−ＭＢＭＳアーキテクチャのエンティティの一部またはすべてを、ＬＴＥ／ＳＡＥシステムのエンティティとは個別のエンティティとすることもできる。以下では、例示的なＥ−ＭＢＭＳアーキテクチャについて図１を参照しながら説明する。
【００１１】
最も高いレベルには、移動ネットワーク事業者のサービスネットワークの一部として、いわゆるブロードキャスト／マルチキャストサービスセンター（ＢＭ−ＳＣ）が属しており、Ｅ−ＵＴＲＡＮの場合にはｅＢＭ−ＳＣと称される。このｅＢＭ−ＳＣは、コンテンツプロバイダのＥ−ＭＢＭＳ送信のエントリポイントまたは提供源を構成している。ｅＢＭ−ＳＣの他の主たる機能としては、Ｅ−ＭＢＭＳサービスの許可および制御（例えば、セッション開始指示情報あるいはセッション停止指示情報の送信）が挙げられる。さらに、ｅＢＭ−ＳＣは、サービスを希望するユーザにサービスアナウンスメント情報を提供することもできる。オプションとして、ｅＢＭ−ＳＣは、移動ネットワークプロバイダとは異なるサービスプロバイダのネットワークの一部であることもできる。このような場合、一般には、２つのプロバイダの間に何らかの特殊な契約関係が存在し、サービスプロバイダがコンテンツを提供し、移動ネットワークプロバイダは、コンテンツを配信するための手段を提供する。
【００１２】
移動通信ネットワークは、一般には、論理レベルにおいてコアネットワーク（ＣＮ）と無線アクセスネットワーク（ＲＡＮ）とに分かれている。コアネットワークは、共通の機能（認証、許可、およびアカウンティング（ＡＡＡ）など）をホストするのに対して、無線アクセスネットワークは、採用する技術に依存する機能（エアインタフェースなど）を提供する。
【００１３】
コアネットワークの中のエンティティのうち、Ｅ−ＭＢＭＳサービスを処理する役割を担うエンティティは、Ｅ−ＭＢＭＳゲートウェイ（Ｅ−ＭＢＭＳ  ＧＷ）と称することがある。Ｅ−ＭＢＭＳゲートウェイの主たる機能は、ｅＢＭ−ＳＣへのインタフェースを終端することと、移動通信ネットワークにおいてＥ−ＭＢＭＳサービスのユーザプレーン（U-plane）パケットを配信することである。上述したＳＦＮ送信モードに関連して、無線アクセスネットワークによるエアインタフェース上での同期送信を可能にするプロトコル（ＳＹＮＣプロトコル）を提供することも、Ｅ−ＭＢＭＳゲートウェイの機能に含めることができる。
【００１４】
これらのユーザプレーン機能に加えて、Ｅ−ＭＢＭＳ  ＧＷは、Ｅ−ＭＢＭＳサービスに関連する制御プレーン（C-plane）機能も備えていることができる。例えば、Ｅ−ＭＢＭＳ  ＧＷは、コアネットワークと無線ネットワークとの間のセッション制御シグナリング（例えば、セッション開始シグナリング、セッション停止シグナリング）を処理することができる。なお、Ｅ−ＭＢＭＳ  ＧＷは論理エンティティであり、説明したユーザプレーン機能および制御プレーン機能は、同じノードに統合する、あるいは論理インタフェースによって接続されている複数の異なるノードに分けることができることに留意されたい。例えば、非特許文献３には、上述した制御プレーン機能を提供するＭＢＭＳ１エンティティと、ユーザプレーン機能を提供するＭＢＭＳ２エンティティとが記載されている。
【００１５】
Ｅ−ＭＢＭＳアーキテクチャに関連するコアネットワークの中の別のエンティティを、ユーザの移動を処理するエンティティとすることができる。ＬＴＥ／ＳＡＥアーキテクチャにおいては、このエンティティを移動管理エンティティ（ＭＭＥ）と称する。このエンティティの主たる機能は、その名前が示すように、ＵＥの移動の管理である。この機能は特に重要であり、なぜなら、Ｅ−ＭＢＭＳサービスを受信するときにＵＥがアイドル状態でありうるためである。ＵＥの移動は、アクティブ状態においては無線アクセスネットワーク（ＲＡＮ）レベルにおいてセル単位の精度で追跡されるのに比べて、アイドル状態においては、一般にはコアネットワーク（ＣＮ）レベルにおいて粗い粒度でのみ追跡される。
【００１６】
すでに前述したように、ＳＦＮ送信モードを達成するためには、複数のセルにおいて同じデータを正確に同じ時刻および同じ周波数にて送信しなければならない。時間リソースおよび周波数リソース（リソースブロックとも称される）の割り当ては、無線リソース管理（ＲＲＭ）の代表的な機能である。ＳＦＮ送信のためには、いくつかのセルにおいて同じＲＲＭ割り当てを使用しなければならず、この機能は、ＬＴＥ／ＳＡＥアーキテクチャにおいては個別の論理エンティティ（マルチセル調整エンティティ（ＭＣＥ：Multi-cell Coordination Entity））において実行することができる。この場合も、このエンティティを物理的にどこに位置させるかに関して、いくつかのオプションが存在しうる。ＭＣＥは、ＲＡＮまたはＣＮの中の単独の専用エンティティとすることができる。あるいは、ＲＡＮまたはＣＮの中の別のノードにＭＣＥを統合することもできる。例えば、ＭＥＣを、セルを処理担当している無線基地局の一部とすることができる。別の例においては、ＭＣＥを事業者の運用・保守（Ｏ＆Ｍ）プラットフォームの中に統合することができる。
【００１７】
最も低いレベルにおいては、無線アクセスネットワークの一部として、いくつかの（無線）基地局が設けられている。ＬＴＥ／ＳＡＥシステムにおいては、これらのエンティティはｅノードＢ（ｅノードＢ：ｅＮＢ）と称される。ｅノードＢは、Ｅ−ＭＢＭＳサービスに関連する制御プレーン機能およびユーザプレーン機能を備えている。ユーザプレーンに関連する主たる機能は、当然ながら、Ｅ−ＭＢＭＳサービスデータをセルに送信することである。例えば、ＳＡＥ／ＬＴＥシステムにおいては、サービスデータは、一般に論理チャネル（ＭＢＭＳトランスポートチャネル（ＭＴＣＨ）など）上で送信される。送信モード（すなわち、シングルセル送信またはマルチセル送信）に応じて、ｅノードＢとＭＣＥとの間で同期およびＲＲＭ情報を交換することによってＳＦＮ送信を達成することができ、シングルセル送信の場合にはノードＢが自身の裁量で送信をスケジューリングすることができる。ｅノードＢのさらなる機能は、ネットワーク（例えばＥ−ＭＢＭＳ  ＧＷ）へのユーザプレーンインタフェースを終端することである。ネットワークへのインタフェースは、サービスデータをｅＮＢに配信する目的でユニキャストまたはマルチキャストを利用することができる。
【００１８】
一般に、ユーザプレーンは、制御プレーン機能によって制御および設定される。Ｅ−ＭＢＭＳアーキテクチャとの関連では、セッション開始シグナリングの処理は、制御プレーン機能の一例である。マルチキャストが利用される場合、ｅノードＢが送信に参加できるように、サービスデータに対して使用されるＩＰマルチキャストアドレスを、セッション開始シグナリングを通じてｅノードＢに知らせることができる。基地局が備えることのできる別の制御プレーン機能は、アイドルモードのＵＥがＥ−ＭＢＭＳサービスを受信できるようにサポートすることである。すでに上述したように、アイドルモードのＵＥは、通常ではｅノードＢによって認識されない。存在する可能性のあるＵＥに、Ｅ−ＭＢＭＳサービスが利用可能であることを知らせる目的で、基地局は、利用可能なサービスに関する何らかの種類の通知を、自身のサービスエリア（（１つ以上の）無線セル）の中で共通の論理チャネル上で送信することができる。例えば、ＳＡＥ／ＬＴＥシステムにおいては、この共通の論理チャネルはマルチキャスト制御チャネル（ＭＣＣＨ）である。
【００１９】
エアインタフェース上の無線リソースが不必要に割り当てられることを回避する目的で、ｅノードＢは、Ｅ−ＭＢＭＳサービスを希望する少なくとも１人のユーザが自身のセルの中に存在しているかの確認を試みることができる。例えば、ＬＴＥシステムにおいては、この手順はカウンティング（またはポーリング）と称される。
【００２０】
ＵＥは、Ｅ−ＭＢＭＳアーキテクチャに直接的には属さないが、当然ながら密接に関連しており、配信されるＭＢＭＳサービスデータを最終的に受信する。ユニキャストサービスの場合とは異なり、個々のＵＥと、それぞれのセルを制御するｅノードＢとの間での直接的なシグナリングは要求されない。上述したように、ＵＥはアイドル状態においてＭＢＭＳサービスを受信することができる。
【００２１】
ＵＥの観点からは、ＭＢＭＳサービスを受信するうえで必要な基本的な情報は、一般にはサービスアナウンスメントと称される。サービスアナウンスメントは、サービスに関連するパラメータ（例えば、一時的移動グループ識別情報（ＴＭＧＩ：Temporary Mobile Group Identity）などのサービス識別子）をユーザに配信するために使用される。この情報により、ＵＥは、自身の現在のセルにおける希望するサービスの可用性について、例えばＭＣＣＨ上での通知を検出することができる。例えば、通知されたサービス識別子が、ＵＥ側に格納されているサービスアナウンスメントの１つに含まれているサービス識別子と一致する場合、ＵＥは、通知の詳細（例えば、ＵＥがセルの中でサービスデータを受信できるようにする対応する無線ベアラの設定）を読み取る。
【００２２】
ＵＥは、いくつかの方法によってサービスアナウンスメントを取得することができる。サービスアナウンスメント情報は、一般的には、標準化された形式において提供することができる。例えば、３ＧＰＰリリース６では、この目的のためＭＢＭＳユーザサービス記述（MBMS User Service Description）が定義されている。サービスアナウンスメントを提供するための１つの可能な方法は、モバイル事業者によって提供されるサービスに、（直接的に、またはサードパーティのコンテンツプロバイダを介して間接的に）ユーザが加入することである。この場合、モバイル事業者は、適切なサービスアナウンスメントも提供する。別の可能な方法は、何らかの周知の場所（例えばＷｅｂサイト上）からサービスアナウンスメント情報が利用できるようにすることである。その他のオプションとしては、電子メールあるいはメッセージングサービス（例えば、ＳＭＳ（ショートメッセージサービス：Short Message Service）、ＭＭＳ（マルチメディアメッセージングサービス：Multimedia Messaging Service）を介して、サービスアナウンスメントを受信することができる。さらには、サービスアナウンスメントをＭＢＭＳサービスのコンテンツの一部とする（例えば、別のＭＢＭＳサービスの専用アナウンスメントチャネル）ことも可能である。
【００２３】
図２は、サービスの提供を開始するための、ネットワークにおける従来の例示的なシグナリングフローを示している。Ｅ−ＭＢＭＳ  ＧＷ  １０２は、ｅＢＭ−ＳＣ  １０１からセッション開始の指示情報を受信すると、ＭＢＭＳサービスエリア（図１の例においては、ＭＢＭＳサービスエリアはｅノードＢ  １０５〜１０８によって処理担当される無線セルに対応している）の中のすべてのｅノードＢ  １０５〜１０８に、セッション開始メッセージを提供する。セッション開始メッセージは、ＭＢＭＳサービスエリアの一部である（１つ以上の）ＭＢＳＦＮエリア（ｅノードＢ  １０５およびｅノードＢ  １０６によって制御される陰影付きの無線セルによって例示してある）を担当する（１つ以上の）ＭＣＥ  １０３に送信することもできる。
【００２４】
例えば、Ｅ−ＭＢＭＳサービスデータをｅノードＢに配信するためにＩＰマルチキャストを利用するものと想定すると、セッション開始メッセージには、受信側のｅノードＢがネットワークにおいてＥ−ＭＢＭＳサービスデータの送信に参加するために要求される情報（例えば、サービスのためのＩＰマルチキャストアドレスおよびサービスのＴＭＧＩ）が含まれる。ＭＢＳＦＮエリアの中に位置しているｅノードＢ  １０５，１０６は、どのような場合にもマルチキャスト配信ツリーに参加することができる。さらに、ＭＢＳＦＮエリアにおけるｅノードＢ  １０５，１０６は、ＭＢＭＳサービスのマルチキャスト配信ツリーに参加するため、ＭＢＭＳデータを自身の無線セルの中でＭＴＣＨ上で送信するための物理リソースを割り当てるか確保し、ＭＢＭＳサービスのためのＭＴＣＨの設定を、自身の無線セルの中の潜在的な受信者にＭＢＭＳ通知によって示す。
【００２５】
ＭＢＳＦＮエリアの外側のｅＮＢ  １０７，１０８は、サービスを希望するユーザを自身がホストしている場合にのみ参加することができる。上述したように、これらのｅノードＢは、サービスを希望する潜在的なユーザを識別する目的でカウンティング手順を実行することができる。例えば、ｅノードＢは、ＭＢＭＳカウンティング要求を自身のセルの中にＭＣＣＨ上で送信することができる。この要求を受信したアイドル状態にあるＵＥは、ＭＢＭＳカウンティング応答を送信側のｅノードＢに送信することができる。
【００２６】
いずれの場合にも、ｅノードＢ  １０５〜１０８は、ＭＢＭＳサービスが利用可能であることを示すＭＢＭＳ通知を自身の無線セルの中でブロードキャストする。したがって、移動端末（例えば、ｅノードＢ  １０８のカバレッジエリアに移動してきたＵＥ  １０９）は、ｅノードＢ  １０８の（１つ以上の）無線セルの中のＭＢＭＳ通知が、ＭＢＭＳサービスが利用可能であることを示しているが、ダウンリンクリソース（ＭＴＣＨの設定）が通知に示されていない場合にのみ、サービスを要求する。
【００２７】
上記のシグナリングフローの例において明らかであるように、Ｅ−ＭＢＭＳ  ＧＷ  １０２は、ＭＢＭＳサービスエリア全体の中のｅノードＢ  １０５〜１０８のそれぞれにセッション開始シグナリングを配信しなければならない。このエリアには、そのサイズによっては多数のｅノードＢが含まれていることがある。例えば、モバイルＴＶなどのＥ−ＭＢＭＳサービスを考えると、ＭＢＭＳサービスエリアは事業者のＰＬＭＮ全体に等しくなることがある。
【００２８】
シグナリングメッセージは、その性格上、信頼性の高い方法において送信しなければならない。これを達成する目的で、一般には、メッセージを伝えるために接続指向の伝送プロトコルが使用される。例えば、ＬＴＥ／ＳＡＥシステムでは、シグナリングメッセージが輻輳制御によって高い信頼性において順に伝送されるようにするストリーム制御伝送プロトコル（ＳＣＴＰ：Stream Control Transmission Protocol）を利用する。
【００２９】
Ｅ−ＭＢＭＳ  ＧＷ  １０２とｅノードＢとの間でシグナリングメッセージを交換できることは、これらの間にインタフェースが存在することを意味する。上述したように、ＭＢＭＳサービスエリアの中のｅノードＢ  １０５〜１０８のすべてにセッション開始シグナリングを提供する必要があることにより、Ｅ−ＭＢＭＳ  ＧＷ  １０２は、多数のインタフェースを終端することが要求されうる。ＳＣＴＰなどの接続指向の伝送プロトコルを利用する場合、このことは、Ｅ−ＭＢＭＳ  ＧＷ  １０２が、ＭＢＭＳサービスエリアの中の各ｅノードＢとの多数の接続（例えばＳＣＴＰ接続）を終端しなければならないことを意味する。
【００３０】
ＭＢＭＳサービスエリアは、１つまたは複数のＭＢＳＦＮエリアを備えていることができ、ＭＢＳＦＮエリアは、一般にはユーザの密度が高い（都市の中心部など）。しかしながら、ＭＢＳＦＮエリアは、一般にはＭＢＭＳサービスエリア全体のうちの小さい部分のみをカバーしている。さらには、ＭＢＳＦＮエリアの外側のエリア（ＭＢＭＳサービスエリアの大きい方の部分をカバーしている）は、通常、サービスを希望するユーザの密度が低い。サービスを希望するユーザの密度が高ければ、事業者はそのようなエリアをＭＢＳＦＮエリアの一部であるように構成しているはずである。いずれの場合にも、Ｅ−ＭＢＭＳ  ＧＷ  １０２は、ＭＢＳＦＮエリアの外側のｅＮＢにもセッション開始シグナリングを送信しなければならず、なぜならこれらのｅＮＢもＭＢＭＳサービスエリアの一部であるためである。しかしながら、ほとんどの場合には数人のユーザが存在するのみであるため、これらのｅＮＢには多くのセッション開始メッセージが不必要に送信されることになる。例えば、モバイルＴＶなどのＥ−ＭＢＭＳサービスを考えると、要求されるセッション開始メッセージは、提供されるＴＶチャネルの数に伴ってさらに増大しうる。
【００３１】
「ホームゾーン」：３ＧＰＰ  ＬＥＴにおけるシステム設計のコンセプト
一般に、事業者は、セルラー移動通信ネットワークを配備する前に、地理的制約やトラフィックの要求条件などのいくつかのパラメータを考慮して、自社のセルラーレイアウトを慎重に計画する。配備は時間とともに変化しうる（例えば、容量を増やすために新しいセルが追加される）が、相当に静的であると考えることができる。
【００３２】
このことは、一方においては、事業者にとっていくつかの恩恵につながる。例えば、準静的なネットワークでは、一般にはメンテナンスが単純化され、配備ネットワークのパフォーマンスが確実に達成される。その一方で、このような静的な方法では、特に加入者の観点において柔軟性の欠けたシステムとなり、なぜなら、ユーザ側に認識されるサービス品質は事業者の計画に依存するためである。事業者は、一般的なケースを対象に（例えばピークまたは平均のトラフィック条件に従って）システムを最適化する。
【００３３】
しかしながら、このシステム設計は、平均外の状況（例えば、事業者のネットワークを使用している加入者の個々の状況）に対応するには柔軟性が不足していることがある。一例として、セルの中のユーザ機器（ＵＥ）において受信される信号強度は、認識されるサービス品質に相関しうる。移動通信ネットワークにおいて使用される一般的なセル半径は、数百メートルから数キロメートルのオーダーである。ＵＥにおいて受信される信号強度は、セルによってカバーされる環境（例えば、建物や樹木）と、セルの中でのＵＥの位置とに依存して、多かれ少なかれ減衰する。例えば、無線信号を発している基地局に近い屋外の場所においては、受信される信号強度は１００％に近い。しかしながら、屋内の場所においては、信号強度は簡単に５０％以下に落ちる。
【００３４】
特に、減衰の大きい局所エリア（例えば、建物の中）における受信条件を向上させるため、事業者は、限られた範囲のみを有する小さいセルを配備することができる。このタイプのセルは、通常ではピコセルと称される。ピコセルを処理担当する基地局は、機能の観点からは「通常の」基地局であるが、通常の（マクロ）セルを処理担当する従来の基地局と比較して、処理パワーなどの能力が限られていることがある。列車の駅は、ピコセル配備の代表的な例と考えることができる。駅は、建物の内側、場合によっては地下に位置しているが、通常では移動通信ネットワークへのアクセスを試みる高い密度の加入者が存在する。
【００３５】
ピコセルを配備することによって、移動通信ネットワークのセルレイアウトをより局所的な需要に適合させるための柔軟性を高めることができる。その一方で、ピコセルの配備は、マクロセルの配備と同様に、計画と、推定または測定されるトラフィック条件とに基づくものであり、相当に静的な配備と考えることもできる。
【００３６】
局所的な需要が重要である別のシナリオは、加入者の自宅における状況である。過去において、家庭は、一般には１つまたは複数の携帯電話の加入に加えて、固定電話回線（固定回線）接続を保持していた。固定回線は、在宅時の連絡に使用され、移動網への加入は移動中の連絡に使用されていた。一般には、固定回線は移動通信と比較して安価である。いわゆる固定網と移動網の融合（ＦＭＣ）の出現とともに、この使い分けはますます消えつつある。移動加入者は、さらなる固定回線の契約を持たずに、自宅からも移動通信ネットワークのみを使用する。
【００３７】
技術的に可能ではあるが、これにより需要および要求条件が移動通信ネットワークの方向に変化している。一方では、ユーザは、固定回線接続において使用されるサービスと同様のサービスを自宅において受けることを期待する（このことは、サービスの可用性からコストにいたるいくつかの側面に関連する）。その一方で、より多くのユーザが移動通信ネットワークにアクセスするようになり、より大きなネットワーク容量が要求される。
【００３８】
コストに関して、モバイル事業者は、加入者が自宅にいるときの特殊な料金体系の提供を、数年前からすでに開始している。これは、加入者／ＵＥによって使用される現在のセルに基づいて異なる課金モデルを適用することによって実現している。加入者ごとに、個々の「ホームゾーン」を構成する特定のセルまたはセルセットを登録することができる。これはマクロセルに基づいているため、「ホームゾーン」の達成される粒度は相当に粗い。
【００３９】
しかしながら、さらに重要な側面は、移動通信ネットワークへのアクセスを同時に試みる、セルあたりのユーザの数が大幅に増大することである。実際の環境によっては、この増大をネットワークの計画によって解決することが不可能であることがある。例えば、数多くの高層マンションから構成される都市生活圏を考えると、一般的なマクロセルに膨大な数の移動加入者が含まれる。この状況では、移動加入者の多くが自宅から移動通信ネットワークへのアクセスを同時に試みると、接続性の問題が生じうる。
【００４０】
この問題に対処する目的で、事業者は、同じエリアをカバーする追加のマクロセルを配備して、移動通信ネットワークの全体的な容量を局所的に増大させることができる。あるいは、事業者は、同じ効果として、いくつかのピコセルの配備を考慮することができる。しかしながら、いずれのオプションにおいても、事業者は、エリアの中に位置している加入者が数人のみであるとき（このようなシナリオにおいて一般に日中はこれにあたる）、提供するセル容量の利用状況が非効率である危険性を負う。
【００４１】
これらを考慮すると、加入者の自宅をちょうどカバーするのに十分である限られた能力および小さいセルを提供するセルラーモバイルネットワークのための装置であって、無線ローカルエリアネットワーク技術（例えば、ＷＬＡＮ（無線ローカルエリアネットワーク）ホットスポット）と同様に使用することのできる装置が要求される。これは、一般にはフェムトセル基地局またはホームセル（home cell）基地局と称される。これらの装置は、個々の加入者が所有および配備して、有線または無線のバックホール接続（例えばＤＳＬ（デジタル加入者線））を介して事業者のネットワークに接続することができる。このソリューションは、個々の加入者それぞれの局所的な特定のニーズに対処するための極めて柔軟な方法を提供する。事業者はこのような配備から恩恵を受けることができ、なぜなら、（家庭の）トラフィックの負荷がマクロセルから取り除かれるためである。その一方で、加入者は、セルの可用性が確保される（例えば良好な信号強度）ことと、場合によっては有利な料金体系とによる恩恵を受けることができる。
【００４２】
フェムトセルの技術および関連する問題については、３ＧＰＰなどの標準化団体において活発に議論されている。中でも最も重要なトピックは、フェムトセルへのアクセス制約の問題である。上述したように、フェムトセルは、加入者によって所有され、加入者のバックホール接続を使用する。したがって、加入者がフェムトセルへのアクセスを制御あるいは制限する（例えば、所有者と、所有者の家族の他のメンバー）ことを望むことがある。このコンセプトは、一般に３ＧＰＰ標準化の中ではＣＳＧ（限定加入者グループ：Closed Subscriber Group）と称される。同様に、「フェムトセル」の同義語として「ＣＳＧセル」を使用することができる。さらに、ホーム基地局は、通常、３ＧＰＰの中ではホームノードＢ（Ｈｏｍｅ  ＮｏｄｅＢ：ＨＮＢ）またはホームｅノードＢ（Ｈｏｍｅ  ｅＮｏｄｅＢ：ＨｅＮＢ）と称される。
【００４３】
ＣＳＧセルにおけるＭＢＭＳの配備
一般的に、ＣＳＧセルにＭＢＭＳサービスを配備するときには、非ＳＦＮネットワークエリアにＭＢＭＳを配備する場合に関連して上述した問題に類似する問題として、特にセッション制御シグナリングに関する問題に遭遇する。３ＧＰＰアクセスを提供するＣＳＧセルにおいてＭＢＭＳを配備するうえで考慮すべき別の潜在的な問題は、セキュリティである。ホームノードＢは、一般に、３ＧＰＰ移動通信システムのネットワーク事業者によって制御されず、したがって、ホームノードＢから３ＧＰＰコアネットワークへのアクセスを制御するべきである。
【００４４】
別の問題は、ＣＳＧセルの中に位置しているユーザにマルチキャストサービスまたはブロードキャストサービスを配信するためのリソース利用が非効率なことである。同時に、ＣＳＧセルの場合、マクロセルにおいて提供されているＭＢＭＳサービスの実際のサービスエリアの外側に位置しているＣＳＧセルにユーザが移動する場合にも、サービスの連続性を確保するべきである。
【先行技術文献】
【非特許文献】
【００４５】
【非特許文献１】3GPP TS 36.300, “Evolved Universal Terrestrial Radio Access (E-UTRA) and Evolved Universal Terrestrial Radio Access (E-UTRAN); Overall description; Stage 2”, version 8.2.0
【非特許文献２】3GPP Tdoc. R3-070395, “Working Assumptions for MBMS” by Vodafone
【非特許文献３】3GPP TS 23.401, “General Packet Radio Service (GPRS) enhancements for Evolved Universal Terrestrial Radio Access Network (E-UTRAN) access”, version 1.2.1
【非特許文献４】Kent et al., “Security Architecture for the Internet Protocol “, IETF RFC 4301
【非特許文献５】Cain et al., “Internet Group Management Protocol, Version 3”, IETF RFC 3376
【非特許文献６】Vida et al., “Multicast Listener Discovery Version 2 (MLDv2) for IPv6”, IETF RFC 3810
【非特許文献７】Information Sciences Institute, University of Southern California, “Internet Protocol; DarpaInternet Program; Protocol Specification”, IETF RFC 791
【非特許文献８】Deering et al., “Internet Protocol, Version 6 (IPv6); Specification”, IETF RFC 2460
【発明の概要】
【発明が解決しようとする課題】
【００４６】
上記の問題に鑑み、本発明の目的は、移動通信ネットワークの中でマルチキャストサービスまたはブロードキャストサービスのセッション制御シグナリングを配信するためのメカニズムであって、シグナリング接続の数が低減するメカニズムを提案することである。別の目的は、このメカニズムを、フェムトセルにおいてマルチキャストサービスまたはブロードキャストサービスを提供するときにも使用できるように、設計することである。本発明のさらなる目的は、ホームノードＢ（すなわち、事業者によって制御される基地局とは異なる、ユーザによって制御される基地局）を許可する、もしくは、フェムトセルの中でマルチキャストサービスまたはブロードキャストサービスを配信するための適切なトランスポートメカニズムを選択する、またはその両方を目的とする、許可方式もしくはトランスポート方式、またはその両方による選択メカニズムを提案することである。
【課題を解決するための手段】
【００４７】
これらの目的の少なくとも１つは、独立請求項の主題によって解決される。本発明の有利な実施形態は、従属請求項の主題である。
【００４８】
本発明の一態様は、最初の段階での移動通信ネットワーク全体またはサービスエリア全体におけるセッション制御シグナリングの配信を回避することである。サービスに関連する制御シグナリング接続をセッションの開始時（例えば、ｅＢＭ−ＳＣがセッション開始メッセージを送信する）に提供するのではなく、サービスを要求する移動端末のサービス要求に応えて、制御シグナリング接続を確立する。さらなる一態様によると、移動端末は、移動端末において利用可能なサービスアナウンスメントに基づいてサービス要求を送信し、すなわち、従来の実施形態とは異なり、移動端末は、セルの中でサービスが利用可能であることに関するアクセスネットワークからの通知を待機しない。
【００４９】
さらには、本発明の別の態様は、セッション制御シグナリングを移動管理エンティティを介して配信することであり、これにより、階層的に上位のネットワークエンティティ（例えば、サービスプロバイダ（例：ｅＢＭ−ＳＣ）を備えているサービスネットワークへのＥ−ＭＢＭＳゲートウェイ）によって終端しなければならないセッション制御シグナリング接続の数を低減することができる。サービスエリア全体のうちの特定のサブエリアにおいて、そのサブエリアの中のユーザの数には関係なくマルチキャストサービスまたはブロードキャストサービスを提供する必要があり得ることを考慮すると、サービスエリアのうち絶え間なくサービス提供する必要のない部分へのセッション制御シグナリング接続を、１つまたは複数の移動管理エンティティを介して中継し、その一方で、サービスを絶え間なく提供するべきネットワーク部分へのセッション制御シグナリング接続を中継しないことを、オプションとして予測することができる。したがって、さまざまなネットワーク部分／トラッキングエリアにおけるサービスの望ましい可用性に応じて、シングルセル送信またはマルチセル送信を使用することができる。
【００５０】
フェムトセルにおけるマルチキャストサービスまたはブロードキャストサービスの配備を考えるとき、本発明の別の態様は、マルチキャストサービスまたはブロードキャストサービスをホーム基地局（すなわち、ネットワーク事業者によって制御されない基地局、例えば、３ＧＰＰ  ＬＴＥにおけるホームノードＢ）に配信するために使用される配信メカニズムを、マルチキャストサービスまたはブロードキャストサービスのサービスエリアに対するホーム基地局の位置に応じて決定する。配信メカニズムを決定するため、サービスを要求する移動端末のサービス要求に応えて、マクロセルに対するホーム基地局の位置もしくは移動端末の（すなわちユーザの）位置、またはその両方に関する情報を、決定を行うコアネットワークエンティティに提供することができる。正しい配信メカニズムを選択することによって、ホーム基地局によって制御されるフェムトセルのカバレッジエリアの外側に移動端末が移動する場合に、移動端末におけるサービスの連続性を確保することができる。
【００５１】
別の態様によると、ホーム基地局を許可するための許可メカニズムを提供する。この許可メカニズムは、配信メカニズムの決定の一部とすることができる。さらに、許可メカニズムは、ホーム基地局、またはホーム基地局のフェムトセルにアタッチしている移動ノードの前述した位置情報に基づくこともできる。したがって、この位置情報を使用して、ホーム基地局がマルチキャストサービスまたはブロードキャストサービスのサービスエリアの中に位置しているか否かと、マルチキャストサービスまたはブロードキャストサービスをマルチキャストまたはブロードキャストを介してホーム基地局に提供するか否かを、決定することができる。
【００５２】
一例においては、移動端末の移動時のセッションの連続性を確保するため、ホーム基地局がサービスエリアの外側に位置している場合には、ブロードキャストサービスデータまたはマルチキャストサービスデータをホーム基地局に提供するために専用のベアラを使用する。ホーム基地局がサービスエリアの内側に位置している場合には、サービスをマルチキャストまたはブロードキャストを介してホーム基地局に配信することを予測することができる。
【００５３】
上記のこれらの態様によると、本発明の一実施形態は、移動通信ネットワークの中でマルチキャストサービスまたはブロードキャストサービスのセッション制御の制御シグナリングを配信する方法を提供する。基地局は、マルチキャストサービスまたはブロードキャストサービスのサービス要求を移動端末から受信する。これによって、基地局は、移動通信ネットワークのトラッキングエリア（または本文書において同義語として使用されるプールエリア）に関連付けられる。このサービス要求をトリガーとして、サービス要求を受信した基地局を含むトラッキングエリアの少なくとも１つの基地局に、セッション制御の制御シグナリング（セッション制御シグナリング）を配信する。さらには、本発明のさらなる実施形態によると、移動端末は、自身から利用可能であるマルチキャストサービスまたはブロードキャストサービスのセッションアナウンスメントに基づいてサービス要求を送信する。
【００５４】
一例においては、セッション制御のための制御情報の配信は、サービス要求を受信した基地局から移動通信システムのコアネットワークの中の移動管理エンティティにサービス要求を送信することによって、トリガーされる。基地局からのこのサービス要求に応えて、移動管理エンティティは、マルチキャストサービスまたはブロードキャストサービスの提供源が位置しているサービスネットワークに移動通信システムのコアネットワークを接続しているゲートウェイに、マルチキャストサービスまたはブロードキャストサービスを登録する。このゲートウェイは、例えば、前述したＭＢＭＳゲートウェイとすることができる。ゲートウェイは、例えば、サービスを登録した移動管理エンティティを追跡するため、マルチキャストサービスまたはブロードキャストサービスを自身に登録している移動管理エンティティのリストを維持することができる。
【００５５】
登録が正常に行われ、マルチキャストサービスまたはブロードキャストサービスがすでに開始されていれば、ゲートウェイは、セッション制御の制御シグナリングを、移動端末からのサービス要求を受信した少なくとも１つの基地局に、登録されている移動管理エンティティを介して送信する。オプションとして、別の実施形態においては、移動端末からのサービス要求を受信した基地局が属しているトラッキングエリアの中のすべての基地局、または、移動端末が登録されているトラッキングエリアのすべての基地局に、セッション制御シグナリングを提供する。したがって、本発明の別の実施形態においては、サービス要求は、移動端末が登録されている少なくとも１つのトラッキングエリアを示しており、基地局によって送信されるサービス要求は、少なくとも１つのトラッキングエリアを移動管理エンティティに示す。
【００５６】
すでに上述したように、移動通信ネットワークは、ユーザの要求またはユーザの存在には関係なくマルチキャストサービスまたはブロードキャストサービスが提供される１つまたは複数のトラッキングエリアを含むことができる。したがって、本発明の別の実施形態においては、セッション制御の制御シグナリングが、これらの１つまたは複数のトラッキングエリアの中のすべての基地局に配信される。オプションとして、例えば、すでに概説したようにマルチセル送信を利用することによって、これらの１つまたは複数のトラッキングエリアの中でＳＦＮ送信を実現することを予測することができ、これは有利である。
【００５７】
移動通信システムのコアネットワークを、マルチキャストサービスまたはブロードキャストサービスの提供源が位置しているサービスネットワークに接続しているゲートウェイは、例えば、ユーザの要求またはユーザの存在には関係なくマルチキャストサービスまたはブロードキャストサービスが提供される１つまたは複数のトラッキングエリアの中の各基地局に、セッション制御の制御シグナリングをアドレッシングすることができ、すなわち、ゲートウェイは、（中間のネットワークエンティティを介してセッション制御シグナリングを中継する代わりに）基地局との個々のセッション制御シグナリング接続を利用することができる。
【００５８】
マルチキャストサービスまたはブロードキャストサービスのセッション制御の制御シグナリングは、（特に）例えばセッション開始メッセージを備えていることができる。本発明のさらなる一実施形態においては、移動端末からのセッション開始メッセージを受信した基地局は、マルチキャストサービスまたはブロードキャストサービスのマルチキャスト配信ツリーに参加するため、コアネットワークのアップストリームルータに参加メッセージを送信することができる。この参加メッセージは、基地局が、例えば、マルチキャストサービスまたはブロードキャストサービスのセッション開始メッセージの受信に応えて送信することができる。
【００５９】
基地局は、マルチキャストサービスまたはブロードキャストサービスのセッション開始メッセージを受信することに加えて、例えばこの受信に応えて、マルチキャストサービスまたはブロードキャストサービスを提供するために使用されるダウンリンク上の無線リソースを示す通知を、自身のサービスエリア（すなわち（１つ以上の）無線セル）の中のサービスの潜在的な受信者に、自身の無線セルの中でマルチキャストサービスまたはブロードキャストサービスに関連する制御チャネル上で送信することができる。
【００６０】
移動端末は、サービス要求を、それぞれの対応するサービスアナウンスメントに基づいて送信することができるため、まだ開始されていないサービス（すなわち、セッション開始がまだ実行されていないサービス）に対するサービス要求が送信されることが起こりうる。まだ開始されていないサービスを移動管理エンティティが登録しようとすると、ゲートウェイは、この登録に対して、移動管理エンティティによって登録が送信された対象のマルチキャストサービスまたはブロードキャストサービスがまだ開始されていないことを示すメッセージによって応答することができる。さらに、移動管理エンティティは、受信したサービス要求の送信元である基地局に、マルチキャストサービスまたはブロードキャストサービスがまだ開始されていないことを知らせることができる。あるいは、前述した場合におけるように、移動管理エンティティは、受信したサービス要求の送信元である基地局が属しているトラッキングエリアの中のすべての基地局、または、移動端末が登録されているすべてのトラッキングエリアの中のすべての基地局に、知らせることもできる。
【００６１】
サービスがまだ開始されていないというこの指示情報を受信した各基地局は、マルチキャストサービスまたはブロードキャストサービスがまだ開始されていないことを示す通知を、例えば自身のサービスエリア（（１つ以上の）無線セル）の中で送信することができる。これによって、マルチキャストサービスまたはブロードキャストサービスを希望する移動端末が、サービス登録を送ってしまうことを防ぐことができる（これらの移動端末において利用可能であるそれぞれのサービスアナウンスメントは、これらの移動端末の現在のトラッキングエリアにおいてサービスが利用可能であることを示している）。（１つ以上の）基地局によるこの通知は例えば、所定の時間期間の間のみ提供することができる。
【００６２】
さらなる例示的な一実施形態においては、通知は、マルチキャストサービスまたはブロードキャストサービスに関連するブロードキャスト制御チャネル（例えば、Ｅ−ＵＴＲＡＮにおけるＭＣＣＨ）上で送信される。
【００６３】
別の実施形態によると、サービス要求は、識別子（例えば、サービスのＴＭＧＩやＩＰマルチキャストアドレス）によって、マルチキャストサービスまたはブロードキャストサービスを識別する。サービス要求は、このサービス識別子に加えて、例えば、移動端末が登録されている少なくとも１つのトラッキングエリアの指示情報（例えば、それぞれのトラッキングエリア識別子（ＴＡＩ）による）を備えていることができる。
【００６４】
さらに、サービス要求は、オプションとして、要求を送信するエンティティ（すなわち、移動端末または基地局）を識別していることもできる。サービス要求にトラッキングエリアが示されていない場合、セッション制御シグナリングをトラッキングエリアの中で適切に配信できるように、この情報を使用して例えばトラッキングエリアを解決することができる。
【００６５】
上述したように、本発明の一態様によると、移動通信システムは、ホーム基地局によって制御されるフェムトセルを含む。したがって、基地局は、移動端末が現在またはすでにアタッチしているフェムトセルを制御するホーム基地局とすることができる。さらには、例示的な一実施形態においては、フェムトセルのカバレッジエリアに移動する前に、ブロードキャストサービスまたはマルチキャストサービスがフェムトセルの外側でマクロセルレベルにおいて移動端末に提供されていることがある。したがって、マルチキャストサービスまたはブロードキャストサービスのセッションアナウンスメントを、移動通信システムのマクロセルを介しての受信によって移動端末から利用できるようにすることができる。
【００６６】
さらなる例示的な実施形態においては、サービス要求を受信したホーム基地局は、移動通信システムのコアネットワークの中のプロキシゲートウェイにサービス登録要求を送信する。このプロキシゲートウェイは、移動通信システムのコアネットワークの中のネットワーク要素に許可要求メッセージを送信する。許可要求が送信される先のネットワーク要素は、マルチキャストサービスまたはブロードキャストサービスの配信メカニズムを決定する役割を担う。一例においては、プロキシゲートウェイがマルチキャストホームｅノードＢゲートウェイ（ＭＨ−ＧＷ）であり、ネットワーク要素がＢＭ−ＳＣである。プロキシゲートウェイは、ホーム基地局へのマルチキャストサービスまたはブロードキャストサービスの配信メカニズムを示す許可応答メッセージを受信し、示された配信メカニズムは、マルチキャストサービスデータまたはブロードキャストサービスデータをホーム基地局に提供するために使用される。
【００６７】
この実施形態のバリエーションにおいては、許可応答メッセージは、マルチキャストサービスデータまたはブロードキャストサービスデータをプロキシゲートウェイからホーム基地局に提供するために使用される共有ベアラサービスを示しており、プロキシゲートウェイは、マルチキャストサービスまたはブロードキャストサービスのマルチキャストグループに参加する。さらには、プロキシゲートウェイは、ホーム基地局へのセッション制御シグナリングの提供を開始する。
【００６８】
本発明の別の実施形態は、移動通信ネットワークにおいて使用するための基地局に関する。基地局は、移動通信ネットワークのトラッキングエリアに関連付けられており、通信ネットワークの中でマルチキャストサービスまたはブロードキャストサービスが提供される。基地局は、マルチキャストサービスまたはブロードキャストサービスのサービス要求を移動端末から受信する受信器と、基地局と、オプションとしてトラッキングエリアのさらなる基地局とへの、セッション制御の制御シグナリングの配信、をトリガーするサービス要求を、移動端末のサービス要求に応えて送信する送信器と、を備えている。
【００６９】
さらには、別の例においては、送信器は、サービス要求を移動通信システムのコアネットワークの中の移動管理エンティティに送信する。さらに、受信器は、移動管理エンティティからのセッション制御の制御シグナリングを受信することができる。
【００７０】
一実施形態においては、マルチキャストサービスまたはブロードキャストサービスのセッション制御の制御シグナリングは、セッション開始メッセージを備えており、基地局の送信器は、セッション開始メッセージの受信に応えて、マルチキャストサービスまたはブロードキャストサービスのマルチキャスト配信ツリーに参加するため、コアネットワークのアップストリームルータに参加メッセージを送信する。さらに、基地局の送信器は、マルチキャストサービスまたはブロードキャストサービスを提供するために使用されるダウンリンク上の無線リソースを示す通知を、自身の無線セルの中でマルチキャストサービスまたはブロードキャストサービスに関連する制御チャネル上でサービスの潜在的な受信者に送信することができる。
【００７１】
別の例示的な実施形態においては、基地局は、サービス要求に応えて、マルチキャストサービスまたはブロードキャストサービスがまだ開始されていないことの指示情報を受信する。基地局の送信器は、この指示情報に応えて、マルチキャストサービスまたはブロードキャストサービスがまだ開始されていないことを示す通知を、自身の無線セルの中で送信することができる。
【００７２】
本発明の別の実施形態は、移動通信ネットワークの中で使用するための移動端末を提供する。移動端末は、マルチキャストサービスまたはブロードキャストサービスのサービス要求を基地局に送信する送信器、を備えている。移動端末は、移動端末において利用可能である、マルチキャストサービスまたはブロードキャストサービスのセッションアナウンスメントであって、マルチキャストサービスまたはブロードキャストサービスが利用可能であることをアナウンスしている、セッションアナウンスメント、に基づいて、サービス要求を送信する。
【００７３】
本発明のさらなる実施形態においては、移動端末は、移動端末の受信器によって受信される通知が、マルチキャストサービスまたはブロードキャストサービスがまだ開始されていないことを示している場合、サービス要求を送信しない。
【００７４】
さらには、本発明のさらなる実施形態によると、移動通信システムは、本文書に記載されているさまざまな実施形態のうちの１つによる基地局もしくは移動端末、またはその両方を備えている。
【００７５】
通信システムは、基地局を処理担当する移動管理エンティティと、移動通信システムのコアネットワークを、マルチキャストサービスまたはブロードキャストサービスの提供源が位置しているサービスネットワークに接続するゲートウェイと、をさらに備えていることができ、このシステムは、移動通信ネットワークの中でマルチキャストサービスまたはブロードキャストサービスのセッション制御の制御シグナリングを配信するための、本文書に記載されているさまざまな実施形態の１つによる方法のステップ群、を実行する。
【００７６】
本発明は、別の実施形態によると、命令を格納しているコンピュータ可読媒体であって、命令が基地局のプロセッサによって実行されたとき、それに起因して、移動通信ネットワークのトラッキングエリアに関連付けられている基地局が、移動通信ネットワークにおいて提供されるマルチキャストサービスまたはブロードキャストサービスのサービス要求を移動端末から受信し、基地局と、オプションとしてトラッキングエリアのさらなる基地局とへの、セッション制御の制御シグナリングの配信、をトリガーするサービス要求を、移動端末のサービス要求に応えて送信する、コンピュータ可読媒体、も提供する。
【００７７】
本発明のさらなる実施形態は、命令を格納しているコンピュータ可読媒体であって、命令が移動端末のプロセッサによって実行されたとき、それに起因して、移動端末が、マルチキャストサービスまたはブロードキャストサービスのサービス要求を基地局に送信し、命令に起因して、移動端末が、移動端末において利用可能である、マルチキャストサービスまたはブロードキャストサービスのセッションアナウンスメントであって、マルチキャストサービスまたはブロードキャストサービスが利用可能であることをアナウンスしている、セッションアナウンスメント、に基づいて、サービス要求を送信する、コンピュータ可読媒体、に関する。このコンピュータ可読媒体は、オプションとして、さらなる命令として、移動端末のプロセッサによって実行されたとき、移動端末によって受信される通知が、マルチキャストサービスまたはブロードキャストサービスがまだ開始されていないことを示している場合、移動端末がサービス要求を送信することを禁止する、命令、を格納していることができる。
【００７８】
上述したように、本発明の別の態様によると、マルチキャストサービスまたはブロードキャストサービスをホーム基地局に配信するために使用される配信メカニズムは、マルチキャストサービスまたはブロードキャストサービスのサービスエリアに対するホーム基地局の位置に応じて決定される。
【００７９】
したがって、本発明の別の実施形態は、移動通信システムの中のフェムトセルを制御するホーム基地局への、マルチキャストサービスまたはブロードキャストサービスの配信メカニズムを決定する方法、を提供する。移動通信システムのコアネットワークの中のネットワーク要素であって、マルチキャストサービスまたはブロードキャストサービスの配信メカニズムを決定する役割を担うネットワーク要素は、マルチキャストサービスまたはブロードキャストサービスのサービス識別子と、位置情報とを受信する。ホーム基地局が移動通信システムの中のマルチキャストサービスまたはブロードキャストサービスのサービスエリアの中に位置しているかを、受信された位置情報およびサービス識別子に基づいて、さらに判定する。この判定は、例えば、ネットワーク要素が単独で、または移動通信システムのさらなるネットワーク要素と協働して、実行することができる。マルチキャストサービスまたはブロードキャストサービスのサービスデータをホーム基地局に提供するための配信メカニズムとして、共有ベアラサービスまたは専用ベアラサービスを、判定結果に基づいて選択する。
【００８０】
この実施形態のバリエーションにおいては、ホーム基地局がサービスエリアの中に位置している場合、マルチキャストサービスデータまたはブロードキャストサービスデータを移動通信システムのコアネットワークの中のプロキシゲートウェイからホーム基地局に提供するために共有ベアラサービスが使用され、その一方で、ホーム基地局がサービスエリアの外側に位置している場合、マルチキャストサービスまたはブロードキャストサービスのサービスデータをホーム基地局に提供するために専用ベアラサービスが使用される。専用ベアラサービスという用語は、移動端末のために確立される専用ベアラを介して移動端末にマルチキャストサービスまたはブロードキャストサービスが提供されることを示すものとし、その一方で、配信に共有ベアラサービスを使用する場合には、マルチキャストサービスデータまたはブロードキャストサービスデータをホーム基地局に送信するための１つのベアラを想定する（すなわち、マルチキャストサービスデータまたはブロードキャストサービスデータの１つのコピーがホーム基地局に向けて配信される）。
【００８１】
例示的な一実施形態においては、位置情報は、ホーム基地局の位置に関する情報、もしくは、マクロセルレベルにおける移動端末の位置に関する情報、またはその両方である。
【００８２】
本発明のさらなる例示的な実施形態においては、移動端末によるマルチキャストサービスのサービス要求に応えて、コアネットワークの中のネットワーク要素において、マルチキャストサービスまたはブロードキャストサービスのサービス識別子と、位置情報とが受信される。バリエーションにおいては、マルチキャストサービスまたはブロードキャストサービスのサービス識別子と、位置情報は、プロキシゲートウェイまたは移動端末からコアネットワークの中のネットワーク要素において受信される。さらには、マルチキャストサービスまたはブロードキャストサービスのサービス識別子と、位置情報とが移動端末によって送信される場合、ホーム基地局は、サービス要求がホーム基地局において受信されることに応えて、位置情報を移動端末に送信することができる。
【００８３】
別の例示的な実施形態においては、サービスを共有ベアラによってホーム基地局に配信することが、マルチキャストサービスまたはブロードキャストサービスのサービス設定において許可されるかを、コアネットワークの中のネットワーク要素がチェックすることができる。この許可では、フェムトセルのホーム基地局がサービスエリアの中であるか否かのチェックを単純に実行することができる。しかしながら、これに代えて、またはこれに加えて、この許可では、そもそもサービスをフェムトセルに提供することの許可をチェックすることができる（例えば、サービスによってはマクロセルレベルにおいてのみ提供することができる、ホーム基地局がマルチキャストサービスまたはブロードキャストサービスをマルチキャストサービスまたはブロードキャストサービスの配信ツリーの一部として配信することが禁止される）。ホーム基地局が許可されない場合、たとえホーム基地局がマルチキャストサービスまたはブロードキャストサービスのサービスエリアの中に位置していても、専用ベアラサービスを使用してマルチキャストサービスデータまたはブロードキャストサービスデータをホーム基地局に配信することができる。
【００８４】
さらなる実施形態においては、ホーム基地局は、コアネットワークのセキュリティゲートウェイへのセキュアなトンネル（ｓｅｃｕｒｅ  ｔｕｎｎｅｌ）を介して、移動通信システムのコアネットワークに接続される。コアネットワークとホーム基地局との間で交換されるデータは、ホーム基地局とセキュリティゲートウェイとの間のセキュアなトンネルを通じてトンネル化される。
【００８５】
一例においては、マルチキャストサービスデータまたはブロードキャストサービスデータは、共有ベアラサービスを使用してホーム基地局に提供される。この例においては、移動通信システムのコアネットワークまたはアクセスネットワークの中に位置しているプロキシゲートウェイが、マルチキャストサービスデータまたはブロードキャストサービスデータのマルチキャストに参加することができる。したがって、この例においては、プロキシゲートウェイが、ホーム基地局に代行して、マルチキャストサービスまたはブロードキャストサービスのグループに参加し、マルチキャストサービスデータまたはブロードキャストサービスデータがプロキシゲートウェイからホーム基地局に転送される。
【００８６】
別の実施形態においては、位置情報は、マクロセルレベルにおける移動端末の位置に関する情報である。したがって、マクロセルレベルの情報からホーム基地局の位置を解決する必要がある。したがって、ホーム基地局がマルチキャストサービスまたはブロードキャストサービスのサービスエリアの中に位置しているかを判定するとき、移動端末が位置しているサービスエリアの最初の１つまたは複数のサービスエリア識別子を、移動端末の位置に基づいて識別することができる。次に、それら１つまたは複数のサービスエリア識別子のうちの１つが、マルチキャストサービスまたはブロードキャストサービスのサービスエリアのサービスエリア識別子であるかを判定することができる。サービスエリアのサービスエリア識別子である場合、ホーム基地局は、サービスエリアの中に位置しているものとみなされる。
【００８７】
さらなる実施形態においては、移動通信システムは、ホーム基地局によって制御されるフェムトセルと、少なくとも１つの基地局によって制御されるマクロセルとを備えており、ホーム基地局と、マクロセルを制御する少なくとも１つの基地局は、同じアクセス技術を使用する。
【００８８】
本発明の別の実施形態は、移動通信システムであって、ホーム基地局と、移動端末と、ホーム基地局へのマルチキャストサービスまたはブロードキャストサービスの配信メカニズムを決定する役割を担う、コアネットワークの中のネットワークエンティティと、を備えており、ホーム基地局と、移動端末と、ネットワークエンティティとが、本文書に概説されている本発明のさまざまな実施形態の１つによる方法を実行するように構成されている、移動通信システム、を提供する。
【００８９】
本発明のさらなる実施形態は、移動通信システムにおいて使用するためのプロキシゲートウェイであって、マルチキャストプロキシ機能をホーム基地局に提供するプロキシゲートウェイ、に関する。このプロキシゲートウェイは、マルチキャストサービスまたはブロードキャストサービスのサービス識別子と、位置情報とを備えている許可要求メッセージを、移動通信システムのコアネットワークの中のネットワーク要素に送信する送信器ユニット、を備えている。前述したように、ネットワーク要素は、マルチキャストサービスまたはブロードキャストサービスの配信メカニズムを決定する役割を担う。プロキシゲートウェイは、許可要求メッセージに対する許可応答メッセージを受信する受信器ユニット、をさらに含み、許可応答メッセージは、マルチキャストサービスまたはブロードキャストサービスのサービスデータをホーム基地局に提供するために共有ベアラサービスが使用されるのか専用ベアラサービスが使用されるのかを示している。共有ベアラサービスが使用される場合、プロキシゲートウェイは、サービスデータのマルチキャストを受信するためマルチキャストサービスまたはブロードキャストサービスのマルチキャストグループに参加し、ホーム基地局に関連するセッション制御シグナリングを転送する。
【００９０】
本発明のさらなる実施形態によるプロキシゲートウェイは、マルチキャストサービスまたはブロードキャストサービスのサービスデータを受信してホーム基地局に転送することができる。
【００９１】
さらなる例示的な一実施形態においては、プロキシゲートウェイは、移動端末によるマルチキャストサービスのサービス要求に応えて、マルチキャストサービスまたはブロードキャストサービスのサービス識別子と位置情報とを、コアネットワークの中のネットワーク要素に送信する。例えば、移動端末からのサービス要求をトリガーとして、ホーム基地局がプロキシゲートウェイに許可を要求し、さらにこの要求をトリガーとして、マルチキャストサービスまたはブロードキャストサービスのサービス識別子と、位置情報とを、コアネットワークの中のネットワーク要素に送信する。
【００９２】
本発明の別の実施形態においては、プロキシゲートウェイの受信器ユニットは、移動端末からのサービス要求がホーム基地局において受信される、またはホーム基地局の電源が入ることに応えて、ホーム基地局からの位置情報を受信する。
【００９３】
本発明のさらなる実施形態は、移動通信システムにおいて使用するためのホーム基地局を提供する。このホーム基地局は、送信器ユニットを備えており、この送信器ユニットは、移動通信システムのコアネットワークの中のプロキシゲートウェイに位置情報を送信し、さらに、ホーム基地局のフェムトセルにアタッチしている移動端末からの対応する要求に応えて、マルチキャストサービスまたはブロードキャストサービスのサービス登録要求メッセージをプロキシゲートウェイに送信する。ホーム基地局は、サービス登録要求メッセージに対する応答を受信する受信器ユニットをさらに備えている。応答メッセージは、マルチキャストサービスまたはブロードキャストサービスが、移動端末とマルチキャストサービスまたはブロードキャストサービスの提供源との間の専用サービスを介して移動端末に提供されるのか、あるいは、マルチキャストサービスまたはブロードキャストサービスのサービスデータを、フェムトセルの中でさらに配信されるようにホーム基地局に配信するため、共有ベアラサービスが使用されるのか、を示している。
【００９４】
本発明の別の実施形態においては、ホーム基地局は、プロキシゲートウェイから要求されたとき、またはホーム基地局が移動通信システムに接続されるとき、またはサービス登録要求メッセージの一部として、位置情報をプロキシゲートウェイに送信する。
【００９５】
サービス登録要求メッセージに対する応答が、マルチキャストサービスまたはブロードキャストサービスのサービスデータを、フェムトセルの中でさらに配信されるようにホーム基地局に配信するため、共有ベアラサービスが使用されることを示している場合、ホーム基地局は、ホーム基地局によって制御されるフェムトセルの中で、マルチキャストサービスまたはブロードキャストサービスのサービス通知をさらにブロードキャストする。
【００９６】
別の実施形態によると、サービス登録要求メッセージに対する応答が、マルチキャストサービスまたはブロードキャストサービスが移動端末とマルチキャストサービスまたはブロードキャストサービスの提供源との間の専用サービスを介して提供されること、を示している場合、ホーム基地局は、マルチキャストサービスまたはブロードキャストサービスの、移動端末のサービス要求を、拒否することができる。
【００９７】
本発明の別の実施形態は、ホーム基地局にアタッチしている移動端末に関する。一実施形態によると、移動端末は、マルチキャストサービスまたはブロードキャストサービスのサービス要求メッセージを送信するためと、マクロセルレベルにおける移動端末の位置に関する位置情報を、フェムトセルを制御しているホーム基地局に送信するための送信器ユニットと、マルチキャストサービスまたはブロードキャストサービスのサービスデータを受信する受信器ユニットと、を備えている。移動端末の受信器ユニットは、サービス要求メッセージに応えてホーム基地局によってフェムトセルの中でブロードキャストされるサービス通知に示されているサービスの設定に従って、サービスデータを受信する、または、サービス要求メッセージに応えてホーム基地局からサービス要求の拒否が受信される場合、移動端末とマルチキャストサービスまたはブロードキャストサービスの提供源との間の専用ベアラサービスを使用して、サービスデータを受信する。
【００９８】
本発明のさらなる実施形態においては、移動端末は、マルチキャストサービスまたはブロードキャストサービスのサービス要求メッセージを、フェムトセルを制御しているホーム基地局に送信する送信器ユニットと、サービス要求メッセージに応えて、移動端末がホーム基地局を許可するためのトリガーである許可要求メッセージをホーム基地局から受信する受信器ユニットと、を備えている。さらには、移動端末は、許可要求メッセージを、移動通信システムのコアネットワークのネットワーク要素に送信することができる。送信される許可要求メッセージは、ホーム基地局が、要求されるマルチキャストサービスまたはブロードキャストサービスのサービスエリアの中に位置しているかを、コアネットワークのネットワーク要素が判定することを可能にする位置情報と、マルチキャストサービスまたはブロードキャストサービスのサービス識別子と、を備えている。さらに、移動端末は、許可要求メッセージに対する応答メッセージを受信することができ、この応答メッセージは、ホーム基地局が要求されたマルチキャストサービスまたはブロードキャストサービスを配信することを許可されるのか、または、マルチキャストサービスまたはブロードキャストサービスの提供源における専用ベアラサービスを介しての配信を移動端末が要求するべきであるのか、を示している。
【００９９】
本発明の別の実施形態においては、移動端末の受信器ユニットは、許可要求メッセージに対する応答メッセージに応じて、サービス要求メッセージに応えてホーム基地局によってフェムトセルの中でブロードキャストされるサービス通知に示されているサービスの設定に従って、サービスデータを受信する、または、サービス要求メッセージに対する応答においてサービス要求の拒否がホーム基地局から受信される場合、移動端末とマルチキャストサービスまたはブロードキャストサービスの提供源との間の専用ベアラサービスを使用して、サービスデータを受信する。
【０１００】
本発明の別の実施形態は、命令を格納しているコンピュータ可読媒体であって、命令がプロキシゲートウェイのプロセッサによって実行されたとき、それに起因して、プロキシゲートウェイがマルチキャストプロキシ機能をホーム基地局に提供する、コンピュータ可読媒体、に関する。命令に起因して、プロキシゲートウェイは、マルチキャストサービスまたはブロードキャストサービスのサービス識別子と、位置情報とを備えている許可要求メッセージを、移動通信システムのコアネットワークの中のネットワーク要素であって、マルチキャストサービスまたはブロードキャストサービスの配信メカニズムを決定する役割を担っている、ネットワーク要素、に送信し、許可要求メッセージに対する許可応答メッセージを受信し、この許可応答メッセージは、マルチキャストサービスまたはブロードキャストサービスのサービスデータをホーム基地局に提供するために共有ベアラサービスが使用されるのか専用ベアラサービスが使用されるのかを示している。さらに、命令に起因して、共有ベアラサービスが使用される場合、プロキシゲートウェイは、サービスデータのマルチキャストを受信するためマルチキャストサービスまたはブロードキャストサービスのマルチキャストグループに参加し、ホーム基地局に関連するセッション制御シグナリングを転送する。
【０１０１】
さらなる実施形態においては、本発明は、命令を格納しているコンピュータ可読媒体であって、命令がホーム基地局のプロセッサによって実行されたとき、それに起因して、ホーム基地局が、移動通信システムのコアネットワークの中のプロキシゲートウェイに位置情報を送信し、マルチキャストサービスまたはブロードキャストサービスのサービス登録要求メッセージを、ホーム基地局のフェムトセルにアタッチしている移動端末からの対応する要求に応えて、プロキシゲートウェイに送信し、サービス登録要求メッセージに対する応答を受信し、応答メッセージが、マルチキャストサービスまたはブロードキャストサービスが、移動端末とマルチキャストサービスまたはブロードキャストサービスの提供源との間の専用サービスを介して移動端末に提供されるのか、または、マルチキャストサービスまたはブロードキャストサービスのサービスデータを、フェムトセルの中でさらに配信されるようにホーム基地局に配信するため、共有ベアラサービスが使用されるのか、を示している、コンピュータ可読媒体、を提供する。
【０１０２】
本発明の別の実施形態によるさらなるコンピュータ可読媒体は、命令を格納しており、この命令が移動端末のプロセッサによって実行されたとき、それに起因して、移動端末は、マルチキャストサービスまたはブロードキャストサービスのサービス要求メッセージを送信し、マクロセルレベルにおける移動端末の位置に関する位置情報を、フェムトセルを制御しているホーム基地局に送信し、マルチキャストサービスまたはブロードキャストサービスのサービス通知を受信し、サービス要求メッセージに応えてホーム基地局によってフェムトセルの中でブロードキャストされるサービス通知に示されているサービスの設定に従って、サービスデータを受信する、または、サービス要求メッセージに応えてホーム基地局からサービス要求の拒否が受信される場合、移動端末とマルチキャストサービスまたはブロードキャストサービスの提供源との間の専用ベアラサービスを使用して、サービスデータを受信する。
【０１０３】
あるいは、別の実施形態においては、コンピュータ可読媒体は命令を格納しており、命令が移動端末のプロセッサによって実行されたとき、それに起因して、移動端末は、マルチキャストサービスまたはブロードキャストサービスのサービス要求メッセージを、フェムトセルを制御しているホーム基地局に送信し、サービス要求メッセージに応えて、移動端末がホーム基地局を許可するためのトリガーである許可要求メッセージを、ホーム基地局から受信し、許可要求メッセージを移動通信システムのコアネットワークのネットワーク要素に送信し、許可要求メッセージは、ホーム基地局が、要求されるマルチキャストサービスまたはブロードキャストサービスのサービスエリアの中に位置しているかを、コアネットワークのネットワーク要素が判定することを可能にする位置情報と、マルチキャストサービスまたはブロードキャストサービスのサービス識別子と、を備えている。さらに、命令に起因して、移動端末は、許可要求メッセージに対する応答メッセージを受信し、この応答メッセージは、ホーム基地局が要求されたマルチキャストサービスまたはブロードキャストサービスを配信することを許可されるのか、または、マルチキャストサービスまたはブロードキャストサービスの提供源における専用ベアラサービスを介しての配信を移動端末が要求するべきであるのか、を示している。
【図面の簡単な説明】
【０１０４】
【図１】Ｅ−ＭＢＭＳサービスを実施するための例示的なＥ−ＵＴＲＡＮアーキテクチャを示している。
【図２】移動通信システムにおいてＥ−ＭＢＭＳサービスを開始するための例示的なセッション制御シグナリングフローを示している。
【図３】本発明の実施形態による、移動通信システムにおいてＥ−ＭＢＭＳサービスを開始するための改良された例示的なセッション制御シグナリングフローを示しており、この場合には例示を目的として、移動端末がサービスを要求する時点においてサービスのセッション開始が発生しているものと想定している。
【図４】本発明の別の実施形態による、移動通信システムにおいてＥ−ＭＢＭＳサービスを開始するための改良された例示的なセッション制御シグナリングフローを示しており、この場合には例示を目的として、移動端末がサービスを要求する時点においてサービスのセッション開始が発生していないものと想定している。
【図５】本発明の別の実施形態による、移動通信システムにおいてＥ−ＭＢＭＳサービスを開始するための改良された例示的なセッション制御シグナリングフローを示しており、この場合には例示を目的として、移動端末がサービスを要求する時点においてサービスのセッション開始が発生していないものと想定している。
【図６】本発明の例示的な実施形態による、ＭＢＭＳサービスを提供するための３ＧＰＰ  ＬＴＥ／ＳＡＥ移動通信システムの例示的なアーキテクチャを、ホーム基地局の配備を考慮して例示的に示している。
【図７】本発明の例示的な実施形態による、ＭＢＭＳサービスを提供するための３ＧＰＰ  ＬＴＥ／ＳＡＥ移動通信システムの例示的なアーキテクチャを、ホーム基地局の配備と、セキュリティ層およびマルチキャスト層の分離とを考慮して、例示的に示している。
【図８】本発明の例示的な一実施形態による、ホーム基地局（ホームｅノードＢ  ６０７）によって制御されるフェムトセルにおいてＭＢＭＳサービスを確立するための例示的なシグナリングフローを示している。
【図９】本発明の例示的な一実施形態による、ホーム基地局（ホームｅノードＢ  ６０７）によって制御されるフェムトセルにおいてＭＢＭＳサービスを確立するための例示的なシグナリングフローを示しており、サービスデータの配信メカニズムをホーム基地局の位置に基づいて決定するステップを含む。
【図１０】本発明の例示的な一実施形態による、ホーム基地局（ホームｅノードＢ  ６０７）によって制御されるフェムトセルにおいてＭＢＭＳサービスを確立するための例示的なシグナリングフローを示しており、サービスデータの配信メカニズムをホーム基地局の位置に基づいて決定するステップを含む。
【図１１】本発明の例示的な一実施形態による、ホーム基地局（ホームｅノードＢ  ６０７）によって制御されるフェムトセルにおいてＭＢＭＳサービスを確立するための別の例示的なシグナリングフローを示しており、サービスデータの配信メカニズムを、移動端末によって提供されるホーム基地局の位置に基づいて決定するステップを含む。
【図１２】本発明の例示的な一実施形態による、ホーム基地局（ホームｅノードＢ  ６０７）によって制御されるフェムトセルにおいてＭＢＭＳサービスを確立するための別の例示的なシグナリングフローを示しており、サービスデータの配信メカニズムを、移動端末によって提供されるホーム基地局の位置に基づいて決定するステップを含む。
【図１３】本発明の例示的な一実施形態による、ホーム基地局（ホームｅノードＢ  ６０７）によって制御されるフェムトセルにおいてＭＢＭＳサービスを確立するための例示的なシグナリングフローを示しており、サービスデータの配信メカニズムをホーム基地局に関するマクロセル層の位置情報に基づいて決定するステップを含む。
【図１４】本発明の例示的な一実施形態による、ホーム基地局（ホームｅノードＢ  ６０７）によって制御されるフェムトセルにおいてＭＢＭＳサービスを確立するための例示的なシグナリングフローを示しており、サービスデータの配信メカニズムをホーム基地局に関するマクロセル層の位置情報に基づいて決定するステップを含む。
【図１５】本発明の例示的な一実施形態による、ホーム基地局（ホームｅノードＢ  ６０７）によって制御されるフェムトセルにおいてＭＢＭＳサービスを確立するための別の例示的なシグナリングフローを示しており、サービスデータの配信メカニズムを、移動端末によって提供されるホーム基地局に関するマクロセル層の位置情報に基づいて決定するステップを含む。
【図１６】本発明の例示的な一実施形態による、ホーム基地局（ホームｅノードＢ  ６０７）によって制御されるフェムトセルにおいてＭＢＭＳサービスを確立するための別の例示的なシグナリングフローを示しており、サービスデータの配信メカニズムを、移動端末によって提供されるホーム基地局に関するマクロセル層の位置情報に基づいて決定するステップを含む。
【発明を実施するための形態】
【０１０５】
以下では、本発明について、添付の図面を参照しながらさらに詳しく説明する。図面における類似または対応する細部は、同じ参照数字を使用して表してある。
【０１０６】
以下の段落では、本発明のさまざまな実施形態について説明する。例示のみを目的として、ほとんどの実施形態は、上の背景技術において説明したＳＡＥ／ＬＴＥに従っての（Ｅ−）ＵＭＴＳ通信システムに関連して概説してある。なお、本発明は、例えば、ＳＡＥ／ＬＴＥ通信システムなどの移動通信システムに関連して有利に使用できるが、本発明は、この特定の例示的な通信ネットワークにおける使用に限定されない。
【０１０７】
上の背景技術に示した説明は、本明細書に記載した主としてＳＡＥ／ＬＴＥに関連する特定の例示的な実施形態を深く理解することを目的としており、移動通信ネットワークにおけるプロセスおよび機能の、説明した特定の実施形態に本発明を制限するものではないことを理解されたい。しかしながら、本文書において提案する改良は、背景技術に説明したアーキテクチャ／システムにおいて容易に適用することができ、本発明のいくつかの実施形態においては、これらのアーキテクチャ／システムの標準的な手順および改良された手順を利用することもできる。
【０１０８】
上述したように、本発明の主たる一態様は、マルチキャストサービスまたはブロードキャストサービスをユーザが要求した時点で、移動通信ネットワークの一般的な有線ネットワーク（例えば、ＲＡＮおよびＣＮ）（の少なくとも一部）の中で、マルチキャストサービスまたはブロードキャストサービスのためのセッション制御シグナリングを確立することである。したがって、無線セルの中でＭＢＭＳサービスが利用可能であることが通知されている場合にのみ移動端末がＭＢＭＳサービスを要求するという、従来のＭＢＭＳアーキテクチャおよびＥ−ＭＢＭＳアーキテクチャにおける基本構造から脱することができ、移動端末は、移動端末において利用できるサービスアナウンスメント情報に基づいて、特定のマルチキャストサービスまたはブロードキャストサービスのサービス要求を自身の現在の基地局に送信し、これによって、自身がサービスを希望することをネットワークに通知することができる。受信側の基地局は、この要求メッセージに応えてネットワークをトリガーし、ネットワークは、要求メッセージを受信した基地局、もしくは、無線アクセスネットワークの１つまたは複数の論理的部分（いわゆるトラッキングエリア）であって、サービス要求を送った移動端末が登録されている、またはサービス要求を受信した基地局が属している、論理的部分に、セッション制御シグナリングを提供する。
【０１０９】
セッション制御シグナリングの提供は、例えば、基地局が、自身に関連付けられている移動管理エンティティをトリガーして、これにより移動管理エンティティが、移動通信ネットワークと、要求されるマルチキャストサービスまたはブロードキャストサービスの提供源が位置しているサービスネットワークとを相互接続する役割を担うゲートウェイにマルチキャストサービスまたはブロードキャストサービスを登録することによって、達成することができる。マルチキャストサービスまたはブロードキャストサービスの提供源（例えば、ｅＢＭ−ＳＣ）がサービスの開始をすでに示しているときには、ゲートウェイ（例えば、Ｅ−ＭＢＭＳ  ＧＷ）が、そのサービスを登録している移動管理エンティティにセッション開始メッセージを配信する。移動管理エンティティは、このセッション開始メッセージを基地局にさらに配信する。移動管理エンティティは、例えば、自身がトリガーを最初に受信した送信元の基地局にセッション開始メッセージを配信することができるが、別のオプションとして、基地局に関連付けられるトラッキングエリア（ＴＡ）に基づいて配信する、または移動管理エンティティのプールエリアの中に含まれている基地局に配信することも可能である。さらには、ゲートウェイは、マルチキャストサービスデータまたはブロードキャストサービスデータを配信するためにコアネットワークおよび無線アクセスネットワークの中で利用されるマルチキャストアドレス（例えば、マルチキャストＩＰアドレス）を、マルチキャストサービスまたはブロードキャストサービスに割り当てる役割を担うことができる。
【０１１０】
要求されるシグナリング接続の終端に関して、ゲートウェイは、登録されている移動管理エンティティのみをインタフェースし、その一方で、移動管理エンティティは、最初にトリガーを送ったサービスエリアの基地局、または最初にトリガーを送った基地局と同じトラッキングエリアまたはプールエリアに含まれている基地局のみをインタフェースする。したがって、サービスエリアの中の基地局に向けて要求されるシグナリング接続の数を、いくつかのノードに分散させることができる。
【０１１１】
以下では、本発明のいくつかの例示的な実施形態について、移動通信システムの例示的な実施形態としてのＥ−ＵＴＲＡＮと、マルチキャストサービスまたはブロードキャストサービスの例としての（Ｅ−）ＭＢＭＳサービスとに関連して、説明する。用語「ユーザ機器（ＵＥ）」および「移動端末」と、用語「ｅノードＢ」および「基地局」は、それぞれ、本文書においては同義語として使用している。
【０１１２】
サービスエリア（以下の実施形態においてはＭＢＭＳサービスエリアとも称する）は、一般に、特定の地理的領域にわたる一連のｅノードＢから構成されている。例えば、ＭＢＭＳサービスエリアは、モバイル事業者のＰＬＭＮ全体にわたることがある。事業者は、ＭＢＳＦＮエリアにおいてＳＦＮ無線送信を利用することによる恩恵を受ける目的で、予測されるユーザの分布に応じて１つまたは複数のＭＢＳＦＮエリアを構成設定することができる。このことは、都市の中心などユーザの分布密度が高いエリアに特に関係しており、なぜなら、このようなエリアにはサービスを希望するユーザがつねに存在しており、したがって、このようなエリアではＭＢＭＳサービスを配信することが必ず要求されるものと想定できるためである。したがって、本明細書における本発明のすべての実施形態において、オプションとして、サービスエリアの特定の部分については、ユーザの要求またはユーザの存在には関係なく（例えば、ＳＦＮ送信を提供することによって）マルチキャストサービスまたはブロードキャストサービスを提供するように構成設定することが可能である。
【０１１３】
この場合には一般的に、ｅノードＢは、マルチキャストサービスまたはブロードキャストサービスを配信するためには、サービスを配信するための必要なパラメータを取得する目的で、セッション制御シグナリングを受信する必要があるものと想定することができる。したがって、これらのパラメータをセッション開始メッセージによってｅノードＢに知らせることができ、セッション開始メッセージは、例えば、サービスデータを配信するために移動通信ネットワークの有線部分において使用されるマルチキャスト（ＩＰ）アドレスと、各サービスを識別するためにネットワークにおいて使用されるサービス識別子（例：ＴＭＧＩ）とを、ｅノードＢに知らせることができる。
【０１１４】
ＭＢＳＦＮエリアにおいては、いずれかのユーザからの能動的なサービス要求には関係なく、ＭＢＳＦＮエリアに含まれているｅノードＢにセッション開始メッセージをつねに提供することを想定することができる。ＭＢＳＦＮエリアに含まれているｅノードＢはセッション開始メッセージを受信し、これにより、これらのｅノードＢは、コアネットワークとｅノードＢとの間でのネットワークにおけるサービスの配信（例えば、サービスに割り当てられているＩＰマルチキャストアドレスを使用する配信）に参加し、セルへの自身の無線インタフェース上で（例えば、ＭＴＣＨ上で）サービスを提供することができる。さらには、これらのｅノードＢは、利用可能なサービスの通知を、セルへの自身の無線インタフェース上で（例えばＭＣＣＨ上で）提供することもできる。そのようなセルの中に位置しているＵＥ、またはそのようなセルに移動するＵＥは、例えばＭＣＣＨ上で通知情報を読み取った後、例えばＭＴＣＨ上でＭＢＭＳサービスの無線送信を受信することができる。
【０１１５】
図３は、移動端末がマルチキャストサービスまたはブロードキャストサービス（ＭＢＭＳサービス）を要求し、そのサービスのセッション制御シグナリングの配信をトリガーするための、本発明の実施形態による例示的なシグナリングフローを示している。ＭＢＭＳサービスエリアは、上述したＭＢＳＦＮエリアとは異なり、ユーザ密度が相当に低いエリア（例えば、田舎エリア）も含むことがある。モバイル事業者のネットワークの配備状況と、ＭＢＭＳサービスエリアの構成設定とによっては、これらの非ＭＢＳＦＮエリアが、ＭＢＭＳサービスエリアのうちの大きい方の部分を形成しており、場合によっては多数のｅノードＢを含むことがある。セルあたり少なくとも１人のサービスを希望するユーザが存在することを想定することはできないため、ＭＢＳＦＮエリアの外側の各ｅノードＢにセッション開始メッセージを配信することは、多数の不必要なシグナリングにつながることがある。したがって、このようなエリアにおいては、初期設定として、ユーザからの能動的なサービス要求がなければセッション開始メッセージを配信しないものと想定する。
【０１１６】
ＵＥは、例えば、以前にサービスに加入していた、あるいは希望するサービスをアドバタイズするサービスアナウンスメントを受信したなどの理由により、希望するサービスを認識している。ＵＥは、この情報を有することにより、たとえ現在のセルにおいて通知がブロードキャストされなくても、そのサービスがネットワークの中で一般的に利用可能であるものと推測することができ、したがって、これらのサービスの受信を試みることができる。（特定のサービスのＭＢＳＦＮエリアに属していない、すなわちシングルセル送信が使用される）セルの中にＵＥが位置している場合、ＵＥは、このサービスのサービス通知または無線ベアラがセルの中に存在していないことを検出する（３０１）ことができる。
【０１１７】
この検出をトリガーとして、ＵＥは、そのサービスのサービス要求（例えば、ＭＢＭＳサービス要求メッセージ）を、現在のセルを制御しているｅノードＢに送信する（３０２）ことができる。このＭＢＭＳサービス要求は、サービスのサービス識別子（例：ＴＭＧＩ）もしくはＩＰマルチキャストアドレス、またはその両方と、オプションとして、ＵＥが登録されている１つまたは複数のトラッキングエリア（例えば、各トラッキングエリア識別子ＴＡＩによる）とを含むことができる。ｅノードＢ  １０７は、特定のサービスの最初のサービス要求をＵＥから受信すると、移動管理エンティティを選択し（３０３）、そのサービスのサービス要求を、選択した移動管理エンティティＭＭＥ  １０４に送信する（３０４）。
【０１１８】
ＭＭＥの選択は、例えば、要求されたサービスに基づくことができ、例えば、あらかじめ設定された移動管理エンティティがネットワークの中のすべてのＭＢＭＳサービスを処理することができる。この移動管理エンティティは、要求側のＵＥが現在アタッチしている移動管理エンティティとは異なっていてもよい。トリガーメッセージ（すなわち、この例においてはｅノードＢ  １０７のサービス要求）は、サービスのＴＭＧＩもしくはＩＰマルチキャストアドレス、またはその両方によって、要求されたサービスを識別していることができる。さらには、トリガーメッセージは、オプションとして、ＵＥが登録されている１つまたは複数のトラッキングエリアを含むことができる。ＵＥのこれらのトラッキングエリアは、ＵＥからのサービス要求に含めることができる。あるいは、例えば、ＵＥからのサービス要求にトラッキングエリアが示されていない場合、ｅノードＢ  １０７は、自身が属しているトラッキングエリアを認識して、このトラッキングエリアをＭＭＥ  １０４へのサービス要求の中で示すことができ、または、ＭＭＥ  １０４へのサービス要求にトラッキングエリア情報を含めず、ＭＭＥ  １０４が、ｅノードＢのサービス要求の中のｅノードＢの識別子からトラッキングエリアを導くことができる。
【０１１９】
ｅノードＢ  １０７からの（ＭＢＭＳサービス要求の形における）トリガーを受信したＭＭＥ  １０４は、要求されたサービスのセッション制御シグナリング（具体的にはセッション開始メッセージ）を受信する目的で、Ｅ−ＭＢＭＳ  ＧＷ  １０２にサービスを登録する（３０５）。この登録は、例えば、サービスのサービス識別子、ＴＭＧＩ、ＩＰマルチキャストアドレスのうちの少なくとも１つを含むことができる。ｅノードＢ  １０７がＭＭＥ  １０４を選択するのと同様に、ＭＭＥ  １０４は、ＭＢＭＳサービスに基づいてＥ−ＭＢＭＳ  ＧＷ  １０２を選択することができる。オプションとして、ネットワークにおいてＥ−ＭＢＭＳ  ＧＷ  １０２をあらかじめ設定することができる。
【０１２０】
図３の例においては、例示を目的として、Ｅ−ＭＢＭＳ  ＧＷ  １０２は、サービス開始の指示情報をｅＢＭ−ＳＣ  １０１からすでに受信している（３０６）、すなわち、ＭＭＥ  １０４が登録を送っている（３０５）対象のセッションはすでに進行中であるものと想定する。したがって、Ｅ−ＭＢＭＳ  ＧＷ  １０２は、セッション開始メッセージをＭＭＥ  １０４に送信し（３０７）、このメッセージは、サービスを識別しており、サービスデータの配信に使用されるマルチキャストアドレス（例えば、ＩＰマルチキャスト（ＭＣ）アドレス）も含む（このＩＰマルチキャストアドレスは、例えばセッションの開始時にＥ−ＭＢＭＳ  ＧＷ  １０２によって選択および設定することができる）。
【０１２１】
上述したように、ＭＭＥ  １０４は、ＭＢＭＳサービスのサービス要求をもともと受信した（３０４）送信元のｅノードＢ  １０７のトラッキングエリアがサービス要求に示されていない場合、このトラッキングエリアを、例えばｅノードＢの識別子から導くことができる。あるいは、ｅノードＢ  １０７からのサービス要求メッセージが、ｅノードＢ  １０７のトラッキングエリア、またはＵＥが登録されている１つまたは複数のトラッキングエリアを示していることができる。したがって、ＭＭＥ  １０４は、自身が導いた、またはメッセージに示されている１つまたは複数のトラッキングエリアに含まれているすべてのｅノードＢに、セッション開始を送信する（３０８）ことができる。図３の例においては、ｅノードＢ  １０７およびｅノードＢ  １０８が同じトラッキングエリアに属しており、したがって、ＭＭＥ  １０４がこれらのｅノードＢにセッション開始メッセージを送信する（３０８）ものと想定することができる。
【０１２２】
ＭＭＥ  １０４からのセッション開始メッセージが提供される１つまたは複数のｅノードＢには、それぞれのセルにおいて（例えば、ＭＣＣＨなど共通の制御チャネル上での）サービス通知もしくはサービス、またはその両方の提供を開始する（３０９，３１０）ための必要な情報が知らさせる。少なくとも、ＵＥからのサービス要求を受信したｅノードＢ  １０７は、次に、アップストリームルータに参加メッセージを送信することによって、トランスポートネットワーク層（ＴＮＬ）におけるＩＰマルチキャスト送信に参加する（３１１）ことができる。参加メッセージを送ったすべてのｅノードＢは、マルチキャストサービスまたはブロードキャストサービスのマルチキャスト配信ツリーに参加した時点で、サービスデータを受信し（３１２）、それぞれのセルの中でそのサービスデータを例えばＭＴＣＨ上で提供する（３１３）ことができる。ＵＥからの対応するサービス要求を受信することなくセッション開始を受信した（３０８）ｅノードＢは、従来のシステムと同様に、例えば（図１に例示したように）カウンティング手順を実行することによって、この時点でサービスのマルチキャスト配信に参加してＭＴＣＨリソースを割り当て、それぞれのセルにおいてサービスデータの送信を開始するのか、あるいは、これらを行う前にユーザからのサービス要求を待機するのかを決定することができる。
【０１２３】
上述したように、ＵＥからのサービス要求を受信したｅノードＢによってトリガーされる移動管理エンティティは、例えば、トリガー側のｅノードＢの１つまたは複数のトラッキングエリアをトリガーメッセージ（ｅノードＢの識別子を含む）から導くことができ、次いで、それら１つまたは複数のトラッキングエリアに含まれているすべてのｅノードＢにセッション開始メッセージを送信することができる。したがって、これにより、マルチキャストサービスまたはブロードキャストサービスに対してＵＥから送信する必要があるサービス要求を、トラッキングエリアあたり１つのみとすることができる。
【０１２４】
しかしながら、使用される移動メカニズムによっては、ＵＥがいくつかのトラッキングエリアに同時に割り当てられていることがある。特にこの状況においては、ＵＥが、ｅノードＢへのサービス要求に、自身が割り当てられているトラッキングエリアすべてを含めることが有利なことがある（ＵＥがアイドルモード移動を使用してネットワークの中を移動している場合、ｅノードＢは必ずしも自身のカバレッジエリアの中のＵＥを認識していない）。さらには、このサービス要求を受信したｅノードＢは、自身が選択するＭＭＥにこの情報を転送することができ、そのＭＭＥは、要求側のＵＥが割り当てられているすべてのトラッキングエリアに含まれているすべてのｅノードＢに、セッション開始メッセージを送信することができる。このようにして、ＵＥからの必要なサービス要求の数を、そのＵＥのアイドルモード移動エリア全体に対してつねに１つに制限することができる。
【０１２５】
本発明の例示的な実施形態についての、図３を参照しながらのここまでの説明は、（セッション制御シグナリングの一部としての）セッション開始メッセージの配信と、サービス提供の確立とに焦点を当ててきた。一般に、セッションの停止は、この制御メッセージと対をなすものであり、一般にはやはりセッション制御シグナリングの一部である。Ｅ−ＭＢＭＳ  ＧＷ  １０２にサービスの停止が示されると、Ｅ−ＭＢＭＳ  ＧＷ  １０２は、登録されているＭＭＥすべてにセッション停止メッセージを送信し、それらのＭＭＥは、自身が以前にセッション開始メッセージを送ったｅノードＢすべてに、このメッセージを転送する。受信側ｅノードＢは、このセッション停止メッセージに応えて、サービスデータの送信用に割り当てられている無線リソースを解放することができ、以降、そのサービスが利用可能であることを自身のセルの中でのサービス通知に示さないようにすることができる。
【０１２６】
上述した本発明の実施形態を使用することにより、ＵＥからのサービス要求の送信を、ＵＥのアイドルモード移動エリア（例えば、現在の１つまたは複数のトラッキングエリア）あたり１つのサービス要求に制限することができる。しかしながら、その時点のアイドルモード移動エリアの境界を越えると、ＵＥはサービス要求を送信する必要が生じうる。ＵＥの移動状況によっては、アイドルモード移動エリアが何度も変化することがある。例えば、２つのトラッキングエリアの間の境界に沿って移動しているＵＥを考えると、現在選択されているトラッキングエリアではない方のトラッキングエリアのセルが、より良好な信号強度を提供しているということが頻繁に起こることがあり、したがって、ＵＥがそのセルを選択することによってトラッキングエリア（アイドルモード移動エリア）が変化する。
【０１２７】
すべてのＵＥについて、ＵＥが登録されているすべてのトラッキングエリアにおけるサービスの可用性を確保するべきである場合、上述した手順を各ＵＥに対して実行するべきであり、このことは、すべてのＵＥが同じＭＢＭＳサービスのサービス要求を送信しなければならないことを意味する。しかしながら、登録をトリガーしてトラッキングエリア全体にセッション開始を配信するためには、１つのｅノードＢにおいて１つのサービス要求が必要とされるのみである。したがって、実際のＵＥの分布によっては、多くのサービス要求が不必要に送信されることがある。
【０１２８】
さらには、上に概説した本発明の一態様によると、ＵＥは、実際のサービス送信より前の任意の時刻にサービス要求を送信することがある。この場合、Ｅ−ＭＢＭＳ  ＧＷ  １０２にセッション開始の指示情報が到着しておらず、したがって、Ｅ−ＭＢＭＳ  ＧＷ  １０２は、トリガーされた移動管理エンティティの登録を拒否することがある。
【０１２９】
本発明の一態様によると、ＵＥからのサービス要求は、ＵＥにおいて利用可能なサービスアナウンスメント情報に基づいて送信することができる。ＵＥが（サービスの開始の前の）任意の時刻にサービス要求を送信しうるという問題に対処する目的で、サービスアナウンスメントが、サービスセッションの開始時刻に関する情報を含むことができる。ＵＥは、その後、サービス要求を送信するタイミングを決定するときにこの情報を考慮することができる。当然ながら、多数のＵＥ（例えば、サービスを希望するすべてのＵＥ）が、特定のマルチキャストサービスまたはブロードキャストサービスのための同じサービスアナウンスメントを受信するものと想定しなければならない。結果として、多数のＵＥがｅノードＢにサービス要求を同時に送信する状況となることがあり、アップリンク無線リソースの輻輳につながりうる。このような種類の問題を回避する目的で、サービスアナウンスメントは、サービス要求の送信をランダム化するためのパラメータをさらに含むことができる。例えば、セッションのアナウンスメントは、各ＵＥが自身のサービス要求を送信することのできるタイミングをランダム化するためのパラメータを有する開始時ランダム化要素を含むサービス記述（例えば、ＭＢＭＳユーザサービス記述）を備えていることができる。
【０１３０】
しかしながら、ＵＥによるサービス要求の送信と、サービスプロバイダ（例：ｅＢＭ−ＳＣ  １０１）によるセッション開始の実際の指示情報との間に依然として時間差が生じることがある。このような状況が発生しうる例は、予定されているサービスが遅れるときである。サービス（例えばライブイベント）が午後７時に予定されているが、このサービスの実際の開始が３０分延期されることがある。サービスアナウンスメントは、午後７時より少し前に（例えば、１０秒早く）サービス要求を送信するようにＵＥに命令することができる。一般に、サービスアナウンスメント情報はＵＥに格納され、変更される場合にこれを更新することができない。さらに、セッション開始の指示情報がサービスプロバイダ（ｅＢＭ−ＳＣ  １０１）から送信されるまではサービスコンテキストが確立されないため、ネットワークは変更について認識していない。したがって、変更前のサービスアナウンスメント情報を遵守するＵＥは、サービスの提供を予測し、したがって、サービスのセッション開始より前にサービス要求を送信することがある。いずれのｅノードＢにおいてもサービスは提供されないため、移動状況によってはこの状況が頻繁に起こることがあり、結果として、バッテリー電力などＵＥのリソースが無駄になることがある。
【０１３１】
上記の問題を回避する目的で、本発明の別の実施形態では、サービス要求が送信されるタイミングに応じてネットワークにおいて異なるタイプのセッション開始指示情報を利用することを提案する。以下では、このアイディアについて、図４に示した本発明の実施形態による例示的なシグナリングフローを参照しながら、例示的に概説する。サービスの実際の開始より前に、あるＵＥによるサービスの開始要求について他のＵＥに通知する目的で、ネットワークにおいて仮のセッション開始（provisional session start）を使用することができる。この仮のセッション開始メッセージは、サービス識別子（例：ＴＭＧＩ）のみを含むことができ、それ以外のサービスパラメータはネットワークにまだ認識されていないため含まない。
【０１３２】
図３と同様に、ＵＥ＃１は、サービスが利用可能であることを、対応するサービスアナウンスメントに基づいて推測することができるが、無線セルの中ではサービスが利用可能ではないことを検出する（３０１）ことができる。ＵＥ＃１は、サービス要求をｅノードＢ  １０７に送信し（３０２）、ｅノードＢ  １０７は、選択されたＭＭＥ  １０４にトリガーメッセージを送信する（３０４）。ＭＭＥ  １０４は、前述したように、Ｅ−ＭＢＭＳ  ＧＷにおける登録（３０５）を試みる。
【０１３３】
ＭＭＥ  １０４による登録が送信された対象のサービスのセッション開始はまだ行われていないため、Ｅ−ＭＢＭＳ  ＧＷ  １０２は、拒否の原因を示す登録拒否メッセージをＭＭＥ  １０４に送信する（４０１）。この拒否メッセージは、Ｅ−ＭＢＭＳ  ＧＷ  １０２においてサービスについてＭＭＥ  １０４が登録されなかったことを意味するのではなく、セッション開始がまだ行われていないことを単に示している。ＭＭＥ  １０４は、サービスがまだ開始されていないという理由によってゲートウェイ（例：Ｅ−ＭＢＭＳ  ＧＷ  １０２）における自身の登録が拒否メッセージによって拒否された場合、要求側ｅノードＢのトラッキングエリアの中のｅノードＢに仮のセッション開始を配信する（４０２）。
【０１３４】
仮のセッション開始メッセージを受信したすべてのｅノードＢ（ｅノードＢ  １０７を含む）は、それぞれのセルの中での仮のＭＢＭＳ通知（例えば、ＭＣＣＨ上での各シグナリング情報による）の提供（４０３）を開始する。この仮のＭＢＭＳ通知（サービス識別子（例：ＴＭＧＩ）を含む）を受信したＵＥ（例えば、ＵＥ＃１およびＵＥ＃２）は、サービスの提供がすでに要求されたことを認識し、したがって、さらなるサービス要求の送信を控えることができる。例えば、ＵＥ＃２はサービス要求を送信しない。このようにして、トラッキングエリア全体の中でサービス要求を送信しなければならないのは、１つのＵＥ（ＵＥ＃１）のみである。
【０１３５】
ｅＢＭ−ＳＣ  １０１によってサービスの実際の開始が示される（３０６）と、前述したように、ｅノードＢにサービスを提供するために必要なすべての情報を含むセッション開始メッセージがネットワークから配信される（３０７，３０８）。同様に、セッション開始を受信したすべてのｅノードＢは、サービスのマルチキャスト配信ツリーに参加する（３１１）か否かと、それぞれのセルにサービスを通知して（３０９）提供する（３１２，３１３）か否かとを、決定することができる。「通常の」セッション開始メッセージは、仮のセッション開始と比較すると、必要なサービスパラメータと、ネットワークにおいて（ＭＢＭＳ）ベアラを確立するために要求される情報（例えば、Ｅ−ＭＢＭＳ  ＧＷ  １０２とｅノードＢとの間でネットワークにおいてサービスデータを配信するために使用されるＩＰマルチキャストアドレス）とをさらに含む。
【０１３６】
上述した場合と同様に、サービスのセッション停止は、ｅＢＭ−ＳＣ  １０１からＥ−ＭＢＭＳ  ＧＷ  １０２に示すことができ、Ｅ−ＭＢＭＳ  ＧＷ  １０２は、登録されているすべてのＭＭＥにセッション停止メッセージを配信し、それらのＭＭＥは、以前にセッション開始メッセージを送ったすべてのｅノードＢに、この停止メッセージを転送する。ｅノードＢは、仮のセッション開始メッセージのみを受信している場合、仮のサービス通知を送信するための無線リソースが割り当てられているならば、それを解放する。セッション開始メッセージを受信したすべてのｅノードＢは、それぞれのセルにおいてサービスデータおよびサービス通知を送信するための無線リソースが割り当てられている場合、それを解放することができる。
【０１３７】
図４に関連して上述した例においては、ＵＥは、サービスの実際の開始より前の任意の時刻においてサービス要求を送信することができる。ＵＥは、セッションの開始時点までに、異なるトラッキングエリアに属している異なる位置にネットワークの中で移動することがある。ＵＥの移動状況によっては、この位置は、ＵＥが最初にサービス要求を送った位置と比較してまったく異なっていることがある。図４に関連する上記の実施形態は、このような状況において、ＵＥのリソースを節約する目的でＵＥからの必要なシグナリングを制限する課題に関連している。ＵＥの移動によって生じうる別の問題は、ネットワークにおけるリソースに関連する。
【０１３８】
例えば、ＵＥが特定のマルチキャストサービスまたはブロードキャストサービスのサービス要求を自身の現在のｅノードＢに送信することを考える。サービスがまだ開始されていない場合、この結果として、現在のトラッキングエリアのすべてのセルにおいて仮のセッション開始が送信されうる。しかしながら、サービス要求を送ったＵＥが、このトラッキングエリアの外側に移動するということが起こりうる。さらに、このサービスを希望する別のＵＥが存在しないということも起こりうる。したがって、ネットワークでは、セルにおいて仮のＭＢＭＳ通知が不必要に提供され、例えばｅＢＭ−ＳＣ  １０１によってサービスがいったん開始された後は、ネットワークにおいて不必要にサービスが提供される。
【０１３９】
移動がサービスの開始前に起こるものと想定すると、隣のトラッキングエリアに移動したＵＥは、再びサービス要求を送信する。したがって、実際のサービス開始までの時間およびＵＥの移動状況によっては、サービスを希望するＵＥが実際には含まれていない登録済みのトラッキングエリアが多数存在することがあり、結果として、ネットワークにおける不必要なシグナリングと、ネットワークリソースおよび無線リソースの不必要な割り当てとが生じる。
【０１４０】
この種類の問題を回避する目的で、本発明の別の例示的な実施形態によると、ネットワークにおいて、例えば移動管理エンティティにおけるタイマーに基づいて仮のサービス通知を発行する。このソリューションは、図５のシグナリングフローに例示してある。図４と同様に、ＵＥ＃１は、セッション開始が実行されていないサービスのサービス要求を送信する。したがって、これにより、ＭＭＥ  １０４の登録（ステップ３０５）を参照）が、Ｅ−ＭＢＭＳ  ＧＷ  １０２によって「拒否」される（４０１）。ＭＭＥ  １０４は、Ｅ−ＭＢＭＳ  ＧＷ  １０２から拒否メッセージを受信した後、仮のセッション開始メッセージをｅノードＢに送信する（４０２）時点で、例えばタイマーをスタートさせる（５０１）ことができる。このタイマーが切れたとき（５０２）、ＭＭＥ  １０４は、自身が以前に仮のセッション開始メッセージを送ったすべてのｅノードＢに仮通知停止を送信する（５０３）。受信したｅノードＢは、自身における仮のＭＢＭＳサービス通知を停止し、オプションとして、関連付けられるリソースを解放することができる。
【０１４１】
移動管理エンティティにおいてタイマーをスタートさせる代わりに、ＭＭＥ  １０４が仮のセッション開始メッセージの中でタイマー値をｅノードＢに配信することもでき、ｅノードＢは自身の中でタイマーを実行する。ｅノードＢは、自身のタイマーが切れた時点で、仮のＭＢＭＳサービス通知の提供を停止し、したがって、この代替実施形態においては、ＭＭＥ  １０４からの仮通知停止メッセージ（５０３を参照）が必要ない。
【０１４２】
（ＭＭＥまたはｅノードＢの中の）タイマーが切れて、ｅノードＢが仮のＭＢＭＳサービス通知の送信（４０３）を停止すると、一般的には以下の状況が起こりうる。１つのシナリオにおいては、サービスを希望するＵＥは、トラッキングエリアの中に依然として存在している。この場合、これらのＵＥは仮のＭＢＭＳサービス通知が存在しないことを検出し、したがって、サービス要求を送信または再送信することができ、これにより仮のＭＢＭＳサービス通知が再びトリガーされ、最終的にはマルチキャストサービスまたはブロードキャストサービスの提供を開始することができる。
【０１４３】
もう１つのシナリオにおいては、トラッキングエリアの各セルの中に、サービスを希望するＵＥがもはや存在しない。この場合、サービス要求を送信するＵＥが存在せず、したがって、ＭＭＥ  １０４は、この特定のエリアにおいてサービス配信は必要ないことを認識する。したがって、ｅＢＭ−ＳＣ  １０１によってセッション開始がトリガーされたとき、ＭＭＥ  １０４は、サービスを希望するＵＥが実際に含まれているトラッキングエリアにセッション制御シグナリングを配信するのみである。オプションとして、ＭＭＥ  １０４は、さらなるサービス要求を受信しない場合、自身をＥ−ＭＢＭＳ  ＧＷ  １０２から登録抹消することもできる。
【０１４４】
図５の例示的なシグナリングフローにおいては、ＭＭＥ  １０４に維持されているタイマーが切れることによって、以前に仮のセッション開始メッセージを受信したｅノードＢ（ｅノードＢ  １０７を含む）に仮通知停止の指示情報が送信され（５０３）、これによってｅノードＢが仮のＭＢＭＳサービス通知を停止する。仮のＭＢＭＳサービス通知が停止されるため、ＵＥ＃２は、（仮の、または通常の）サービス通知が存在しないことを検出し（５０４）、したがって、サービスのサービス要求を送信する（５０５）ことができる。図３および図４における状況と同様に（ステップ３０１〜３０５を参照）、このサービス要求によって、ＭＭＥ  １０４がサービスをＥ−ＭＢＭＳ  ＧＷ  １０２に登録することができ、Ｅ−ＭＢＭＳ  ＧＷ  １０２に登録された後のステップは、要求されるサービスが開始されるか否かに依存する。
【０１４５】
上述した手順およびメカニズムは、サービスエリア全体においてサービスの送信が要求されないことを例示的に想定したうえで、ネットワークにおけるセッション開始メッセージの配信を最適化し、ＵＥからの必要なシグナリングを制限することを目的としている。しかしながら、サービスによっては、セッション制御シグナリング（セッション開始を含む）をＭＢＭＳサービスエリア全体の中のすべてのｅノードＢに配信することが必要であることがある。例えば、緊急サービスは、できる限り小さな遅延においてＭＢＭＳサービスエリア全体に提供することが要求されうる。
【０１４６】
本発明の別の実施形態によると、特定のサービスを初期設定においてサービスエリア全体に配信する必要があるか否かを、ネットワークにおいて決定することができる。この決定に従って、セッション制御シグナリングを配信する方式、すなわち、セッション制御シグナリングをサービスエリア全体の中のすべてのｅノードＢに提供するのか、または、上述したようにセッション制御シグナリングをＵＥのサービス要求に基づいて配信する方式を利用するのかを、さらに決定することができる。さらには、セッション制御シグナリングの配信方式について、すなわち、本文書に記載したセッション開始の最適化を利用するのか否かを、ネットワークエンティティおよびＵＥに知らせるべきである。
【０１４７】
本文書に記載した、最適化された手順を利用するかを決定するための１つの可能なオプションは、サービスの設定に基づいて、すなわち、サービスパラメータまたはサービスタイプに応じて決定を行うことである。
【０１４８】
一般に、ＭＢＭＳサービスは、移動通信ネットワークにおけるサービスの提供源であるｅＢＭ−ＳＣ  １０１において設定される。ｅＢＭ−ＳＣ  １０１は、ＵＥへのサービスアナウンスメント情報を提供し、また、サービスセッションの開始をネットワークに示す。
【０１４９】
ＵＥの挙動（すなわち、サービス要求の送信）は、上述したようにサービスアナウンスメント情報に基づくことができる。例えば、ＵＥは、サービス要求を送信するタイミングの決定において、サービスアナウンスメントの中でアナウンスされるセッション開始時刻を考慮することができる。さらなる実施形態においては、サービスアナウンスメント情報は、セッション制御シグナリングの最適化された配信を利用するか否かを、ＵＥにさらに示すことができる。例えば、セッション開始をサービスエリア全体に配信することが要求されるサービスの場合、サービスアナウンスメントは、最適化を使用しないことを示す。したがって、この場合、ＵＥは、ＭＢＭＳ無線ベアラが提供されていないセルにおいてＭＢＭＳ通知を受信したときにのみ、サービス要求を送信することができる。
【０１５０】
セッション制御シグナリングの最適化された配信の使用についてネットワークに知らせる目的で、ｅＢＭ−ＳＣ  １０１によって送信されるセッション開始メッセージは、例えば、セッション制御シグナリングの望ましい配信方式をＥ−ＭＢＭＳ  ＧＷ  １０２に示すフラグを伝えることができる。別のオプションとしては、望ましい配信方式に関連付けられる、例えばサービスの識別子またはサービスタイプの識別子を、セッション開始メッセージに含めることができる。いずれの場合にも、Ｅ−ＭＢＭＳ  ＧＷ  １０２は、セッション制御シグナリングの配信方式を、セッション開始メッセージに含まれている情報に基づいて決定することができる。例えば、Ｅ−ＭＢＭＳ  ＧＷ  １０２は、セッション制御シグナリングの最適化された配信を利用しないことを決定した場合、例えば、サービスエリア全体の中のすべてのｅノードＢにセッション開始メッセージを配信することができる。
【０１５１】
以下では、本発明のもう１つの態様、すなわち、ホーム基地局によって制御されるフェムトセルにおけるマルチキャストサービスまたはブロードキャストサービスの配備を中心に説明する。一般的に、用語「ホーム基地局」は、用語「基地局」とは異なり、ネットワーク事業者によって制御されない基地局を意味するものと理解することができる。しかしながら、ホーム基地局は、移動通信システムのネットワーク事業者によって制御される「通常の」基地局と同じアクセス技術を提供する。ホーム基地局の例は、３ＧＰＰ  ＳＡＥ／ＬＴＥシステムを考えるときにはホームｅノードＢ（ＨｅＮＢ）である。
【０１５２】
図６は、ＭＢＭＳサービスを提供するための３ＧＰＰ  ＳＡＥ／ＬＴＥ移動通信システムの例示的なアーキテクチャを、何人かの加入者の自宅におけるＨｅＮＢの配備を考慮して例示的に示している。この例において、ｅＢＭ−ＳＣ  ６０１（進化型ブロードキャスト／マルチキャストサービスセンター）は、サービスおよび関連するセッション制御シグナリング（例えば、セッション開始メッセージ）の提供源である。制御シグナリングは、コアネットワーク（ＣＮ）の内側の、ＭＢＭＳセッション制御を処理する機能エンティティまたは論理エンティティに提供され、ＭＢＭＳサービスエリアに従ってさらに配信される。３ＧＰＰにおけるＳＡＥ／ＬＴＥシステムの標準化においては、コアネットワークは進化型パケットコア（ＥＰＣ：Evolved Packet Core）とも称される。
【０１５３】
マルチキャストサービスまたはブロードキャストサービスを処理する役割を担う機能（制御プレーン機能およびユーザプレーン機能など）をコアネットワークの中で配置する方式には、いくつかのオプションが存在する。１つの可能な方式は、これらの機能を１つの専用エンティティにまとめることであり、このエンティティは、３ＧＰＰ標準化のコンテキストにおいては一般にＥ−ＭＢＭＳ  ＧＷ  ６０２と称される。
【０１５４】
もう１つの可能な方式は、特定の要求条件に応じてＭＢＭＳ機能の特定のサブセットをそれぞれ個別のエンティティにまとめることである（図６には示していない）。この組合せは、例えば、機能のタイプ（例えば、制御プレーンのみ、またはユーザプレーンのみ）に基づく、あるいは別の条件（例えばスケーラビリティの要求条件）に基づくことができる。したがって、Ｅ−ＭＢＭＳ  ＧＷ  ６０２は、２つの機能エンティティ（例えばＭＢＭＳ１およびＭＢＭＳ２と称する）を提供することによって実現することもできる。ＭＢＭＳ２エンティティは、例えば、ＭＢＭＳの制御プレーン機能およびユーザプレーン機能を備えていることができ、ｅＢＭ−ＳＣ  ６０１へのインタフェースを終端することができる。ＭＢＭＳ１エンティティは、制御プレーン機能のみを備えていることができ、ＭＢＭＳ制御プレーンのスケーラビリティを可能にする（例えば、ＰＬＭＮ（公衆陸上移動網）またはサービスエリアのサイズに従って規模を拡大・縮小する）ために使用することができる。
【０１５５】
Ｅ−ＭＢＭＳ  ＧＷエンティティあるいはＭＢＭＳ１およびＭＢＭＳ２エンティティなどのエンティティ、またはこのようなＭＢＭＳ機能は、一般的には、移動通信ネットワークのさまざまな論理要素あるいは機能要素（例えば、ユニキャストアーキテクチャの論理要素あるいは機能要素）に統合することもできる。
【０１５６】
Ｅ−ＭＢＭＳ  ＧＷ  ６０２は、セッション開始メッセージなどのセッション制御シグナリングを、ＭＢＭＳサービスエリアの中に位置しているｅノードＢ（ｅＮＢ）６０４，６０５に配信することができる。この目的のため、ＭＢＭＳ  ＧＷ  ６０２は、ｅノードＢ  ６０４，６０５への既存の（制御プレーン）インタフェースを利用することができる。ＭＢＭＳ  ＧＷ  ６０２は、ｅノードＢ  ６０４，６０５と同様に、管理対象のホームｅノードＢ（ＨｅＮＢ）、すなわち自身が（制御プレーン）インタフェース（図６には示していない）を維持しているホームｅノードＢに、セッション制御シグナリングを配信することもできる。しかしながら、例えば、ＭＢＭＳ  ＧＷ  ６０２と「通常の」ｅノードＢとの間のトランスポートネットワークの条件が、ＭＢＭＳ  ＧＷ  ６０２とホームｅノードＢとの間のトランスポートネットワークの条件と比較して異なるため、このインタフェースは、「通常の」ｅノードＢ  ６０４，６０５のためのインタフェースとは異なるものとすることができる。
【０１５７】
事業者はｅノードＢの配備を慎重に計画するため、計画においてトランスポートネットワークも考慮されるものと想定することができる。例えば、事業者は、十分な信頼性およびセキュリティの要求条件が満たされるようにする。
【０１５８】
これとは対照的に、ホームｅノードＢは加入者が配備し、一般には事業者によって計画されない。上に概説したように、ホームｅノードＢから事業者のコアネットワークまでのバックホール接続も、事業者の制御下ではないことがある。インターネットサービスプロバイダ（ＩＳＰ）によって例えばデジタル加入者線（ＤＳＬ）を介して提供されるインターネットアクセスは、バックホール接続の代表的な例である。このようなシナリオにおいては、特に、事業者のセキュリティの要求条件が満たされないことがある。
【０１５９】
したがって、移動通信システムの事業者は、ホームｅノードＢと事業者のコアネットワークとの間にセキュアな通信リンクを必要とすることがある。このことは、図６に示したように、例えば、ホームｅノードＢへのセキュアな通信トンネルを例えばＩＰｓｅｃを使用して確立するセキュリティゲートウェイ（Ｓｅｃｕｒｉｔｙ  ＧＷ：セキュリティＧＷ  ６０８）を、事業者の移動通信ネットワークの中に配備することによって、達成することができる（非特許文献４（http://www.ietf.orgにおいて入手可能であり、この参照をもって本願に繰り入れるものとする）を参照）。ホームｅノードＢ  ６０７とコアネットワークとの間のすべてのトラフィックはこのトンネルを通じて伝えられ、このトンネルは、通信されるデータを送信時の盗聴および改ざんから保護する。
【０１６０】
ＭＢＭＳ機能の配置について考慮したときと同様に、セキュリティＧＷ  ６０８は、専用エンティティとして存在することができるが、移動通信ネットワークの中の既存のエンティティに統合することもできる。図６に示したアーキテクチャの例においては、セキュリティＧＷ  ６０８は、事業者のコアネットワークの中の専用エンティティとして示してある。しかしながら、セキュリティＧＷ  ６０８は、無線アクセスネットワーク（ＲＡＮ）のエンティティとして（すなわち、（マクロ）ｅノードＢ  ６０４，６０５のように）配備することもできる。
【０１６１】
先に指摘したように、Ｅ−ＭＢＭＳ  ＧＷ  ６０２とｅノードＢとの間のインタフェースは、Ｅ−ＭＢＭＳ  ＧＷ  ６０２とホームｅノードＢとの間のインタフェースとは異なる。その主たる理由として、コアネットワークとホームｅノードＢとの間ではセキュアなトンネルを利用するためであり、結果として、ポイントツーポイントリンクの能力と比較して同程度の能力の接続となる。ＭＢＭＳ制御プレーンに関する影響は小さく、なぜなら、制御シグナリングの交換は主としてポイントツーポイント通信方式に従うためである。
【０１６２】
これに対して、ＭＢＭＳユーザプレーンに対する影響は大きく、なぜなら、ＭＢＭＳユーザプレーンはポイントツーマルチポイント通信方式に従う（例えば、伝送にＩＰマルチキャストを使用する）ためである。
【０１６３】
マルチキャスト送信をいくつかのポイントツーポイント接続にマッピングすることは、同じデータパケットの複数のコピーを個々の接続上で送信しなければならないため、一般には、トランスポートネットワークにおけるリソース利用が非効率的となる。これらの接続が、トランスポートネットワークにおける（部分的に）共通の経路を共有している場合、１つのパケットのみを転送するときと比較して、消費されるトランスポートリソースが不必要に増大する。
【０１６４】
リソース的に効率的であるＩＰマルチキャスト送信を利用する目的で、ＭＢＭＳデータパケットが送信される先のＩＰマルチキャストグループアドレスをセッション開始メッセージが含むことができる。受信側の基地局（ｅノードＢ）は、このＩＰマルチキャストグループに参加してバケットを受信することができる。グループの管理（例えば、マルチキャストグループに参加する、マルチキャストグループから離脱する）は、例えば非特許文献５（http://www.ietf.orgにおいて入手可能であり、この参照をもって本願に繰り入れるものとする）に指定されているようにインターネットグループ管理プロトコル（ＩＧＭＰ：Internet Group Management Protocol）に基づく、または、例えば非特許文献６（http://www.ietf.orgにおいて入手可能であり、この参照をもって本願に繰り入れるものとする）に指定されているようにマルチキャストリスナーディスカバリー（ＭＬＤ：Ｍｕｌｔｉｃａｓｔ  Ｌｉｓｔｅｎｅｒ  Ｄｉｓｃｏｖｅｒｙ）通信プロトコルに基づくことができ、これらのプロトコルは、ＩＰｖ４プロトコルまたはＩＰｖ６プロトコルに初期設定において含まれている（非特許文献７および非特許文献８（いずれの文書もhttp://www.ietf.orgにおいて入手可能であり、この参照をもって本願に繰り入れるものとする）を参照）。
【０１６５】
この場合、ホーム基地局の配備に関して、セキュリティゲートウェイ（例：セキュリティＧＷ  ６０８）がＩＰマルチキャスト能力をサポートしていることが要求される。２つのエンドポイント（例えばホームｅノードＢ  ６０７とセキュリティＧＷ  ６０８）の間にセキュアなトンネルを確立するためには、通常ではＩＰ−ｉｎ−ＩＰカプセル化と暗号化とが組み合わせて使用される。トンネルの一方のエンドポイントによって送信されるＩＰデータグラムは、カプセル化されてトンネルの他方のエンドポイントに送信され、そこでカプセル化が解除される。エンドポイントの位置に関して、送信は、２つのエンティティ間の直接的なポイントツーポイントリンクに似ている。
【０１６６】
このことは、ＩＰマルチキャスト送信にも影響する。一方で、セキュリティゲートウェイ（例えばセキュリティＧＷ  ６０８）は、グループ管理プロトコル（ＩＧＭＰやＭＬＤなど）の処理をサポートすることが要求される。例えば、ＩＰマルチキャストグループアドレスを含む（ＭＢＭＳ）セッション開始メッセージを受信したホーム基地局（例：ホームｅノードＢ  ６０７）は、グループに参加するため、それぞれのＩＧＭＰメッセージまたはＭＬＤメッセージを送信する。このメッセージはセキュリティＧＷ  ６０８までトンネル化され、セキュリティＧＷ  ６０８は、示されたマルチキャストグループ自体に参加する必要が生じる。その一方で、セキュリティＧＷ  ６０８は、入ってくるＩＰマルチキャストパケットを適切なホーム基地局（例：ホームｅノードＢ  ６０７）にルーティングすることが要求される。このルーティングには、ホーム基地局ごとに参加している先のマルチキャストグループを管理するステップと、入ってくるＩＰマルチキャストパケットを適切なトンネルにコピーするステップが含まれる。通常、これらの機能は、セキュアなトンネルを確立するためのプロトコル（ＩＰｓｅｃなど）によって一般にはサポートされていない（ただし、ＩＰマルチキャストのサポートを追加するためのいくつかの拡張は提案されている）。一般的な観点においては、セキュリティに関連するプロトコルにマルチキャストのサポートを追加すると、結果として、セキュリティ層がマルチキャスト層に依存する。しかしながら、移動通信ネットワークのネットワーク事業者は、この種類の依存関係を望まず、マルチキャスト層から独立しているセキュリティ層を提供するアーキテクチャを求めることがある。
【０１６７】
ホーム基地局までのＩＰマルチキャストをサポートすることは、セキュリティＧＷ  ６０８の要求条件に影響するのみならず、コアネットワークにおけるＭＢＭＳ機能にも影響することがある。例えば、ＭＢＭＳ制御プレーン機能（例えば、Ｅ−ＭＢＭＳ  ＧＷ  ６０２に含まれている）は、セッション制御メッセージを配信するためにはホーム基地局を認識している必要がある。これにより、セッション制御シグナリングを送信する先のホーム基地局を決定する目的で、ホーム基地局をサービスエリアにマッピングするステップがさらに要求されうる。さらに、セッション制御シグナリングを配信できるように、ホーム基地局への適切なインタフェースを維持することが望ましい。移動通信ネットワークの事業者にとって、ネットワーク構成のこのような依存性と、ホーム基地局の配備が一般に事業者の制御下にないことは、望ましくないことがある。加入者は、ホーム基地局をいつでも配備または取り外す、あるいはその地理的位置を容易に変更する（例えば、友人の家に移動する）ことができる。したがって、一般的には、ホーム基地局の位置と、マクロセル層におけるトラッキングエリア（ＴＡ）またはＭＢＭＳサービスエリアとの相関関係は、事業者の配備および計画に依存しないことがある。したがって、事業者は、ホーム基地局による影響を受けない、相当に静的なネットワーク構成を維持することを好むことがある。
【０１６８】
ホーム基地局においてマルチキャストサービスまたはブロードキャストサービスをサポートするための要求条件によって影響されることなく無関係にセキュリティ層を維持する目的で、事業者は、ホーム基地局をサポートするために要求されるマルチキャスト関連機能を備えている論理エンティティを配備することができる。このような機能としては、例えば、制御プレーンインタフェースを終端する（例えば、ホーム基地局に代行してマルチキャストグループを管理する）機能や、ユーザプレーンインタフェースを終端する（例えば、サービスデータパケットを適切なホーム基地局に送信する）機能が挙げられる。この新しいエンティティは、マルチキャストホームｅノードＢゲートウェイ（ＭＨ−ＧＷ  ７０１）と称することができ、図７に示したように、事業者のコアネットワークの中の専用エンティティとして配備することができる。しかしながら、事業者のアーキテクチャの要求条件によっては、コアネットワークの中の既存のエンティティ（例：セキュリティＧＷ  ６０８）に統合することができる。さらに、ＭＨ−ＧＷ  ７０１は、移動通信ネットワークの無線アクセスネットワーク（ＲＡＮ）の中に単独のエンティティとして、またはＲＡＮの中の既存のエンティティに組み込むことによって、配備することもできる。
【０１６９】
図７に示した例示的なＭＢＭＳアーキテクチャを考えるとき、ホーム基地局へのマルチキャストサービスまたはブロードキャストサービスの配信を、以下に説明するように最適化することができる。図８は、関連するシグナリングフローの例を示している。
【０１７０】
図８は、本発明の例示的な一実施形態による、ホーム基地局（ホームｅノードＢ  ６０７）によって制御されるフェムトセルにおいてＭＢＭＳサービスを確立するための例示的なシグナリングフローを示している。この例示的なシグナリングフローにおける想定として、ＵＥ  ６０６は、マクロセル層アクセスをＵＥ  ６０６に提供するｅノードＢ  ６０４，６０５の一方を通じて移動通信システムにすでにアタッチし（または現在もアタッチしている）（図６および図７を参照）、マクロセルの一方（例えば、ｅノードＢ  ６０５によって制御されるマクロセル）を通じてＭＢＭＳサービスのサービスアナウンスメントを受信し（８０１）、このサービスに加入している。オプションとして、マクロセルのカバレッジがフェムトセルと重なっている場合、ＵＥは、ＭＣＣＨなどのマクロ層セル情報を読み取ることによって、サービスの開始または進行中の配信を識別することもできる。
【０１７１】
さらには、このＭＢＭＳサービス（サービス識別子（この場合にはＴＭＧＩ）によって識別される）のセッション開始メッセージは、ｅＢＭ−ＳＣ  ６０１がＥ−ＭＢＭＳ  ＧＷ  ６０２を介してＭＨ−ＧＷ  ７０１にすでに提供しているものと想定することができる。ＴＭＧＩは、事業者のネットワークにおける一意の識別子であるが、ユーザプレーンサービスデータのＩＰマルチキャストアドレスに必ずしも関連していない。サービスを希望するノードがマルチキャストに参加する（ステップ８０７を参照）ことができるように、Ｅ−ＭＢＭＳ  ＧＷ  ６０２は、ＭＢＭＳユーザプレーンのために使用されるＩＰマルチキャストアドレス（ＩＰ  ＭＣアドレス）をセッション開始メッセージにさらに加えることができる。移動端末がＭＢＭＳサービスを要求していない限りは、ＭＨ−ＧＷ  ７０１は、ＭＢＭＳサービスに関連する（セッション開始メッセージなどの）セッション制御シグナリングを自身の下流には伝搬させない。
【０１７２】
移動端末（ＵＥ  ６０６）は、例えば、マクロセルから、ホームｅノードＢ  ６０７によって制御されているフェムトセルのカバレッジエリアに移動し、フェムトセルにアタッチする（８０４）ことができる。ＵＥ  ６０６は、フェムトセルの中でＭＢＭＳサービスが利用可能ではないことを検出した時点で（例えば、対応するＭＢＭＳ通知がフェムトセルの中に存在しないことによる）、所望のサービスを（例えば、そのサービス識別子（この場合にはＴＭＧＩ）によって）示しているサービス要求メッセージを送信することによって、ホームｅノードＢ  ６０７からのサービスを要求する（８０５）ことができる。ＵＥ  ６０６からのサービス要求を受信したホームｅノードＢ  ６０７は、ＭＨ−ＧＷ  ７０１にサービスを登録する（８０６）。ホームｅノードＢ  ６０７は、例えば、ホームｅノードＢ  ６０７が事業者のネットワークにアタッチするときに提供される事前構成設定（Ｏ＆Ｍ）によって、ＭＨ−ＧＷ  ７０１を認識することができる。ホームｅノードＢ  ６０７は、特定のサービスについて１回のみ、例えば、移動端末から受信される最初のＭＢＭＳサービス要求によってトリガーされたとき、ＭＨ−ＧＷ  ７０１に登録することができる。
【０１７３】
ＭＨ−ＧＷ  ７０１は、そのサービスのセッション開始メッセージをすでに受信している（８０３）、または、事業者のネットワークの中で配信された時点でただちに受信する。一般的には、セッション制御シグナリングを受信する目的で、ＭＨ−ＧＷ  ７０１を、ＭＢＭＳサービスエリアの一部として、または、セッション制御シグナリングを受信するための関連するエンティティの一部として、構成することができる。Ｅ−ＭＢＭＳ  ＧＷ  ６０２は、例えば、セッション開始メッセージを受信する（８０２）と、示されたサービスエリアに基づいて、または示されたエンティティ（これらを「ダウンストリームノードのリスト」と称することができる）に基づいて、セッション開始メッセージをＭＨ−ＧＷ  ７０１に送信する（８０３）ことができる。あるいは、ＭＨ−ＧＷ  ７０１は、ホームｅノードＢからのサービス登録要求を受信したとき、セッション制御シグナリングの配信に自身が含まれるように、別のネットワークエンティティ（例えば、Ｅ−ＭＢＭＳ  ＧＷ  ６０２、ｅＢＭ−ＳＣ  ６０１）に能動的に要求することもできる。
【０１７４】
ネットワークから（例えば、Ｅ−ＭＢＭＳ  ＧＷ  ６０２から）セッション開始メッセージを受信したＭＨ−ＧＷ  ７０１は、それまでに登録されているすべてのホームｅノードＢ（この場合にはホームｅノードＢ  ６０７）にセッション開始メッセージを送信する（８０８）ことができる。ＭＨ−ＧＷ  ７０１は、このセッション開始メッセージを、Ｅ−ＭＢＭＳ  ＧＷ  ６０２から受信されるセッション開始メッセージとは異なる内容に修正することができ、なぜなら、ＭＨ−ＧＷ  ７０１とホームｅノードＢ  ６０７との間のインタフェースがＩＰマルチキャストをサポートしていないことがあるためである。したがって、ＭＨ−ＧＷ  ７０１は、ＭＢＭＳユーザプレーンデータを配信するために要求される情報（例えば、ユニキャストパラメータ）が含まれるように、セッション開始メッセージを修正することができる。さらに、ＭＨ−ＧＷ  ７０１は、ホームｅノードＢ  ６０７に代行して、ＭＢＭＳユーザプレーンデータの配信に使用されるＩＰマルチキャストアドレスに参加する（８０７）ことができる。その後、ＭＨ−ＧＷ  ７０１は、受信したＭＢＭＳサービスのＩＰマルチキャストデータパケットの１つのコピーを、前にホームｅノードＢに示されたユーザプレーンパラメータに従って、登録されているすべてのホームｅノードＢに転送する（８１０，８１１）ことができる。これによって、図７に関連して上述したように、ユーザプレーンデータをホームｅノードＢ  ６０７までセキュアなトンネルを介してトンネル化することができる。
【０１７５】
ＭＨ−ＧＷ  ７０１からのセッション開始メッセージを受信したホームｅノードＢ  ６０７は、ＭＢＭＳサービスの配信と、データを受信するために要求されるパラメータとを現在の移動端末に知らせる通知（例えばＭＢＭＳ通知）のブロードキャスト（８０９）を、フェムトセルの中で開始することができる。さらに、ホームｅノードＢ  ６０７は、受信したサービスデータパケットをブロードキャストする目的で、フェムトセルの中に無線ベアラ（例：ＭＴＣＨ）を確立することができる。サービス要求を最初に送ったＵＥ  ６０６（およびフェムトセルの中に位置している他のすべての端末）は、ＭＢＭＳサービスを受信する（８１２）ことができる。
【０１７６】
マルチキャストサービスまたはブロードキャストサービスの配信は、前述したメカニズムを利用することによって、いくつかの面において最適化することができる。主たる態様の１つは、サービスの実際の需要が存在するエリアのみにセッション制御シグナリングが配信されることであり、なぜなら、配信が移動端末からの能動的なサービス要求に基づくためである。さらに、マルチキャスト配信メカニズムと、ホーム基地局のための要求されるセキュリティメカニズムとの分離が促進されており、両方の層が独立して維持される。マルチキャストサービスまたはブロードキャストサービスの配信においては、プロキシゲートウェイとホーム基地局との間のインタフェース能力を考慮に入れることができる一方で、リソース面で効率的なＩＰマルチキャスト伝送を最大限に利用することができる。例えば、事業者のコアネットワークの中でのサービスの配信にはＩＰマルチキャストを使用することができ、ユニキャスト配信は、プロキシゲートウェイとホーム基地局との間でのみ使用することができる。
【０１７７】
ＩＰマルチキャストを最大限に利用することは、プロキシゲートウェイがホーム基地局に代行して事業者のネットワークにおけるＭＢＭＳユーザプレーンに参加することによって達成することができる。ホーム基地局へのインタフェース能力を考慮に入れることは、プロキシゲートウェイとホーム基地局との間にユニキャストベアラを設定する目的で、修正されたセッション開始を送信することによって、達成することができる。さらには、フェムトセルの中に位置しているすべての加入者の間で同じユニキャストベアラを共有することができる。
【０１７８】
前に指摘したように、プロキシゲートウェイの配備方式にはいくつかのオプションが存在し、例えば、コアネットワークまたは無線アクセスネットワークの中の単独のエンティティとして配備する、あるいは、移動通信ネットワークのコアネットワークまたは無線アクセスネットワークの中の既存のエンティティに統合することもできる。いずれも基本的なメカニズムは同じままであるが、プロキシゲートウェイの実際の位置は、主としてセッション制御シグナリングの配信に若干影響する。一例においては、プロキシゲートウェイ（この場合にはＭＨ−ＧＷ  ７０１）をＥ−ＭＢＭＳ  ＧＷ  ６０２（あるいはＭＢＭＳ１エンティティまたはＭＢＭＳ２エンティティ）に統合することができる。これらのエンティティは、一般にはｅＢＭ−ＳＣにおいて、例えば、いわゆる「ダウンストリームノードのリスト」において、セッション制御シグナリングを受信するターゲットエンティティとして設定される。したがって、Ｅ−ＭＢＭＳ  ＧＷ  ６０２に統合されているプロキシゲートウェイは、初期設定においてシグナリングを認識する。
【０１７９】
プロキシゲートウェイが単独のエンティティとして配備されている、または、ＭＢＭＳアーキテクチャに直接的には関連していないエンティティに、例えばセキュリティゲートウェイ（セキュリティＧＷ  ６０７）として統合されている場合、プロキシゲートウェイは、それぞれ、ｅＢＭ−ＳＣまたはＥ−ＭＢＭＳ  ＧＷ  ６０２に登録することができる。
【０１８０】
別のオプションにおいては、プロキシゲートウェイは、上述した例示的な実施形態における移動管理エンティティＭＭＥ  １０４と同様に、セッション制御シグナリングを受信するために動的に（例えば、受信したホーム基地局の登録によってトリガーされたときに）要求することもできる。
【０１８１】
さらなるオプションは、プロキシゲートウェイを、無線アクセスネットワークの中に、単独のエンティティとして、または既存のエンティティ（例えば、マルチセル調整エンティティＭＣＥまたはｅノードＢ）に統合することにより、配備することである。この場合、プロキシゲートウェイの例としてのＭＨ−ＧＷ  ７０１を、ＭＢＭＳサービスエリアの一部としてＥ−ＭＢＭＳ  ＧＷ  ６０２に配置することができ、したがって、ＭＨ−ＧＷ  ７０１は、マクロｅノードＢと同様にセッション制御シグナリングを受信する。さらに、この場合、ＭＨ−ＧＷ  ７０１が初期設定において構成に含まれず、ホームｅノードＢの要求に基づいて動的に登録されるようにすることも可能である。
【０１８２】
図７および図８に関連して上述した例示的な実施形態においては、想定として、ホーム基地局は、一般的にマルチキャストサービスまたはブロードキャストサービスを受信することを（ＭＨ−ＧＷ  ７０１としての）プロキシゲートウェイによって許可され、このプロキシゲートウェイは、ホーム基地局に代行してサービスに登録し、ユーザプレーンデータをホーム基地局に転送する。
【０１８３】
さらには、上の実施形態は、移動端末がフェムトセルからマクロセルに移動するときのサービスの連続性の問題に対処していない。サービスの連続性を確保できるようにする目的で、本発明の一態様によると、マルチキャストサービスまたはブロードキャストサービスをホーム基地局に配信するために使用される配信メカニズムを、マルチキャストサービスまたはブロードキャストサービスのサービスエリアに対するホーム基地局の位置に応じて決定することを提案する。
【０１８４】
マルチキャストサービスまたはブロードキャストサービスが配信されるサービスエリアは、一般には、移動通信ネットワークにおいて設定される。セッション制御シグナリングの配信においてと、サービスデータの配信において、サービスエリアの構成設定を考慮することができる。例えば、セッション開始メッセージなどのセッション制御シグナリングを、サービスエリアの内側に位置しているすべての基地局に配信することができる。結果として、サービスエリアに含まれているすべてのセルにサービスデータを配信することができる。サービスデータ（およびオプションとして制御シグナリング）が配信される先の基地局もしくはセル、またはその両方は、ネットワークに維持されるサービスエリアの設定によって識別される。セッション制御メッセージは、このメッセージを配信するべきサービスエリアについての情報を含むことができる。例えば、セッション制御メッセージを送信するエンティティ（例：ｅＢＭ−ＳＣ  ６０１）は、シグナリングのすべての宛先（例えば基地局）を認識しており、この情報をセッション制御メッセージに含める。中間ネットワークは、この情報を使用して、メッセージを配信する先を識別することができる。
【０１８５】
しかしながら、サービスエリアが大きい（例えば、多数の基地局を備えている）場合、要求されるすべての宛先に関する情報を、相当に小さいシグナリングメッセージに含めることは、可能ではあるが適切ではないことがある。したがって、個々の宛先を直接的に識別する代わりに、宛先を指す参照情報のみをシグナリングメッセージにおいて使用することができる。識別子（いわゆるサービスエリア識別子）は、このような参照情報の代表的な例である。ＭＢＭＳサービスに関連するとき、このサービスエリア識別子は、ＭＢＭＳサービスエリア識別子（ＭＢＭＳ  ＳＡ−ＩＤ）と称されることがある。さらに、サービスエリア識別子から適切な宛先（例えば、基地局またはセル）へのマッピングを使用して、ネットワークを構成設定することができる。サービスエリア識別子を備えているセッション制御メッセージを受信したエンティティは、そのサービスエリア識別子について、維持されているマッピング情報を調べて、メッセージを転送するべき宛先を識別することができる。
【０１８６】
ホーム基地局（例：ホームｅノードＢ）へのマルチキャストサービスまたはブロードキャストサービスの配信は、一般的にはネットワーク（例：ｅＢＭ−ＳＣ）によって許可される必要がある。例えば、ホーム基地局への配信が許可されるか否かについて、サービスに基づくポリシーを定義することができる。この許可は、（例えば、移動端末からのサービス要求の受信によってトリガーされた）特定のサービスをホーム基地局がネットワークに登録するときに実行することができる。ネットワーク側は、許可するときに、ホーム基地局の位置に関する情報を取得することができる。この情報は、例えば、ホーム基地局自体が提供することができ、またはネットワークにおいてすでに既知である。
【０１８７】
さらに、ネットワーク側は、マルチキャストサービスまたはブロードキャストサービスをホーム基地局に配信するために使用するべき配信メカニズムを、位置情報を利用して決定することができる。
【０１８８】
この決定は、配信されるマルチキャストサービスまたはブロードキャストサービスのサービスエリアに対するホーム基地局の位置に応じて行うことができる。例えば、ホーム基地局がマルチキャストサービスまたはブロードキャストサービスのサービスエリアの内側に位置している場合、ホーム基地局への最適化されたマルチキャスト配信を使用する。これにより、リソースに関して効率的にサービスデータをホーム基地局に配信することができる。例えば、ホーム基地局がマルチキャストサービスまたはブロードキャストサービスのサービスエリアの外側に位置している場合、サービスを受信している間にフェムトセルとマクロセルとの間で移動する加入者に対してサービスの連続性を確保する目的で、サービスを要求している移動端末へのユニキャスト配信が必要となりうる。
【０１８９】
一般に、マクロセル層においては、マルチキャストサービスまたはブロードキャストサービスを配信するために、リソース面で効率的な「共有される」マルチキャストベアラサービスまたはブロードキャストベアラサービスを使用できるのは、そのサービスエリアの中のみである。サービスエリアの外側では、移動端末とサービスの提供源（例：ｅＢＭ−ＳＣ）との間の直接的なユニキャストベアラを使用することによってのみ、サービスにアクセスすることができる。マルチキャストサービスまたはブロードキャストサービスのサービスエリアの外側に位置しているホーム基地局が、フェムトセルにおいてマルチキャスト配信を使用してサービスを提供している場合、マクロセルに移動する移動端末は、サービスの受信を続行するためには、最初にユニキャストベアラを確立することが要求される。これは相当に時間のかかる手順であり、結果としてサービスの相当な中断につながることがある。一方で、マルチキャストサービスまたはブロードキャストサービスを受信するためのユニキャストベアラを、移動端末がフェムトセルの中に位置している間にすでに維持しているならば、マクロセルに移動するときにその既存のユニキャストベアラを再配置しさえすればよく、これによってサービスの中断が回避されうる。このようにして、共有されるベアラサービスを介してマルチキャストサービスまたはブロードキャストサービスをホーム基地局に配信するために、最適化されたリソース利用方式を最大限に使用にすることができ、その一方で、対応するサービスエリアの外側においてフェムトセルとマクロセルとの間で移動する移動端末に対して、サービスの連続性を確保することができる。
【０１９０】
モバイル事業者は、ホーム基地局の配備を制御あるいは計画することができない。さらに、加入者は、モバイル事業者とは無関係にホーム基地局装置を取得することがある。しかしながら、移動通信システム全体の正しい動作を確保するためには、ホーム基地局におけるいくつかのパラメータを設定する（例えば、無線レベルの構成設定またはネットワークレベルの構成設定）ことが必要である。
【０１９１】
これらのパラメータは、一般的には、主として移動通信システムの事業者の構成設定に依存する。事業者は、「通常の」基地局によって制御されるマクロセル層に対して維持されている制御と同じように、ホーム基地局およびその構成設定を制御することが要求されうる。ホーム基地局のこの構成設定および制御は、ホーム基地局が事業者のネットワークに接続するときに自動的に確立することができる。この確立より前および確立中は、ホーム基地局は、フェムトセルをまだ利用することができない動作前状態とすることができる。
【０１９２】
通常では、ホーム基地局の構成設定に加えて、認証手順および許可手順も正常に実行されることが要求されることがある。前に指摘したように、ホーム基地局の配備は加入者の制御下にあり、すなわち、加入者はフェムトセルを確立する位置およびタイミングを独立して決定することができる。加入者は、この配備をいつでも容易に変更することができ、例えば、ホーム基地局を別の場所（例えば、友人の家）に移動させることができる。したがって、モバイル事業者は、動作前の手順および情報の一部として、ホーム基地局の位置の情報を必要とすることがある。この情報は、例えば、動作前の認証手順および許可手順時にコアネットワークに提供することができる。
【０１９３】
ホーム基地局のどのような種類の位置情報を提供するかに関しては、事業者の要求条件に従い、さらに場合によってはホーム基地局の能力に応じて、いくつかのオプションが存在する。代表的な例は、グローバルポジショニングシステム（ＧＰＳ）情報を利用することである。当然ながら、そのためには、ホーム基地局はＧＰＳ受信器を備えており、ホーム基地局の動作時にＧＰＳ信号を受信できることが要求される。
【０１９４】
別の例においては、重なり合っているマクロセルの信号を利用してホーム基地局の位置を求めることができる。ホーム基地局は、ホーム基地局によって制御されるフェムトセルとカバレッジが重なり合っているマクロセルの、対応するマクロセル層システムの情報（例えば、セル識別子あるいはトラッキングエリア識別子）を認識することができる。ホーム基地局は、これらの識別子と一緒に、対応するマクロ層セルから受信した無線信号に関する情報を報告することができ、これにより例えばネットワークは、ホーム基地局の位置を三角法によって求めることができる。
【０１９５】
ホーム基地局の位置を求めるために利用できるさらに別のオプションとして、無線による位置取得手法に直接的に基づかないオプションが存在する。１つのオプションは、事業者のネットワークに接続するためにホーム基地局によって使用される有線アクセスネットワークに関する情報に基づいて、ホーム基地局の位置を求めることである。例えば、事業者は、ＤＳＬアクセスのＤＳＬＡＭにおいて使用されるポートＩＤ、あるいはケーブルアクセスネットワークの回路ＩＤを使用して、ホーム基地局の位置を求めることができる。この種類のオプションは、ホーム基地局によって使用される有線アクセスネットワークも事業者が制御している場合に、特に関連する。
【０１９６】
さらなるオプションとして、例えば、ホーム基地局が事業者のネットワークにアクセスするときに使用する、インターネットサービスプロバイダ（ＩＳＰ）によって割り当てられるＩＰアドレスに基づくことができる。ＩＰサブネットと地理的位置との間のマッピングを含むデータベースを使用することにより、位置を解決することができる。単純かつ可能なオプションとしては、加入者の設定に基づいて（例えば、郵便住所または地理的座標を使用して）ホーム基地局を特定することができる。
【０１９７】
図９および図１０は、本発明の例示的な一実施形態による、ホーム基地局（ホームｅノードＢ  ６０７）によって制御されるフェムトセルにおいてＭＢＭＳサービスを確立するための例示的なシグナリングフローを示しており、サービスデータの配信メカニズムをホーム基地局の位置に基づいて決定するステップを含む。図９および図１０におけるシグナリングフローは、実質的には図８に示したシグナリングフローの拡張とみなすことができる。したがって、図８におけるシグナリングフローに類似するステップには、同じ参照数字を付してある。ホームｅノードＢ  ６０７の位置情報は、ホームｅノードＢ  ６０７が事業者のネットワークに接続するときにＭＨ−ＧＷ  ７０１に提供される（９０１）ものと想定する。あるいは、ＭＨ−ＧＷ  ７０１は、必要に応じて別のエンティティから位置情報を要求することができる。
【０１９８】
ホームｅノードＢ  ６０７によって制御されるフェムトセルにアタッチする（９０２）ＵＥ  ６０６は、希望するマルチキャストサービスまたはブロードキャストサービスを受信する目的で、サービス要求を送信する（８０５）ことができる。このサービス要求においては、適切なサービス識別子（例：ＴＭＧＩ）が、要求されるサービスを識別することができる。これをトリガーとして、受信側のホームｅノードＢ  ６０７は、対応するマルチキャストサービスデータまたはブロードキャストサービスデータの配信に含まれるように、サービスについて自身をＭＨ−ＧＷ  ７０１に登録することができる。したがって、ホームｅノードＢ  ６０７は、ＵＥ  ６０６によって提供されたサービス識別子（例：ＴＭＧＩ）を含むサービス登録要求メッセージを、ＭＨ−ＧＷ  ７０１に送信する（８０６）。
【０１９９】
ホームｅノードＢ  ６０７は、一般的には、サービスあたり１回のみＭＨ−ＧＷに登録する必要がある。したがって、特定のマルチキャストサービスまたはブロードキャストサービスについてＵＥから受信した最初のサービス要求に対して、サービス登録要求メッセージを送信するのみでよい。前述したように、ＭＨ−ＧＷ  ７０１は、ホームｅノードＢ  ６０７によって要求されたサービスのセッション制御シグナリング（セッション開始メッセージなど）をすでに受信している（８０２，８０３）ことがある。あるいは、ＭＨ−ＧＷ  ７０１は、そのようなシグナリングがネットワークにおいて配信されるまで待機しなければならないこともある。あるいは、ＭＨ−ＧＷ  ７０１は、対応するセッション制御シグナリングをネットワークから受信するために能動的に要求することもできる。
【０２００】
マルチキャストサービスまたはブロードキャストサービスをホームｅノードＢ  ６０７に配信するための配信メカニズムを決定するとき、ネットワークにおいてホームｅノードＢ  ６０７の位置情報を考慮することができる。したがって、ＭＨ−ＧＷ  ７０１は、マルチキャストサービスまたはブロードキャストサービスのサービス登録要求メッセージをホームｅノードＢ  ６０７から受信する（８０６）と、サービス配信の許可の要求を移動通信ネットワークの中の適切なエンティティ（この例示的な実施形態においてはｅＢＭ−ＳＣ  ６０１）に送信する（９０３）。
【０２０１】
この許可要求は、サービス識別子に加えて、ホームｅノードＢ  ６０７の位置に関する位置情報も含む。あるいは、この要求は、位置情報を含む代わりに、ホームｅノードＢの識別子のみを備えていることができ、受信側のエンティティは、この識別子を使用して各位置情報を別のエンティティに要求する、あるいは、受信側のエンティティ自身が位置情報をすでに備えていることができる。
【０２０２】
図９に示したように、ｅＢＭ−ＳＣ  ６０１は、ホームｅノードＢ  ６０７へのサービス配信を許可し、ホームｅノードＢ  ６０７の位置に基づいて配信メカニズムを決定するネットワークエンティティであると考えることができる。ｅＢＭ−ＳＣは、マルチキャストサービスまたはブロードキャストサービスの配信メカニズムを決定することのできるエンティティの１つであり、なぜなら、ｅＢＭ−ＳＣは、一般にはサービスの設定情報を備えており、さらに、対応するサービスエリアに関する情報も備えていることができるためである。
【０２０３】
ＭＨ−ＧＷ  ７０１が、ホームｅノードＢへのマルチキャストサービスまたはブロードキャストサービスのサービス配信を許可する必要があるのは、ホームｅノードＢおよびサービスあたり１回のみである。したがって、ＭＨ−ＧＷ  ７０１は、許可要求を送信する（９０３）前に、自身がこのステップをすでに正常に実行したかを最初にチェックすることができる。
【０２０４】
ｅＢＭ−ＳＣ  ６０１は、ホームｅノードＢの位置情報を備えた許可要求を受信した時点で、その位置情報を、要求されたマルチキャストサービスまたはブロードキャストサービスの、構成設定されているサービスエリアと比較する。１つのオプションは、ｅＢＭ−ＳＣ  ６０１がサービスエリアに関する地理的情報を維持することである。ｅＢＭ−ＳＣ  ６０１は、この地理的情報と、ホームｅノードＢ  ６０７の位置に関する地理的情報と比較することによって、ホームｅノードＢ  ６０７がサービスエリアの内側に位置しているのか外側に位置しているのかを、判定することができる。別のオプションは、サービスエリアを、マクロ層情報（例えば、セルの識別子またはトラッキングエリアの識別子から構成される）を使用して構成設定することである。オプションとして、ｅＢＭ−ＳＣ  ６０１は、サービスエリアおよびホームｅノードＢの位置情報を比較するために、これらを解釈する必要がありうる。この状況において、ｅＢＭ−ＳＣ  ６０１は、例えば、この「解釈」を別のネットワークエンティティに要求することもできる。
【０２０５】
ｅＢＭ−ＳＣ  ６０１は、要求されているマルチキャストサービスまたはブロードキャストサービスのサービスエリアの内側にホームｅノードＢ  ６０７が位置しているものと判定する場合、許可の肯定応答（許可ＡＣＫ）をＭＨ−ＧＷ  ７０１に送信する（９０４）。この肯定応答は、許可されるホーム基地局（ホームｅノードＢ  ６０７）の識別子と、オプションとして、ＭＨ−ＧＷ  ７０１が肯定応答を該当する要求に関連付けることができるようにする目的で、要求されているサービスのサービス識別子とを備えていることができる。次いで、この肯定応答に続いて、ＭＨ−ＧＷ  ７０１は、サービスに関するセッション制御シグナリングを、許可されたホームｅノードＢ  ６０７に転送する（８０８）ことができる。例えば、ＭＨ−ＧＷ  ７０１は、マルチキャストサービスまたはブロードキャストサービスのサービスデータをＭＨ−ＧＷ  ７０１からホームｅノードＢ  ６０７に配信するために使用される必要なベアラパラメータを備えているセッション開始メッセージを、ホームｅノードＢ  ６０７に送信することができる。
【０２０６】
さらに、ＭＨ−ＧＷ  ７０１は、受信された（８１０）サービスのサービスデータパケットをホームｅノードＢ  ６０７に向けて送信する（８１１）ことを開始する。サービスデータを配信するためにネットワークにおいてＩＰマルチキャストが利用される場合、ＭＨ−ＧＷ  ７０１は、最初に、対応するマルチキャストグループアドレスに参加（８０７）しなければならない。しかしながら、参加は、マルチキャストサービスまたはブロードキャストサービスあたり１回行うのみでよい。したがって、ＭＨ−ＧＷ  ７０１は、以前にすでに参加している場合、受信したサービスデータパケットをホームｅノードＢ  ６０７に向けて配信することをただちに開始することができる。
【０２０７】
セッション開始メッセージなどのセッション制御シグナリングを受信した（８０８）ホームｅノードＢ  ６０７は、マルチキャストサービスまたはブロードキャストサービスの送信について現在のＵＥに知らせるサービス通知を、自身のフェムトセルにブロードキャストする（８０９）ことを開始することができる。さらに、ホームｅノードＢ  ６０７は、受信されるサービスデータパケットをフェムトセルにブロードキャストするために使用される適切な無線ベアラを確立することができる。最終的に、マルチキャストサービスまたはブロードキャストサービスのサービス要求を最初に送ったＵＥ  ６０６は、サービスデータを受信する（８１２）ことができる。
【０２０８】
ｅＢＭ−ＳＣ  ６０１は、ホームｅノードＢ  ６０７がマルチキャストサービスまたはブロードキャストサービスのサービスエリアの外側に位置しているものと判定する場合、図１０に示したように、ＭＨ−ＧＷ  ７０１の許可要求に対して、許可の拒否（許可ＮＡＣＫ）によって応える（１００１）ことができる。この拒否メッセージは、ホームｅノードＢ  ６０７の識別子（ＨｅＮＢ  ＩＤ）と、オプションとして、ＭＨ−ＧＷ  ７０１が否定応答を該当する要求に関連付けることができるようにする目的で、要求されているサービスのサービス識別子とを備えていることができる。許可の拒否を受信した時点で、ＭＨ−ＧＷ  ７０１は、以前にサービス登録メッセージを送ったホームｅノードＢ  ６０７に、サービス登録拒否メッセージを送信する（１００２）ことができる。対応するサービスを識別する目的で、サービス登録拒否メッセージは適切なサービス識別子（例：ＴＭＧＩ）を備えていることができる。
【０２０９】
最終的に、サービス登録拒否をトリガーとして、ホームｅノードＢ  ６０７はサービス拒否メッセージによってＵＥ  ６０６に応える（１００３）ことができる。この場合も、拒否されたサービスは、適切なサービス識別子を使用して識別することができる。この否定応答の受信をトリガーとして、ＵＥ  ６０６は、マルチキャストサービスまたはブロードキャストサービスのユニキャスト配信を要求する（１００４）ことができる。このユニキャストサービス要求は、ＵＥ  ６０６がマクロセル層に移動する場合にサービスの連続性を確保する目的で、必要なオプションである。ＵＥ  ６０６がユニキャスト配信を要求するうえで必要な情報は、例えば以前に受信したサービスアナウンスメントから、ＵＥ  ６０６がすでに認識していることができる。オプションとして、この情報を、ネットワークから提供される拒否メッセージに含めることができる。この情報は、例えば、ＵＥ  ６０６がサービスのユニキャスト配信を要求する必要のある要求先ＢＭ−ＳＣを識別しているＵＲＩを含むことができる。別のオプションは、サービス配信のためのＵＥ  ６０６へのユニキャストベアラを確立するネットワーク主導手順を、サービス登録拒否メッセージによって自動的にトリガーすることである。
【０２１０】
サービス配信のためのユニキャストベアラは、一般には、ホームｅノードＢ  ６０７のフェムトセルにおいて提供することができる。フェムトセルの中でのサービス配信が（例えば、サービスの設定の要求条件に起因して）まったく許可されないことを、サービス登録拒否メッセージが示している場合、ホームｅノードＢ  ６０７はこのことをサービス拒否メッセージの中でＵＥ  ６０６に示すことができ、ＵＥ  ６０６は、ユニキャストベアラサービスを使用してのサービス配信を要求するユニキャストサービス要求を、マクロセル層を通じて送信する（１００４）ことができる。
【０２１１】
図９および図１０に関連して上述した本発明の実施形態においては、ホーム基地局の位置に関する位置情報がネットワークにおいて利用可能である。一例においては、マルチキャストサービスまたはブロードキャストサービスの配信について登録する（８０６）ときにホームｅノードＢ  ６０７によって送信されるサービス登録要求メッセージに、この位置情報を含めることができる。したがって、この例においては、マルチキャストサービスまたはブロードキャストサービスを配信するために使用される配信メカニズムを決定するエンティティ（例：ｅＢＭ−ＳＣ  ６０１）に、ホーム基地局に関する位置情報がネットワークによって提供される。別のオプションとしては、この情報を移動端末によって提供することができる。このオプションは、特に、配信メカニズムを決定するエンティティとの接続をＵＥ  ６０６がすでに維持している場合に適用することができる。以下では、この方法について、図１１および図１２に関連してさらに詳しく説明する。図１１および図１２は、本発明の例示的な一実施形態による、ホーム基地局（ホームｅノードＢ  ６０７）によって制御されるフェムトセルにおいてＭＢＭＳサービスを確立するための別の例示的なシグナリングフローを示しており、サービスデータの配信メカニズムを、移動端末によって提供されるホーム基地局の位置に基づいて決定するステップを含む。
【０２１２】
本発明のこの例示的な実施形態においては、ＵＥ  ６０６は、移動通信ネットワークに接続しているときには、ｅＢＭ−ＳＣ  ６０１との接続を維持しているものと想定することができる。ＵＥ  ６０６が位置しているフェムトセルを制御しているホームｅノードＢ  ６０７に、希望するマルチキャストサービスまたはブロードキャストサービスのサービス要求がＵＥ  ６０６から送信された（８０５）時点で、ホームｅノードＢ  ６０７は、サービス配信の許可が必要であることをＵＥ  ６０６に知らせる（１１０１）。さらに、ホームｅノードＢ  ６０７は、ＵＥ  ６０６に送信される（１１０１）許可要求に、適切な位置情報を含めることができる。当然ながら、サービス配信のためにホームｅノードＢに対する許可を取得することが要求されるのは、マルチキャストサービスまたはブロードキャストサービスあたり１回とすることができる。許可が要求されることの指示情報を受信したＵＥ  ６０６は、適切な許可要求をｅＢＭ−ＳＣ  ６０１に送信する（１１０２）。この許可要求は、ホームｅノードＢ  ６０７から受信される、ホームｅノードＢ  ６０７の位置に関する位置情報に加えて、ホームｅノードＢ  ６０７のホーム基地局識別子とサービス識別子とをさらに備えていることができる。図９および図１０に関連して上述した前の例と同様に、ｅＢＭ−ＳＣ  ６０１は、サービス配信のために要求される配信メカニズムを、許可要求メッセージの中の位置情報に基づいて決定することができる。
【０２１３】
ホームｅノードＢ  ６０７が、要求されるマルチキャストサービスまたはブロードキャストサービスのサービスエリアの内側に位置している場合、ｅＢＭ−ＳＣ  ６０１は、サービスの受信をホームｅノードＢ  ６０７が許可されることをＵＥ  ６０６に知らせる許可肯定応答メッセージ（許可ＡＣＫ）によって、ＵＥ  ６０６に応える（１１０３）ことができる。この許可肯定応答の中のサービス識別子を使用して、サービスを識別することができる。
【０２１４】
次いで、ＵＥ  ６０６は、許可が承認されたことをホームｅノードＢ  ６０７に知らせて、サービス配信の指示情報を待機することができ、これをトリガーとして、ホームｅノードＢ  ６０７は、サービスの配信についてネットワークにおいて例えばＭＨ−ＧＷ  ７０１に登録することができる。しかしながら、事業者の要求条件によっては、この種類のメカニズムは安全性が十分ではないことがある。許可が承認されるとネットワークリソースおよび無線リソースが割り当てられるため、事業者は、この許可が信頼できるエンティティによってトリガーされることを求めるかもしれない。ＵＥは、事業者によって直接的に制御される、移動通信ネットワークのエンティティとは異なり、一般的には信頼できない。したがって、前述したメカニズムに類似するメカニズムを予測することができ、すなわち、ｅＢＭ−ＳＣ  ６０１は、許可されたホームｅノードＢの識別子と、ホームｅノードＢの許可が要求されて承認された対象のマルチキャストサービスまたはブロードキャストサービスの識別子とを含む許可肯定メッセージを、ＭＨ−ＧＷ  ７０１に提供する（１１０４）。いずれの場合も、許可が承認されると、ＭＨ−ＧＷ  ７０１は、セッション制御シグナリング（一般には例えばセッション開始メッセージの中にサービス識別子を含む）とサービスデータパケットとを、許可されたホームｅノードＢ  ６０７に配信する（８０８）ことができ、ホームｅノードＢ  ６０７は、制御するフェムトセルの中でサービス通知およびサービスデータをブロードキャストする（８０９）ことができる。最終的に、前に概説したように、ＵＥは、要求したマルチキャストサービスまたはブロードキャストサービスを受信する（８１２）ことができる。
【０２１５】
次に図１２を参照し、ホームｅノードＢ  ６０７が、要求されたサービスのサービスエリアの外側に位置している場合、ｅＢＭ−ＳＣ  ６０１は、許可拒否メッセージ（許可ＮＡＣＫ）によってＵＥ  ６０６に応える（１２０１）ことができる。この応答をトリガーとして、ＵＥ  ６０６はｅＢＭ−ＳＣからのユニキャスト配信を要求する（１００４）ことができる。オプションとして、ｅＢＭ−ＳＣ  ６０１による許可の拒否は、マルチキャストサービスまたはブロードキャストサービスをＵＥ  ６０６に配信するためのユニキャストベアラを確立するために要求される情報を含むことができる。
【０２１６】
このメカニズムでは、前述したメカニズムと比較すると、ユニキャスト配信のみを利用できる場合においてサービス配信の遅延を低減することができる。ＵＥ  ６０６は、許可拒否メッセージを受信したとき、オプションとして、許可されなかったことをホームｅノードＢ  ６０７に知らせる（１２０２）ことができる。その後、ホームｅノードＢ  ６０７は、別のＵＥ  ６０６から同じサービスの要求を受信した場合に、この情報を考慮することができる。
【０２１７】
あるいは、ホームｅノードＢ  ６０７は、配信許可が必要であることの最初の指示情報を要求側ＵＥに送信するとき、タイマーをスタートさせることもできる。タイマーの値は、承認の応答が確実に受信されるように選択することができる。タイマーが切れるまでに応答が受信されない場合、ホームｅノードＢ  ６０７は、配信が許可されないものと推測することができる。
【０２１８】
前述したメカニズムによると、マルチキャストサービスまたはブロードキャストサービスの配信メカニズムを決定するネットワークエンティティは、対応するサービスエリアの構成設定に関する情報を保持している。さらには、このネットワークエンティティは、サービスエリアの構成設定から移動通信ネットワークのトポロジーへのマッピングに関する情報を保持していることができる。
【０２１９】
場合によっては、ｅＢＭ−ＳＣなどのエンティティにおいて、この種類の情報が利用可能ではないことがある。さらに、ｅＢＭ−ＳＣは、移動通信ネットワークの中の別のエンティティにこの情報を要求できないこともある。一般に、サービスエリアは、サービスエリア識別子（例：ＭＢＭＳサービスエリアＩＤ（ＭＢＭＳ  ＳＡ−ＩＤ））などの参照情報に基づいてのみ認識される。このサービスエリア識別子は、セッション開始メッセージなどのセッション制御シグナリングに含めることができる。サービスエリア識別子から移動通信ネットワークのエンティティ（例えば、ｅノードＢまたはセル）への実際のマッピングは、要求されるネットワークエンティティ（例えば、Ｅ−ＭＢＭＳ  ＧＷ  ６０２またはｅノードＢ）において設定される。例えば、マッピング情報は、トラッキングエリア識別子またはセル識別子に基づいて、マルチキャストサービスまたはブロードキャストサービスのサービスエリアを定義することができる。結果として、サービスレベルの構成設定を、ネットワークレベルの構成設定とは無関係に維持することができる。移動通信ネットワークの事業者は、例えば、外部のエンティティがサービスを提供する場合、サービスレベルの構成設定がネットワークレベルの構成設定とは独立していることを求めることがある。
【０２２０】
移動通信ネットワークのエンティティにおいて維持されるサービスエリアの構成設定は、例えばＯ＆Ｍシステムを使用して相当に静的に設定されているものと想定することができる。例えば、この構成設定は、トラッキングエリアなどアイドルモード移動エリアの構成設定に類似したものとする（もしくは再利用する）ことができる。前に指摘したように、事業者は、移動通信ネットワークのマクロセル層を、例えば慎重な計画に基づいて相当に静的に配備する。対照的に、ホーム基地局の配備は相当に動的であり、個々の加入者の制御下にある。したがって、サービスエリアはマクロセル層情報に基づいて構成設定されており、ホーム基地局またはフェムトセルに関する情報を含まないものと想定することができる。結果として、マルチキャストサービスまたはブロードキャストサービスを配信するための配信メカニズムを決定するエンティティが、たとえネットワークレベルの構成設定に関する情報を維持している場合でも、ホーム基地局がサービスエリアの内側に位置しているか外側に位置しているかを、各ホーム基地局に関する位置情報に基づいて決定できないことがある。
【０２２１】
これらの問題のソリューションは、対象のホーム基地局に対応するマクロ層情報を最初に識別し、次いで、対応するサービスエリア識別子を、移動通信ネットワークの適切なエンティティにおいてこのマクロ層情報を利用して解決することである。これにより、ｅＢＭ−ＳＣは、マルチキャストサービスまたはブロードキャストサービスの配信に関する許可および決定を行うことができ、一方で、ｅＢＭ−ＳＣに追加的に要求される機能または設定が最小限になる。
【０２２２】
以下では、この方法について、図１３および図１４に関連してさらに詳しく説明する。図１３および図１４は、本発明の例示的な一実施形態による、ホーム基地局（ホームｅノードＢ  ６０７）によって制御されるフェムトセルにおいてＭＢＭＳサービスを確立するための例示的なシグナリングフローを示しており、サービスデータの配信メカニズムをホーム基地局に関するマクロセル層の位置情報に基づいて決定するステップを含む。
【０２２３】
ホームｅノードＢ  ６０７によって制御されているフェムトセルにアタッチする（９０２）ＵＥ  ６０６は、その範囲内の利用可能なセルを検出する測定を絶え間なく実行するもの想定することができる。これらの測定は、例えば、ＵＥ  ６０６が別のトラフィックを受信または送信していない期間中に実行することができる。ＵＥ  ６０６が位置しているフェムトセルが１つまたは複数のマクロセルによってもカバーされている場合、ＵＥ  ６０６は、マクロセル層のこれらのマクロセルについて測定を実行することができる。ＵＥ  ６０６は、測定時、対応する１つまたは複数のマクロセルのセル識別子あるいはトラッキングエリア識別子などのシステム情報を受信することができる。
【０２２４】
ＵＥ  ６０６は、希望するマルチキャストサービスまたはブロードキャストサービスのサービス要求を自身の現在のホームｅノードＢ  ６０７に送信する（１３０１）とき、検出されたマクロセル層情報（例えば、対応する１つまたは複数のマクロセルの１つまたは複数のセル識別子あるいはトラッキングエリア識別子）をこのサービス要求に含めることができる。サービス要求を受信したホームｅノードＢ  ６０７は、要求されたサービスの配信対象として自身が含まれるように、ネットワークにサービス登録要求を送信する（１３０２）ことができる。ホームｅノードＢ  ６０７は、ＵＥ  ６０６から受信したマクロセル層情報（位置情報）と、要求されたサービスのサービス識別子とを、このサービス登録要求メッセージに含めることができる。
【０２２５】
サービス登録要求メッセージを受信したＭＨ−ＧＷ  ７０１は、含まれているマクロセル層情報を使用し、ネットワークに維持されている構成設定に従って、対応するサービスエリア識別子を解決することができる。１つのオプションとして、このような構成設定情報は、ＭＨ−ＧＷ  ７０１自身が備えていることができる。別のオプションとして、ＭＨ−ＧＷ  ７０１は、移動通信ネットワークの別のエンティティに解決を要求することができる。例えば、図１３および図１４に示したように、Ｅ−ＭＢＭＳ  ＧＷ  ６０２が、トラッキングエリア識別子からサービスエリア識別子へのマッピングを備えていることができる。したがって、ＭＨ−ＧＷ  ７０１は、マクロセル層情報を１つまたは複数のサービスエリア識別子に解釈することを要求する目的で、マクロセル層情報を備えている解決要求メッセージをＥ−ＭＢＭＳ  ＧＷ  ６０２に送信する（１３０３）。
【０２２６】
Ｅ−ＭＢＭＳ  ＧＷ  ６０２は、解決要求に応えて、１つまたは複数の対応するサービスエリア識別子を、要求側のＭＨ−ＧＷ  ７０１に提供する（１３０４）ことができる。一般的には、例えば、複数の異なるマルチキャストサービスまたはブロードキャストサービスのサービスエリアが重なり合っている状況を考えれば、特定のマクロセルまたはトラッキングエリアが１つまたは複数のサービスエリアに属しうるものと想定することができる。結果として、たとえマクロセル層情報に対応するサービスエリア識別子をネットワークによって解決できる場合であっても、特定のサービスについて各サービスエリア識別子が有効であるか否かをチェックするべきである。
【０２２７】
ｅＢＭ−ＳＣ  ６０１は、サービスレベルの構成設定に関する必要な情報を備えているエンティティの役割を果たすことのできる代表的な例である。したがって、１つまたは複数のサービスエリア識別子を含む解決応答メッセージを受信した（１３０４）ＭＨ−ＧＷ  ７０１は、許可要求メッセージをｅＢＭ−ＳＣ  ６０１に送信することによって、サービス配信についてのｅＢＭ−ＳＣ  ６０１からの許可を要求する（１３０５）ことができる。ＭＨ−ＧＷ  ７０１は、受信した１つまたは複数のサービスエリア識別子に加えて、ホームｅノードＢ  ６０７によって要求されたサービスを識別するサービス識別子を、この許可要求メッセージに含めることができる。ｅＢＭ−ＳＣ  ６０１は、サービス識別子に対応する格納されているサービスの設定を調べて、示されたサービスエリア識別子のうちの１つが含まれているか否かを容易に確認することができる。
【０２２８】
ｅＢＭ−ＳＣ  ６０１は、要求されたサービスに対してサービスエリア識別子が設定されていることを確認できる場合、ホームｅノードＢ  ６０７がマクロ層エリアの中に位置しており、このマクロ層エリアがサービスエリアの中に位置しているという事実に基づいて、ホームｅノードＢ  ６０７もサービスエリアの内側に位置しているものと推測することができる。したがって、ｅＢＭ−ＳＣ  ６０１は、許可要求を承認する（９０４）ことができ、これをトリガーとして、セッション制御シグナリングがホームｅノードＢ  ６０７に配信され（８０８）、そのフェムトセルの中のＵＥにサービスデータが配信される（８１０，８１１，８１２）。
【０２２９】
図１４に示したように、Ｅ−ＭＢＭＳ  ＧＷ  ６０２によってサービスエリア識別子を解決できない、または、解決されたサービスエリア識別子のいずれも、要求されたサービスに対応していないことをｅＢＭ−ＳＣ  ６０１が検出する場合、ホームｅノードＢ  ６０７は要求されたサービスのサービスエリアの外側に位置しているものと推測される。この場合、ｅＢＭ−ＳＣ  ６０１は、図１０に関連して前述したように、ホームｅノードＢ  ６０７へのサービス配信を拒否する（１００１）。したがって、ＵＥ  ６０６は、ホームｅノードＢ  ６０７からサービス拒否を受信すると、上述したようにサービスのユニキャスト配信を要求する（１００４）ことができる。
【０２３０】
上述した手順においては、サービスエリア識別子は、フェムトセルの中に位置しているＵＥ  ６０６によって取得されたマクロセル層情報に基づいて、ネットワークにおいて解決される。マクロセル層情報は、移動端末が測定手順時に検出してホーム基地局に報告することができる。別のオプションとしては、図１５および図１６に例示したように、該当するサービスエリアをマクロセル層から解決することを移動端末が能動的に要求することができる。図１５および図１６は、本発明の例示的な一実施形態による、ホーム基地局（ホームｅノードＢ  ６０７）によって制御されるフェムトセルにおいてＭＢＭＳサービスを確立するための別の例示的なシグナリングフローを示しており、サービスデータの配信メカニズムを、移動端末によって提供されるホーム基地局に関するマクロセル層の位置情報に基づいて決定するステップを含む。
【０２３１】
ＵＥ  ６０６は、一時的にフェムトセルからマクロセルに切り換えて（またはマルチホームの場合にはフェムトセルおよびマクロセルの両方との接続を維持することができる）、移動通信ネットワークに要求メッセージ（ＴＡＵ要求）を送信する（１５０１）ことができる。このステップは、特に、ＵＥ  ６０６がアイドル状態にあり、その時点で何らのトラフィックの受信および送信を行っていない場合に可能である。ＵＥ  ６０６は、マクロセルに接続されると、マクロセル層に関する位置関連手順（例えば、サービスエリア識別子を解決するための要求を含むトラッキングエリア更新（ＴＡＵ））をトリガーすることができる。その応答において、マクロセル層ネットワークにおいてＵＥ  ６０６を処理担当している移動管理エンティティ６０３（図６および図７を参照）は、要求を送った送信元のマクロセルに対応する１つまたは複数のサービスエリア識別子を、応答メッセージの中で示す（１５０２）ことができる。あるいは、ＵＥ  ６０６がマクロセルからフェムトセルに変更する前に、このマクロ層手順を実行することができる。この場合、サービスエリア識別子の解決を要求する目的で再びマクロセルに切り換える必要はない。
【０２３２】
前の実施形態と同様に、マクロセルがいくつかのサービスエリアに属している場合（複数の異なるマルチキャストサービスまたはブロードキャストサービスのサービスエリアが重なり合っている場合）、ネットワークによって複数のサービスエリア識別子が提供されることがある。したがって、報告されたサービスエリア識別子の中に目的のサービスのサービスエリアが含まれているかを、ネットワークにおいて（例えば、ｅＢＭ−ＳＣ  ６０１において）確認するべきである。したがって、ＵＥ  ６０６は、ホームｅノードＢ  ６０７に送信される（１５０１）、希望するマルチキャストサービスまたはブロードキャストサービスのサービス要求メッセージの中に、受信した１つまたは複数のサービスエリア識別子を含めることができる。前述した手順と同様に、ホームｅノードＢ  ６０７はＭＨ−ＧＷ  ７０１に登録し（１３０２）、要求されたサービスのサービス識別子に加えてサービスエリア識別子をＭＨ−ＧＷ  ７０１に提供することができる。ＭＨ−ＧＷ  ７０１は、許可要求をｅＢＭ−ＳＣ  ６０１に送信し（１３０５）、ｅＢＭ−ＳＣ  ６０１は、示されたサービスエリア識別子のうちの１つが、示されたサービスのサービスエリアに対応しているかについて、自身に格納されているサービスの設定を調べることができる。
【０２３３】
ｅＢＭ−ＳＣ  ６０１は、要求されたサービスに対してサービスエリア識別子が設定されていることを確認できる場合、許可要求を承認する（９０４）ことができ、これをトリガーとして、セッション制御シグナリングがホームｅノードＢ  ６０７に配信され、そのフェムトセルの中のＵＥにサービスデータが配信される。図１６に示したように、マクロセル層手順に応えてサービスエリア識別子を解決できない、または、解決されたサービス識別子のいずれも、要求されたサービスに対応しないことをｅＢＭ−ＳＣ  ６０１が検出する場合、ホームｅノードＢ  ６０７は要求されたサービスのサービスエリアの外側に位置していることが明らかである。このような場合、ホームｅノードＢ  ６０７へのサービス配信がネットワークにおいて拒否され（１００１，１００２，１００３）、これをトリガーとして、ＵＥ  ６０６は、前述したようにサービスのユニキャスト配信の要求を送信する（１００４）ことができる。
【０２３４】
本発明の別の実施形態は、上述したさまざまな実施形態を、ハードウェアおよびソフトウェアを使用して実施することに関する。本発明のさまざまな実施形態は、コンピューティングデバイス（プロセッサ）を使用して実施または実行できることが認識される。コンピューティングデバイスまたはプロセッサは、例えば、汎用プロセッサ、デジタル信号プロセッサ（ＤＳＰ）、特定用途向け集積回路（ＡＳＩＣ）、フィールドプログラマブルゲートアレイ（ＦＰＧＡ）、またはその他のプログラマブルロジックデバイスとすることができる。本発明のさまざまな実施形態は、これらのデバイスの組合せによって実行あるいは具体化することもできる。
【０２３５】
さらに、本発明のさまざまな実施形態は、ソフトウェアモジュールによって実施することもでき、これらのソフトウェアモジュールは、プロセッサによって実行される、あるいはハードウェアにおいて直接実行される。さらに、ソフトウェアモジュールとハードウェア実装とを組み合わせることも可能である。ソフトウェアモジュールは、任意の種類のコンピュータ可読記憶媒体、例えば、ＲＡＭ、ＥＰＲＯＭ、ＥＥＰＲＯＭ、フラッシュメモリ、レジスタ、ハードディスク、ＣＤ−ＲＯＭ、ＤＶＤなどに格納することができる。
【０２３６】
さらに、本発明のさまざまな実施形態の個々の特徴は、個別に、または任意の組合せにおいて、別の発明の主題とすることができることに留意されたい。
【０２３７】
本発明には、具体的な実施形態に示したように、広義に記載されている本発明の概念または範囲から逸脱することなく、膨大なバリエーションもしくは変更形態を創案できることが、当業者には理解されるであろう。したがって、これらの実施形態は、あらゆる点において例示的なものであり、本発明を制限するものではないことを理解されたい。
【図１】
2010541434.tif 000003
【図２】
2010541434.tif 000004
【図３】
2010541434.tif 000005
【図４】
2010541434.tif 000006
【図５】
2010541434.tif 000007
【図６】
2010541434.tif 000008
【図７】
2010541434.tif 000009
【図８】
2010541434.tif 000010
【図９】
2010541434.tif 000011
【図１０】
2010541434.tif 000012
【図１１】
2010541434.tif 000013
【図１２】
2010541434.tif 000014
【図１３】
2010541434.tif 000015
【図１４】
2010541434.tif 000016
【図１５】
2010541434.tif 000017
【図１６】
2010541434.tif 000018
【手続補正書】
【提出日】平成22年6月2日(2010.6.2)
【手続補正１】
【補正対象書類名】特許請求の範囲
【補正対象項目名】全文
【補正方法】変更
【補正の内容】
【特許請求の範囲】
【請求項１】
移動通信ネットワークの中でマルチキャストサービスまたはブロードキャストサービスのセッション制御の制御シグナリングを配信する方法であって、
移動端末からの前記マルチキャストサービスまたはブロードキャストサービスのサービス要求を、前記移動通信ネットワークのトラッキングエリアに関連付けられる基地局において受信するステップと、
移動端末のサービス要求に応えて、前記サービス要求を受信した前記基地局を含む前記トラッキングエリアの少なくとも１つの基地局への、セッション制御の制御シグナリングの配信、をトリガーするステップと、
を含む方法。
【請求項２】
前記サービス要求が、前記移動端末において利用可能である、前記マルチキャストサービスまたはブロードキャストサービスのセッションアナウンスメント、に基づいて前記移動端末によって送信される、請求項１に記載の方法。
【請求項３】
前記サービス要求を受信した前記基地局から前記移動通信システムのコアネットワークの中の移動管理エンティティにサービス要求を送信するステップと、
前記サービス要求に応えて、前記移動管理エンティティが、前記マルチキャストサービスまたはブロードキャストサービスの提供源が位置しているサービスネットワークに前記移動通信システムの前記コアネットワークを接続しているゲートウェイに、前記マルチキャストサービスまたはブロードキャストサービスを登録するステップと、
をさらに含む、請求項１または２に記載の方法。
【請求項４】
セッション制御の前記制御シグナリングが、前記ゲートウェイによって、登録されている前記移動管理エンティティを介してトラッキングエリアの少なくとも１つの基地局に送信される、請求項３に記載の方法。
【請求項５】
前記移動通信ネットワークが、ユーザの要求またはユーザの存在には関係なく前記マルチキャストサービスまたはブロードキャストサービスが提供される１つまたは複数のトラッキングエリアを備え、
ユーザの要求またはユーザの存在には関係なく前記マルチキャストサービスまたはブロードキャストサービスが提供される前記１つまたは複数のトラッキングエリアの中のすべての基地局に、セッション制御の前記制御シグナリングを配信するステップ、
をさらに含む、請求項１〜４のいずれか１項に記載の方法。
【請求項６】
ユーザの要求またはユーザの存在には関係なく前記マルチキャストサービスまたはブロードキャストサービスが提供される前記１つまたは複数のトラッキングエリアが、単一周波数ネットワークを形成している、請求項５に記載の方法。
【請求項７】
前記マルチキャストサービスまたはブロードキャストサービスの前記提供源が位置しているサービスネットワークに前記移動通信システムの前記コアネットワークを接続しているゲートウェイが、ユーザの要求またはユーザの存在には関係なく前記マルチキャストサービスまたはブロードキャストサービスが提供される前記１つまたは複数のトラッキングエリアの中の前記各基地局に、セッション制御の前記制御シグナリングをアドレッシングする、請求項５または６に記載の方法。
【請求項８】
前記マルチキャストサービスまたはブロードキャストサービスのセッション制御の前記制御シグナリングが、セッション開始メッセージを備え、
前記マルチキャストサービスまたはブロードキャストサービスのマルチキャスト配信ツリーに参加するため、前記セッション開始メッセージを受信した前記基地局によって、前記コアネットワークのアップストリームルータに参加メッセージを送信するステップ、
をさらに含む、請求項１〜７のいずれか１項に記載の方法。
【請求項９】
前記セッション開始メッセージを受信した前記基地局によって、自身の無線セルの中で、マルチキャストサービスまたはブロードキャストサービスに関連する制御チャネル上で通知を送信するステップ、
をさらに含み、
前記通知が、前記マルチキャストサービスまたはブロードキャストサービスを提供するために使用されるダウンリンク上の無線リソースを示している、請求項８に記載の方法。
【請求項１０】
前記移動管理エンティティが、前記ゲートウェイから受信された、前記マルチキャストサービスまたはブロードキャストサービスのセッション制御の前記制御シグナリングを、前記サービス要求を受信した前記基地局に、または、前記トラッキングエリアの基地局のすべてに、転送する、請求項１〜９のいずれか１項に記載の方法。
【請求項１１】
前記サービス要求が、前記移動端末が登録されている前記少なくとも１つのトラッキングエリアを示し、前記基地局によって送信される前記サービス要求が、前記少なくとも１つのトラッキングエリアを前記移動管理エンティティに示す、請求項１〜１０のいずれか１項に記載の方法。
【請求項１２】
前記移動管理エンティティが、前記ゲートウェイから受信された、前記マルチキャストサービスまたはブロードキャストサービスのセッション制御の制御シグナリングを、前記移動端末が登録されているトラッキングエリアの基地局のすべてに転送する、請求項１〜１１のいずれか１項に記載の方法。
【請求項１３】
前記マルチキャストサービスまたはブロードキャストサービスについて前記ゲートウェイに登録されている移動管理エンティティのリストを、前記ゲートウェイにおいて維持するステップ、
をさらに含む、請求項１〜１２のいずれか１項に記載の方法。
【請求項１４】
前記移動管理エンティティによって前記登録が送信された対象の前記マルチキャストサービスまたはブロードキャストサービスがまだ開始されていないことを示すメッセージを、前記ゲートウェイにおける前記移動管理エンティティの登録に応えて、前記移動管理エンティティにおいて受信するステップと、
受信した前記サービス要求の送信元である前記基地局に、または、前記トラッキングエリアの基地局のすべてに、前記マルチキャストサービスまたはブロードキャストサービスがまだ開始されていないことを、前記移動管理エンティティによって知らせるステップと、
をさらに含む、請求項１〜１３のいずれか１項に記載の方法。
【請求項１５】
前記マルチキャストサービスまたはブロードキャストサービスがまだ開始されていないことが、少なくとも、受信した前記サービス要求の送信元である前記基地局に、または、前記トラッキングエリアの前記基地局に、前記サービス要求に対する応答メッセージによって知らされる、請求項１４に記載の方法。
【請求項１６】
前記マルチキャストサービスまたはブロードキャストサービスがまだ開始されていないことを知らされた各基地局が、前記マルチキャストサービスまたはブロードキャストサービスがまだ開始されていないことを示す通知を自身の無線セルの中で送信するステップ、
をさらに含み、
前記基地局の前記通知が、所定の時間期間の間、送信される、
請求項１４または１５に記載の方法。
【請求項１７】
前記サービス要求が送信される対象の前記マルチキャストサービスまたはブロードキャストサービスを、前記サービス要求が識別子によって識別し、
前記サービス要求が、前記移動端末が登録されている前記少なくとも１つのトラッキングエリアの指示情報を備えている、
請求項１〜１６のいずれか１項に記載の方法。
【請求項１８】
前記サービス要求が、前記移動端末の識別子もしくは前記基地局の識別子、またはその両方を備えている、請求項１７に記載の方法。
【請求項１９】
移動通信ネットワークにおいて使用するための基地局であって、前記移動通信ネットワークのトラッキングエリアに関連付けられ、前記通信ネットワークの中でマルチキャストサービスまたはブロードキャストサービスが提供され、
前記マルチキャストサービスまたはブロードキャストサービスのサービス要求を移動端末から受信する受信器ユニットと、
前記基地局と、オプションとして前記トラッキングエリアのさらなる基地局とへの、セッション制御の制御シグナリングの配信、をトリガーするサービス要求を、移動端末の前記サービス要求に応えて送信する送信器ユニットと、
を備えている、基地局。
【請求項２０】
前記送信器ユニットが、前記サービス要求を前記移動通信システムの前記コアネットワークの中の移動管理エンティティに送信する、請求項１９に記載の基地局。
【請求項２１】
前記受信器ユニットが、前記移動管理エンティティからのセッション制御の前記制御シグナリングを受信する、請求項２０に記載の基地局。
【請求項２２】
前記マルチキャストサービスまたはブロードキャストサービスのセッション制御の前記制御シグナリングが、セッション開始メッセージを備え、前記基地局の前記送信器ユニットが、セッション開始メッセージの受信に応えて、前記マルチキャストサービスまたはブロードキャストサービスのマルチキャスト配信ツリーに参加するため、前記コアネットワークのアップストリームルータに参加メッセージを送信する、請求項１９〜２１のいずれか１項に記載の基地局。
【請求項２３】
前記送信器ユニットが、自身の無線セルの中でマルチキャストサービスまたはブロードキャストサービスに関連する制御チャネル上で通知を送信し、前記通知が、マルチキャストサービスまたはブロードキャストサービスを提供するために使用されるダウンリンク上の無線リソースを示している、請求項２２に記載の基地局。
【請求項２４】
前記受信器ユニットが、前記サービス要求に応えて、前記マルチキャストサービスまたはブロードキャストサービスがまだ開始されていないことの指示情報を受信し、
前記送信器ユニットが、前記指示情報に応えて、前記マルチキャストサービスまたはブロードキャストサービスがまだ開始されていないことを示す通知を、自身の無線セルの中で送信する、
請求項１９〜２３のいずれか１項に記載の基地局。
【請求項２５】
前記送信器ユニットが、前記通知を所定の時間期間の間、送信する、請求項２４に記載の基地局。
【請求項２６】
ユーザの要求またはユーザの存在には関係なく前記マルチキャストサービスまたはブロードキャストサービスが提供されるトラッキングエリアの中に、位置していない、請求項１９〜２５のいずれか１項に記載の基地局。
【請求項２７】
移動通信ネットワークの中で使用するための移動端末であって、
マルチキャストサービスまたはブロードキャストサービスのサービス要求を基地局に送信する送信器ユニット、
を備え、
前記移動端末において利用可能である、前記マルチキャストサービスまたはブロードキャストサービスのセッションアナウンスメントに基づいて、前記サービス要求を送信し、
前記セッションアナウンスメントは、前記マルチキャストサービスまたはブロードキャストサービスが利用可能であることをアナウンスしている、
移動端末。
【請求項２８】
前記移動端末の受信器ユニットによって受信される通知が、前記マルチキャストサービスまたはブロードキャストサービスがまだ開始されていないことを示している場合、サービス要求を送信しない、請求項２７に記載の移動端末。
【請求項２９】
請求項１９〜２６のいずれか１項に記載の基地局、もしくは、請求項２７または２８に記載の移動端末、またはその両方を備えている、移動通信システム。
【請求項３０】
前記基地局を処理担当する移動管理エンティティと、
前記移動通信システムの前記コアネットワークを、前記マルチキャストサービスまたはブロードキャストサービスの提供源が位置しているサービスネットワークに接続するゲートウェイと、
をさらに備えている、請求項２９に記載の移動通信システム。
【請求項３１】
命令を格納しているコンピュータ可読媒体であって、
前記命令が基地局のプロセッサによって実行されたとき、移動通信ネットワークのトラッキングエリアに関連付けられている前記基地局が、
前記移動通信ネットワークにおいて提供されるマルチキャストサービスまたはブロードキャストサービスのサービス要求を移動端末から受信し、
前記基地局と、オプションとして前記トラッキングエリアのさらなる基地局とへの、セッション制御の制御シグナリングの配信、をトリガーするサービス要求を、移動端末の前記サービス要求に応えて送信する、
コンピュータ可読媒体。
【請求項３２】
命令を格納しているコンピュータ可読媒体であって、
前記命令が移動端末のプロセッサによって実行されたとき、前記移動端末が、
マルチキャストサービスまたはブロードキャストサービスのサービス要求を基地局に送信し、
前記移動端末において利用可能である、前記マルチキャストサービスまたはブロードキャストサービスのセッションアナウンスメントに基づいて、前記サービス要求を送信し、
前記セッションアナウンスメントは、前記マルチキャストサービスまたはブロードキャストサービスが利用可能であることをアナウンスしている、
コンピュータ可読媒体。
【請求項３３】
命令をさらに格納し、前記命令が前記移動端末の前記プロセッサによって実行されたとき、
前記移動端末によって受信される通知が、前記マルチキャストサービスまたはブロードキャストサービスがまだ開始されていないことを示している場合、前記移動端末がサービス要求を送信することを禁止される、
請求項３２に記載のコンピュータ可読媒体。
【国際調査報告】
2010541434.tif 000019
2010541434.tif 000020
2010541434.tif 000021
2010541434.tif 000022
2010541434.tif 000023